(57)【要約】  弁プロテーゼ、弁プロテーゼを送達するためのシステム、及び関連の方法が、本明細書で説明されている。システムは、コア部材と、コア部材に沿って弁プロテーゼの半径方向に膨張可能な弁アンカーに解放可能に係合するための係合メカニズムとを含むことが可能である。係合メカニズムは、コア部材にスライド可能に連結されているピン・アッセンブリと、ロック・コンポーネントを含むノーズ・コーンとを含むことが可能であり、ロック・コンポーネントは、コア部材に沿ってスライド可能に連結されており、弁アンカーがピン・アッセンブリから解除することを許容する。
2021510105.tif 000002
【特許請求の範囲】
【請求項１】
弁プロテーゼを送達するための送達システムであって、前記システムは、
近位端部部分、遠位端部部分、及び、前記近位端部部分と前記遠位端部部分との間に延在する長手方向軸線を有する、コア部材と、
前記弁プロテーゼに解放可能に係合するために前記コア部材の前記遠位端部部分に連結されている係合メカニズムであって、前記係合メカニズムは、
ピン・アッセンブリであって、前記ピン・アッセンブリは、前記コア部材に連結されており、前記コア部材に沿って移動可能であり、前記ピン・アッセンブリは、環状コンポーネント及び少なくとも１つのピンを含み、前記少なくとも１つのピンは、前記環状コンポーネントに連結されており、前記遠位端部部分から離れる方向に延在しており、前記少なくとも１つのピンは、前記コア部材から半径方向に間隔を離して配置されている、ピン・アッセンブリ、並びに、
前記環状コンポーネントの近位において前記コア部材に連結されているロック・コンポーネントであって、前記ロック・コンポーネントは、少なくとも１つのロック・アパーチャーを含み、前記少なくとも１つのロック・アパーチャーは、前記少なくとも１つのピンがそれを通って延在することを許容するように構成されており、前記ロック・コンポーネント及び前記ピン・アッセンブリは、前記弁プロテーゼの一部分に係合するために、前記ロック・コンポーネントと前記ピン・アッセンブリとの間に係合領域を集合的に形成している、ロック・コンポーネント、
を含み、
前記ピン・アッセンブリは、前記コア部材及び前記ロック・コンポーネントに対して遠位にスライド可能であり、前記係合領域から外へ前記少なくとも１つのピンを遠位に前進させ、前記弁プロテーゼの前記一部分から前記ピン・アッセンブリを係合解除する、係合メカニズムと、
ルーメンを有するシースであって、前記ルーメンは、前記ピン・アッセンブリ及び前記弁プロテーゼを係合された構成でその中に収納するように構成されている、シースと
を含む、送達システム。
【請求項２】
前記ピン・アッセンブリの前記環状コンポーネントは、円筒形状のピストン部材を含む、請求項１に記載のシステム。
【請求項３】
前記システムは、前記ピン・アッセンブリ及び前記ロック・コンポーネントの近位にプッシャー・コンポーネントをさらに含み、前記プッシャー・コンポーネントは、前記コア部材に連結されており、前記コア部材に沿ってスライド可能であり、前記プッシャー・コンポーネントは、前記弁プロテーゼの前記一部分を係合解除するために、前記係合領域から外へ前記少なくとも１つのピンを遠位に前進させるために、前記ロック・コンポーネントに対して前記少なくとも１つのピンを遠位に前進させるために、前記ピン・アッセンブリに接触及び係合するように構成されている、請求項１に記載のシステム。
【請求項４】
前記シースは、前記係合された構成における前記プッシャー・コンポーネントを収納するように構成されている、請求項３に記載のシステム。
【請求項５】
前記ピン・アッセンブリは、チューブ状コンポーネントを含み、前記チューブ状コンポーネントは、前記ピン・アッセンブリに連結されており、前記ピン・アッセンブリと前記プッシャー・コンポーネントとの間に近位に延在しており、前記プッシャー・コンポーネントは、前記ピン・アッセンブリを遠位方向に促すために、前記チューブ状コンポーネントの近位端部部分に接触するように構成されている、請求項３に記載のシステム。
【請求項６】
前記システムは、プッシャー・チューブに連結されているプッシャー・ブロックをさらに含み、前記プッシャー・チューブは、前記プッシャー・ブロックを遠位方向に前進させるために、前記コア部材に沿ってスライド可能である、請求項３に記載のシステム。
【請求項７】
前記プッシャー・ブロックは、前記プッシャー・コンポーネントの近位に位置決めされており、前記プッシャー・ブロックは、前記プッシャー・コンポーネントから間隔を離して配置されており、その中への前記弁プロテーゼのサポート・フレームの設置を許容する、請求項６に記載のシステム。
【請求項８】
前記シースは、前記係合された構成における前記プッシャー・ブロックを収納するように構成されている、請求項７に記載のシステム。
【請求項９】
前記システムは、近位セクション及び遠位セクションを有するチューブ状コンポーネントをさらに含み、前記チューブ状コンポーネントの前記遠位セクションは、前記ピン・アッセンブリの前記環状コンポーネントに連結されている、請求項１に記載のシステム。
【請求項１０】
前記システムは、前記ロック・コンポーネントに連結されている遠位コーン・コンポーネントをさらに含み、前記遠位コーン・コンポーネントは、前記コア部材に固定して連結され、前記コア部材に対して前記ロック・コンポーネントを連結しており、前記ロック・コンポーネントは、遠位部分及び近位部分を有しており、前記遠位部分は、前記遠位コーン・コンポーネントに連結されており、前記近位部分は、それを通って延在するルーメンを画定しており、前記近位部分の前記ルーメンは、前記コア部材の外側プロファイルよりも大きい断面プロファイルを有しており、係合された構成になっているときに前記ピン・アッセンブリがそれらの間に延在することを許容する、請求項１に記載のシステム。
【請求項１１】
前記ロック・コンポーネント及び前記遠位コーン・コンポーネントは、一緒に連結されているときに、キャビティーを集合的に形成しており、前記ピン・アッセンブリは、前記キャビティーの中に少なくとも部分的に配設されている、請求項１０に記載のシステム。
【請求項１２】
前記ロック・コンポーネントは、第１のキャビティー領域を含み、前記遠位コーン・コンポーネントは、第２のキャビティー領域を含み、前記第１及び第２のキャビティー領域は、前記ロック・コンポーネント及び前記遠位コーン・コンポーネントが一緒に連結されているときに、前記キャビティーを集合的に形成する、請求項１１に記載のシステム。
【請求項１３】
前記シースは、前記遠位コーンの半径方向の窪み部に当接するように構成された遠位端部を有している、請求項１０に記載のシステム。
【請求項１４】
前記弁プロテーゼは、少なくとも１つのアンカー固定レッグを有する弁アンカーを含み、前記少なくとも１つのアンカー固定レッグは、前記少なくとも１つのピンと係合するために、それを通して配設された接続アパーチャーを含む、請求項１に記載のシステム。
【請求項１５】
前記ピン・アッセンブリは、複数のピンを含み、前記ロック・コンポーネントは、前記複数のピンのうちの１つにそれぞれ対応する複数のロック・アパーチャーを含む、請求項１に記載のシステム。
【請求項１６】
弁プロテーゼを送達するための送達システムであって、前記システムは、
コア部材と、
前記コア部材に連結されているノーズ・コーンであって、前記ノーズ・コーンは、ノーズ・コーン・コンポーネント、前記ノーズ・コーン・コンポーネントの近位にあって前記ノーズ・コーン・コンポーネントに連結されているロック・コンポーネント、及び、その中に形成されたキャビティーを有しており、前記ノーズ・コーン・コンポーネントは、前記ロック・コンポーネントの遠位に位置決めされており、前記ロック・コンポーネントは、前記弁プロテーゼの一部分が係合され得る係合領域を形成している、ノーズ・コーンと、
ピン・アッセンブリであって、前記ピン・アッセンブリは、前記コア部材に連結されており、前記キャビティーの中を前記コア部材に沿って移動可能であり、前記ピン・アッセンブリは、環状コンポーネント及び少なくとも１つのピンを含み、前記少なくとも１つのピンは、前記環状コンポーネントに連結されており、前記キャビティーから外へ前記ロック・コンポーネントを通って延在しており、前記ピン・アッセンブリは、前記コア部材及び前記ロック・コンポーネントに対してスライド可能であり、前記係合領域の外へ前記少なくとも１つのピンを移動させ、前記弁プロテーゼの前記一部分から前記ピン・アッセンブリを係合解除する、ピン・アッセンブリと、
プッシャー部材であって、前記プッシャー部材は、前記コア部材に連結されており、前記コア部材に沿ってスライド可能であり、前記プッシャー部材は、前記ピン・アッセンブリ及び前記ロック・コンポーネントの近位に配設されており、前記プッシャー部材は、前記弁プロテーゼの前記一部分を係合解除するために、前記係合領域から外へ前記少なくとも１つのピンを移動させるために、前記ロック・コンポーネントに対して前記少なくとも１つのピンを移動させるために、前記ピン・アッセンブリに接触及び係合するように構成されている、プッシャー部材と
を含む、送達システム。
【請求項１７】
前記ピン・アッセンブリは、前記コア部材及び前記ロック・コンポーネントに対して遠位にスライド可能であり、前記係合領域から外へ前記少なくとも１つのピンを遠位に前進させ、前記弁プロテーゼの前記一部分から前記ピン・アッセンブリを係合解除する、請求項１６に記載のシステム。
【請求項１８】
前記ロック・コンポーネントは、近位フランジ及び遠位フランジを含み、前記近位フランジ及び前記遠位フランジは、それらの間に前記係合領域を集合的に形成している、請求項１６に記載のシステム。
【請求項１９】
前記システムは、近位セクション及び遠位セクションを有するチューブ状コンポーネントをさらに含み、前記チューブ状コンポーネントの前記遠位セクションは、前記ピン・アッセンブリの前記環状コンポーネントに連結されている、請求項１６に記載のシステム。
【請求項２０】
前記システムは、プッシャー部材をさらに含み、前記プッシャー部材は、前記コア部材に連結されており、前記コア部材に沿ってスライド可能であり、前記プッシャー部材は、前記係合領域から外へ前記少なくとも１つのピンを移動させるために、前記ピン・アッセンブリをスライドさせるために前記ピン・アッセンブリに接触するように構成されている、請求項１６に記載のシステム。
【請求項２１】
前記プッシャー部材は、前記ピン・アッセンブリ及び前記ロック・コンポーネントの近位に配設されており、前記プッシャー部材は、前記弁プロテーゼの前記一部分を係合解除するために、前記係合領域から外へ前記少なくとも１つのピンを遠位に前進させるために、前記ロック・コンポーネントに対して前記少なくとも１つのピンを遠位に前進させるために、前記ピン・アッセンブリに接触及び係合するように構成されている、請求項２０に記載のシステム。
【請求項２２】
前記プッシャー部材は、近位平坦面及び円錐状の遠位面を有する円錐状の形状を含み、前記円錐状の遠位面は、前記ピン・アッセンブリに接触するように構成されている、請求項２１に記載のシステム。
【請求項２３】
前記プッシャー・コンポーネントは、チューブ状部分と、前記チューブ状部分から延在するフランジとを含む、請求項２１に記載のシステム。
【請求項２４】
前記プッシャー・コンポーネントは、前記弁プロテーゼのサポート・フレームの遠位端部部分に隣接して延在する近位面を有する半径方向のフランジを含み、折り畳まれた状態において、前記サポート・フレームは、前記プッシャー・コンポーネント近位面に接触するよう動作し、前記コア部材に対して前記プッシャー・コンポーネントを遠位に前進させる、請求項２１に記載のシステム。
【請求項２５】
前記システムは、プッシャー・チューブに連結されているプッシャー・ブロックをさらに含み、前記プッシャー・チューブは、前記プッシャー・ブロックを遠位方向に前進させるために、前記コア部材に沿ってスライド可能であり、前記プッシャー・ブロックは、前記プッシャー・コンポーネントから間隔を離して配置されており、その中への前記弁プロテーゼの前記サポート・フレームの設置を許容する、請求項２４に記載のシステム。
【請求項２６】
前記システムは、シースをさらに含み、前記シースは、そのルーメンの中に前記プッシャー・ブロック及び前記サポート・フレームを収納するように構成されており、前記シース、前記サポート・フレーム、及び前記プッシャー・ブロックは、前記プッシャー・コンポーネントの近位平坦面に接触するように構成されており、前記コア部材に対して前記プッシャー・コンポーネントを前記ピン・アッセンブリに向けて移動させるために、前記プッシャー・コンポーネントに対して遠位力を付与する、請求項２５に記載のシステム。
【請求項２７】
前記ノーズ・コンポーネントは、前記コア部材に固定して連結され、前記コア部材に対して前記ロック・コンポーネントを連結しており、前記ロック・コンポーネントは、遠位部分及び近位部分を有しており、前記遠位部分は、前記ノーズ・コーン・コンポーネントに連結されており、前記近位部分は、それを通って延在するルーメンを画定しており、前記近位部分の前記ルーメンは、前記コア部材の外側プロファイルよりも大きい断面プロファイルを有しており、係合された構成になっているときに前記ピン・アッセンブリがそれらの間に延在することを許容する、請求項１６に記載のシステム。
【請求項２８】
前記ロック・コンポーネント及び前記ノーズ・コーン・コンポーネントは、一緒に連結されているときに、前記キャビティーを集合的に形成しており、前記ロック・コンポーネントは、第１のキャビティー領域を含み、前記ノーズ・コーン・コンポーネントは、第２のキャビティー領域を含み、前記第１及び第２のキャビティー領域は、前記ロック・コンポーネント及び前記ノーズ・コーン・コンポーネントが一緒に連結されているときに、前記キャビティーを集合的に形成する、請求項２７に記載のシステム。
【請求項２９】
（ａ）係合された構成において、前記ピン・アッセンブリの前記環状コンポーネントは、前記ロック・コンポーネントから第１の距離において軸線方向に間隔を離して配置されており、前記弁プロテーゼの前記一部分に係合するために、前記少なくとも１つのピンが前記係合領域を通って延在することを許容しており、（ｂ）解放された構成において、前記環状コンポーネントは、前記ロック・コンポーネントから前記第１の距離よりも大きい第２の距離において軸線方向に間隔を離して配置されており、前記係合領域を通して前記少なくとも１つのピンを遠位に前進させ、前記弁プロテーゼの前記一部分から前記ピン・アッセンブリを係合解除する、請求項１６に記載のシステム。
【請求項３０】
前記解放された構成において、前記少なくとも１つのピンは、前記係合領域の外側に位置決めされている、請求項２９に記載のシステム。
【請求項３１】
弁プロテーゼを有するシースであって、前記弁プロテーゼは、コンパクト化された状態で前記シースの中に収納され、前記弁プロテーゼは、弁アンカー及びサポート・フレームを含み、前記サポート・フレームは、前記弁アンカーに移動可能に連結されており、前記弁アンカーは、複数の丸みを帯びたベース部分及び複数のアンカー固定レッグを含み、前記複数のアンカー固定レッグは、前記複数の丸みを帯びたベース部分と相互接続され、前記複数の丸みを帯びたベース部分同士の間に交互に間置されており、前記アンカー固定レッグのそれぞれは、丸みを帯びたベース部分に接合されている近位端部、及び、接続アパーチャーを有する遠位端部を有している、シースと、
長手方向に延在しているコア部材と、
複数のロック・アパーチャーを含むロック・コンポーネントと、
ピン・アッセンブリであって、前記ピン・アッセンブリは、前記サポート・フレームの遠位に位置決めされ、前記コア部材にスライド可能に連結されており、前記ピン・アッセンブリは、複数のピンを含み、前記複数のピンは、前記複数の接続アパーチャーを通って、及び、前記複数のロック・アパーチャーを通って近位に延在し、前記弁アンカーの前記複数のアンカー固定レッグに係合している、ピン・アッセンブリと
を含む、送達システム。
【請求項３２】
前記弁アンカーの前記接続アパーチャーは、遠位フランジと近位フランジとの間に位置決めされており、前記ロック・アパーチャーは、前記遠位フランジ及び前記近位フランジの両方を通って延在している、請求項３１に記載の送達システム。
【請求項３３】
前記ピン・アッセンブリは、環状コンポーネントをさらに含み、前記環状コンポーネントは、キャビティーの中に往復運動可能に配設されており、前記ピン・アッセンブリは、前記キャビティーの中の近位位置にある係合された構成と、前記キャビティーの中の遠位位置にある係合解除された構成との間で往復運動式になっており、前記複数のピンは、前記環状コンポーネントの近位面から近位に延在している、請求項３１に記載の送達システム。
【請求項３４】
前記送達システムは、プッシャー・コンポーネントをさらに含み、前記プッシャー・コンポーネントは、前記コア部材にスライド可能に連結されており、前記プッシャー・コンポーネントが前記コア部材に沿って長手方向にスライド可能であるようになっている、請求項３１に記載の送達システム。
【請求項３５】
前記ピン・アッセンブリは、前記プッシャー・コンポーネントに向けて前記コア部材に沿って近位に延在するチューブ状コンポーネントを含み、前記プッシャー・コンポーネントは、前記チューブ状コンポーネントの遠位面に接触するように構成されている、請求項３４に記載の送達システム。
【請求項３６】
前記プッシャー・コンポーネントは、前記ピン・アッセンブリに向けて前記コア部材に沿って遠位に延在するチューブ状コンポーネントを含み、前記チューブ状コンポーネントの端部は、前記ピン・アッセンブリの近位面に接触するように構成されている、請求項３４に記載の送達システム。
【請求項３７】
前記サポート・フレームは、前記プッシャー・コンポーネントの近位面に接触するように位置決めされた遠位端部を有している、請求項３４に記載の送達システム。
【請求項３８】
前記送達システムは、プッシング・ブロックをさらに含み、前記プッシング・ブロックは、前記サポート・フレームの前記遠位端部の反対側の前記サポート・フレームの近位端部に接触するように構成されている、請求項３７に記載の送達システム。
【請求項３９】
前記送達システムは、少なくとも１つの縫合糸をさらに含み、前記少なくとも１つの縫合糸は、前記サポート・フレームに連結されており、前記複数のアンカー固定レッグの長さに沿って延在する複数の長手方向のスロットに沿ってスライド可能に連結されている、請求項３１に記載の送達システム。
【請求項４０】
前記弁アンカー、及び、前記弁アンカーに連結されている前記サポート・フレームは、前記外側シースの中に直列的に位置決めされており、前記弁アンカーが前記サポート・フレームの遠位に配設されるようになっている、請求項３１に記載の送達システム。
【請求項４１】
弁プロテーゼを送達するための送達システムであって、前記システムは、
近位端部部分、遠位端部部分、及び、前記近位端部部分と前記遠位端部部分との間に延在する長手方向軸線を有する、コア部材と、
前記弁プロテーゼに解放可能に係合するために前記コア部材の前記遠位端部部分に連結されている係合メカニズムと、
を含み、
前記係合メカニズムは、
ピン・アッセンブリであって、前記ピン・アッセンブリは、前記コア部材に連結されており、前記コア部材に沿って移動可能であり、前記ピン・アッセンブリは、環状コンポーネント及び少なくとも１つのピンを含み、前記少なくとも１つのピンは、前記環状コンポーネントに連結されており、前記遠位端部部分から離れる方向に延在しており、前記少なくとも１つのピンは、前記コア部材から半径方向に間隔を離して配置されている、ピン・アッセンブリ、並びに、
前記環状コンポーネントの近位において前記コア部材に連結されているロック・コンポーネントであって、前記ロック・コンポーネントは、少なくとも１つのロック・アパーチャーを含み、前記少なくとも１つのロック・アパーチャーは、前記少なくとも１つのピンがそれを通って延在することを許容するように構成されており、前記ロック・コンポーネント及び前記ピン・アッセンブリは、前記弁プロテーゼの一部分に係合するために、前記ロック・コンポーネントと前記ピン・アッセンブリとの間に係合領域を集合的に形成している、ロック・コンポーネント
を含み、
前記ピン・アッセンブリは、前記コア部材及び前記ロック・コンポーネントに対して遠位にスライド可能であり、前記係合領域から外へ前記少なくとも１つのピンを遠位に前進させ、前記弁プロテーゼの前記一部分から前記ピン・アッセンブリを係合解除する、送達システム。
【請求項４２】
前記ピン・アッセンブリの前記環状コンポーネントは、円筒形状のピストン部材を含む、請求項４１に記載のシステム。
【請求項４３】
前記ピストン部材は、対向する近位プレート及び遠位プレートを含み、前記近位プレートは、少なくとも１つのアパーチャーを含み、前記少なくとも１つのピンは、前記少なくとも１つのアパーチャーを通って延在しており、前記少なくとも１つのピンの一部分は、前記近位プレートと前記遠位プレートとの間に間置及び係合されている、請求項４２に記載のシステム。
【請求項４４】
前記システムは、近位セクション及び遠位セクションを有するチューブ状コンポーネントをさらに含み、前記チューブ状コンポーネントの前記遠位セクションは、前記ピン・アッセンブリの前記環状コンポーネントに連結されている、請求項４１に記載のシステム。
【請求項４５】
前記システムは、前記ピン・アッセンブリ及び前記ロック・コンポーネントの近位にプッシャー部材をさらに含み、前記プッシャー部材は、前記コア部材に連結されており、前記コア部材に沿ってスライド可能であり、前記プッシャー部材は、前記弁プロテーゼの前記一部分を係合解除するために、前記係合領域から外へ前記少なくとも１つのピンを遠位に前進させるために、前記ロック・コンポーネントに対して前記少なくとも１つのピンを遠位に前進させるために、前記ピン・アッセンブリに接触及び係合するように構成されている、請求項４１に記載のシステム。
【請求項４６】
前記プッシャー部材は、近位平坦面及び円錐状の遠位面を有する円錐状の形状を含み、前記円錐状の遠位面は、前記ピン・アッセンブリに接触するように構成されている、請求項４５に記載のシステム。
【請求項４７】
前記ピン・アッセンブリは、チューブ状コンポーネントを含み、前記チューブ状コンポーネントは、前記ピン・アッセンブリに連結されており、前記ピン・アッセンブリと前記プッシャー部材との間に近位に延在しており、前記プッシャー部材は、前記ピン・アッセンブリを遠位方向に促すために、前記チューブ状コンポーネントの近位端部部分に接触するように構成されている、請求項４５に記載のシステム。
【請求項４８】
前記チューブ状コンポーネントは、前記ロック・コンポーネントの近位の位置へ前記ロック・コンポーネントを通って近位に延在している、請求項４７に記載のシステム。
【請求項４９】
前記システムは、前記ロック・コンポーネントに連結されている遠位コーン・コンポーネントをさらに含み、前記遠位コーン・コンポーネントは、前記コア部材に固定して連結されており、前記ロック・コンポーネントは、遠位部分及び近位部分を有しており、前記遠位部分は、前記遠位コーン・コンポーネントに連結されており、前記近位部分は、それを通って延在するルーメンを画定しており、前記近位部分の前記ルーメンは、前記コア部材の外側プロファイルよりも大きい断面プロファイルを有しており、係合された構成になっているときに前記チューブ状コンポーネントがそれらの間に延在することを許容する、請求項４８に記載のシステム。
【請求項５０】
前記システムは、前記ロック・コンポーネントに連結されている遠位コーン・コンポーネントをさらに含み、前記遠位コーン・コンポーネントは、前記コア部材に対して前記ロック・コンポーネントを連結するように、前記コア部材に固定して連結されており、前記ロック・コンポーネントは、遠位部分及び近位部分を有しており、前記遠位部分は、前記遠位コーン・コンポーネントに連結されており、前記近位部分は、それを通って延在するルーメンを画定しており、前記近位部分の前記ルーメンは、前記コア部材の外側プロファイルよりも大きい断面プロファイルを有しており、係合された構成になっているときに前記ピン・アッセンブリがそれらの間に延在することを許容する、請求項４１に記載のシステム。
【請求項５１】
前記ロック・コンポーネント及び前記遠位コーン・コンポーネントは、一緒に連結されているときに、キャビティーを集合的に形成しており、前記ピン・アッセンブリは、前記キャビティーの中に少なくとも部分的に配設されている、請求項５０に記載のシステム。
【請求項５２】
前記ロック・コンポーネントは、第１のキャビティー領域を含み、前記遠位コーン・コンポーネントは、第２のキャビティー領域を含み、前記第１及び第２のキャビティー領域は、前記ロック・コンポーネント及び前記遠位コーン・コンポーネントが一緒に連結されているときに、前記キャビティーを集合的に形成する、請求項５１に記載のシステム。
【請求項５３】
前記弁プロテーゼは、少なくとも１つのアンカー固定レッグを有する弁アンカーを含み、前記少なくとも１つのアンカー固定レッグは、前記少なくとも１つのピンと係合するために、それを通して配設された接続アパーチャーを含む、請求項４１に記載のシステム。
【請求項５４】
前記弁アンカーは、３つのアンカー固定レッグを含み、前記ピン・アッセンブリは、前記弁アンカーのそれぞれのアンカー固定レッグに係合するための３つのピンを含む、請求項５３に記載のシステム。
【請求項５５】
前記ピン・アッセンブリは、複数のピンを含み、前記ロック・コンポーネントは、前記複数のピンのうちの１つにそれぞれ対応する複数のロック・アパーチャーを含む、請求項４１に記載のシステム。
【発明の詳細な説明】
【技術分野】
【０００１】
本出願は、２０１８年１月７日に出願された米国仮出願第６２／６１４，４８８号の優先権の利益を主張し、その全体は、参照により本明細書に組み込まれている。
【０００２】
本明細書で説明されている本主題は、人工心臓弁送達システム、及び、静脈系を通した弁の経カテーテル送達のための方法に関する。
【背景技術】
【０００３】
人工心臓弁は、損傷を受けた又は疾患のある心臓弁を交換するために使用されている。脊椎動物において、心臓は、４つのポンプ室（それ自身の一方向弁をそれぞれ設けられた左心房、右心房、左心室、及び右心室）を備えた筋肉性の臓器である。自然の心臓弁は、大動脈弁、僧帽弁（又は、二尖弁）、三尖弁、及び肺動脈弁として識別される。人工心臓弁は、これらの自然に存在する弁のいずれかを交換するために使用され得るが、大動脈弁又は僧帽弁の修復又は交換が、より一般的である。その理由は、それらが圧力が最大になる心臓の左側に存在しているからである。
【０００４】
従来の心臓弁交換外科手術は、胸部の中の長手方向の切開部を通して患者の胸腔の中の心臓にアクセスすることを伴う。たとえば、胸骨正中切開術は、胸骨を通してカットすること、及び、胸郭の２つの対向する半分を強制的に広げて離すことを必要とし、胸腔及びその中の心臓へのアクセスを可能にする。次いで、患者は、心肺バイパスの上に設置され、それは、内部室へのアクセスを許容するために心臓を停止することを伴う。そのような心臓切開外科手術は、とりわけ侵襲的であり、非常に長くて困難な回復期間を伴う。
【０００５】
大動脈弁の経皮的な送達が、最近、外科的な弁交換に対する前途有望な代替例として出現した。現在では、経カテーテル植え込みが、自然の大動脈弁への逆行性のアクセスを伴う経大腿経路によって達成されている。この最小侵襲性の大動脈弁交換は、入院期間の減少、胸骨創部合併症の低減、外科的な外傷の低減、及び美容術の改善を結果として生じさせた。大腿動脈を通した経カテーテル送達の成功にかかわらず、特に高齢者世代において、重大な欠点が存在しており、高齢者世代は、最小侵襲性の手技から大いに利益を受ける世代である。
【０００６】
ある患者においては、動脈の直径が、あまりにも小さ過ぎ、プラークの蓄積及び以前に植え込まれたステントの存在に起因して、送達システムの通過に安全に対処することができない。経カテーテル手技の間にプラーク物質を取り除くことは、脳卒中のリスクをもたらす塞栓の発生を結果として生じさせる可能性がある。したがって、静脈系を通した弁プロテーゼの経カテーテル送達を可能にするために、追加的なシステムを考案することが望ましく、それは、一般的に、より大きい内径を有しており、コンパクトな送達システムをより良好に収容することが可能である。
【０００７】
関連技術の先述の実例、及び、それと関連した制限は、例示目的のものであることが意図されており、排他的であることは意図されていない。関連技術の他の制限は、明細書を読むと、及び、図面の検討をすると、当業者に明らかになることとなる。
【先行技術文献】
【特許文献】
【０００８】
【特許文献１】米国特許出願第６２／６１４，４８８号
【特許文献２】国際出願第      号
【特許文献３】国際出願第      号
【特許文献４】米国特許出願第６２／６１４，４８９号
【特許文献５】米国特許出願第６２／７５６，５５６号
【特許文献６】米国特許出願第６２／７８１，５３７号
【発明の概要】
【発明が解決しようとする課題】
【０００９】
下記に説明及び図示されている以下の態様及びそのいくつかの実施例は、例示的なもの及び例示目的のものであることを意味しており、範囲を限定するものを意味していない。
【００１０】
心臓への弁プロテーゼの経カテーテル送達は、従来、大静脈を通る、及び、心臓の室を通る送達を伴う。心臓の構造に起因して、そのような送達は、周囲の組織又はシステム自身に損傷を与えることなく、システム・カテーテルが急なターンを操縦することができることを必要とする。下記に説明されているのは、人工弁送達システム、弁プロテーゼ、及び、それを使用する方法であり、それは、低減された直径に加えて、そのような経カテーテル送達のためのフレキシビリティーの増加を提供し、それは、経カテーテル送達を可能にする。さらに、そのようなシステム、弁プロテーゼ、及び方法は、臨床医が弁プロテーゼの膨張、設置、及び解放をより容易に制御することを許容する。さらに、いくつかの実施例は、半径方向にコンパクトな送達構成で送達され得るシステム及び弁プロテーゼを提供し、それは、本明細書で説明されているように、従来のシステム及びデバイスを上回る多数の利点を実現する。
【課題を解決するための手段】
【００１１】
本明細書で開示されているいくつかの実施例は、弁プロテーゼを送達するための送達システムを提供する。弁プロテーゼは、半径方向に膨張可能な弁アンカーと、弁アンカーの中に位置決め可能なサポート・フレームと、サポート・フレームに連結されている複数の弁尖とを含むことが可能である。送達システムは、コア部材と、弁アンカーに解放可能に係合するための係合メカニズムとを含むことが可能である。係合メカニズムは、随意的に、コア部材にスライド可能に連結され得る。係合メカニズムは、ロック・コンポーネントと係合することが可能であり、ロック・コンポーネントは、随意的に、コア部材に沿ってスライド可能に連結され得る。したがって、いくつかの実施例では、係合メカニズムは、コア部材に対して変位又は移動させられ、弁プロテーゼの１つ又は複数の特徴に解放可能に係合することが可能である。係合メカニズムは、弁アンカーの１つ又は複数の態様が、サポート・フレームの１つ又は複数の隣接する態様の膨張を半径方向に制限しながら、又は、それと係合しながら、半径方向に膨張することを許容することが可能である。
【００１２】
たとえば、いくつかの実施例では、送達システムは、弁アンカーの１つ若しくは複数のＵ字形状の部材、アンカー固定部材、弁クラスパー、洞ロケーター（ｓｉｎｕｓ  ｌｏｃａｔｏｒ）、弁ポジショナー、又は弁ハンガーから解除されている間に、係合メカニズムによって弁アンカーの１つ又は複数のアンカー固定レッグに係合することが可能である。Ｕ字形状の部材は、ベース部分をそれぞれ含むことが可能であり、ベース部分は、自然の大動脈弁の大動脈洞（後大動脈洞、左大動脈洞、及び／又は右大動脈洞を含む）などのような、自然の弁構造体の特定の態様と係合するために使用され得る。ベース部分は、丸みを帯びた又は非外傷性の形状を有することが可能であり、それは、ベース部分が弁のそれぞれの洞の中へ膨張及びフィットさせられることを許容する。したがって、いくつかの実施例では、送達システムは、Ｕ字形状の部材のベース部分が１つ又は複数のアンカー固定レッグに対して膨張している間に、弁アンカーの１つ又は複数のアンカー固定レッグに係合することが可能であり、それによって、臨床医が自然の弁構造体に対してベース部分を操作するか又は移動させ、自然の弁構造体に対して弁アンカーを適正に着座させることを可能にする。
【００１３】
いくつかの実施例では、ベース部分及びアンカー固定レッグは、弁アンカーに沿って長手方向に延在することが可能である。たとえば、弁アンカーは、３つのベース部分及び３つのアンカー固定レッグを含むことが可能である。アンカー固定レッグのそれぞれは、それぞれのベース部分と相互接続され、それぞれのベース部分同士の間に交互に間置され得る。アンカー固定レッグの第１の端部セクションは、ベース部分のそれぞれの第１の端部セクションと相互接続され得る。さらに、アンカー固定レッグの第２の端部セクションは、係合メカニズムを使用して送達システムに解放可能に連結可能であり得、一方、Ｕ字形状の部材（又は、ベース部分）の第２の端部セクションは、アンカー固定レッグの第２の端部セクションから独立して移動することが可能である（すなわち、アンカー固定レッグの第２の端部セクションは、送達システムに連結され得、Ｕ字形状の部材のベース部分は、アンカー固定レッグの係合されている第２の端部セクションに対して膨張することが可能である）。
【００１４】
随意的に、いくつかの実施例では、Ｕ字形状の部材の第２の端部セクション又はベース部分は、シースを使用して、圧縮された構成で維持され得る。たとえば、シースは、弁アンカーの上方にスライド可能に位置決めされ得、弁アンカーのＵ字形状の部材がアンカー固定レッグに対して膨張することを許容するために後退可能であり得る。その後に、臨床医は、Ｕ字形状の部材のベース部分を自然の弁構造体に対して適切な位置へと操縦することが可能である。ベース部分が自然の弁構造体に対して（たとえば、所望の最終的な位置に）適正に位置決めされると、アンカー固定レッグは解除され得、それによって、弁アンカーが完全に膨張すること及び送達システムから解放されることを許容する。弁アンカーが自然の弁構造体に対して着座又は位置決めされると、サポート・フレームは、弁アンカーのルーメンの中を長手方向に位置決めされ、膨張させられ、解放され、弁アンカーと係合した状態になることが可能である。送達システム、弁アンカー、並びに、弁プロテーゼを組み立てる及び送達する方法の他の特徴及びステップが、本明細書でさらに議論されている。
【００１５】
いくつかの実施例によれば、係合メカニズムは、ピン・アッセンブリを含むことが可能である。ピン・アッセンブリは、（ｉ）現在の近位セクション及び遠位セクションを有するチューブ状コンポーネントと、（ｉｉ）遠位セクションに連結されている少なくとも１つのピンとを含むことが可能である。ピンは、遠位セクションから近位セクションに向けて近位に延在することが可能であり、チューブ状コンポーネントから半径方向に間隔を離して配置され得る。
【００１６】
いくつかの実施例では、ロック・コンポーネントは、（ｉ）チューブ状コンポーネント遠位セクションの近位に少なくとも１つのロック・アパーチャーを含むことが可能であり、（ｉｉ）少なくとも１つのピンがそれを通って延在することを許容するように構成され得る。
【００１７】
随意的に、弁アンカーは、少なくとも１つのアンカー固定レッグを含むことが可能である。アンカー固定レッグは、接続アパーチャーを備えたカップリング部分を有することが可能であり、接続アパーチャーは、カップリング部分を通して配設されており、係合メカニズムがアンカー固定レッグに係合することを許容する。
【００１８】
たとえば、係合された構成において、チューブ状コンポーネント遠位セクションは、ロック・コンポーネントから第１の距離において軸線方向に間隔を離して配置され得、少なくとも１つのピンがアンカー固定レッグの接続アパーチャー及びロック・コンポーネント・ロック・アパーチャーを通って延在し、弁アンカー・レッグを係合メカニズムと相互接続することを許容する。したがって、係合された位置において、アンカー固定レッグは、ピンと係合され得、チューブ状コンポーネント遠位セクションとロック・コンポーネントとの間に間置され得る。解放された構成において、チューブ状コンポーネント遠位セクションは、ロック・コンポーネントから第１の距離よりも大きい第２の距離において軸線方向に間隔を離して配置され得、少なくとも１つのピンをロック・アパーチャーの外側に位置決めし又は解放し、アンカー固定レッグが少なくとも１つのピンから解除することを許容する。
【００１９】
いくつかの実施例によれば、被検者の血管の中のターゲット場所へ弁プロテーゼを送達するための方法は、血管の中へ送達システムを導入し、ターゲット場所に弁アンカーを位置決めすることを含むことが可能である。送達システムのシースは、近位に後退させられ得、自然の弁構造体に対して弁アンカーを位置決めするために、弁アンカーのＵ字形状の部材がターゲット場所において膨張することを許容する。Ｕ字形状の部材のベース部分がそれぞれの弁洞の中に係合又は着座させられると、たとえば、弁アンカーのアンカー固定レッグが解放され得、弁アンカーが自然の弁構造体の中に完全に膨張することを許容する。その後に、弁プロテーゼのサポート・フレームは、弁アンカーのルーメンの中に位置決めされ、膨張させられ、弁アンカーと係合され得る。送達システムは、その後に、患者から除去され得る。
【００２０】
随意的に、弁アンカーは、送達システムの係合メカニズムを解除することによって解放され得る。たとえば、係合メカニズムは、弁アンカーの１つ又は複数のアンカー固定レッグと係合するピン・アッセンブリを含むことが可能である。ピン・アッセンブリは、ロック・ピン・キャリアを含むことが可能であり、ロック・ピン・キャリアは、複数のピンに連結されている。係合メカニズムを解除するために、ロック・ピン・キャリアは、ロック・アクティベーターによって接触され得、アンカー固定レッグに対してロック・ピン・キャリアを移動させるようになっており、アンカー固定レッグとの係合から外れるようにピンをスライドさせるようになっている。ロック・ピン・キャリアは、送達システムのコア部材に沿って及びそれに対してスライドすることが可能である。
【００２１】
いくつかの実施例では、送達システムは、係合エリア及び複数のアパーチャーを有するノーズ・コーンを含むことが可能であり、ピンは、複数のアパーチャーを通って延在することが可能であり、弁アンカーのアンカー固定レッグが係合エリアの中に係合及び抑制されることを許容する。
【００２２】
随意的に、ロック・ピン・キャリアは、ノーズ・コーンのキャビティーの中に少なくとも部分的に配設され得、係合エリアの中へ又は係合エリアから外へピンを移動させるために、その中をスライドすることが可能である。たとえば、ロック・アクティベーターがロック・ピン・キャリアに接触するときに、ロック・ピン・キャリアは、ノーズ・コーンの係合エリアに対して遠位に前進させられ得、それによって、係合エリアからピンを引き出し、弁アンカーのアンカー固定レッグからピンを解除する。
【００２３】
したがって、係合メカニズムの移動が弁アンカーのアンカー固定レッグからの送達システムの解除を引き起こすことが可能であり、それによって、送達システムからの弁アンカーの解放を許容する、さまざまな実施例が提供され得る。
【００２４】
本デバイス及び方法などの追加的な実施例は、以下の説明、図面、実例、及び特許請求の範囲から明らかになることとなる。先述の及び以下の説明から認識され得るように、本明細書で説明されているそれぞれの及びすべての特徴、並びに、そのような特徴の２つ以上のそれぞれの及びすべての組み合わせが、そのような組み合わせの中に含まれる特徴が相互に矛盾しないという条件で、本開示の範囲の中に含まれている。加えて、任意の特徴又は特徴の組み合わせは、具体的には、本開示の任意の実施例から除外又は省略され得る。本開示の追加的な態様及び利点は、とりわけ、添付の実例及び図面とともに考慮されるときに、以下の説明及び特許請求の範囲の中に記述されている。
【００２５】
主題の技術の追加的な特徴及び利点は、下記の説明の中に記述されることとなり、また、部分的に説明から明らかになることとなり、又は、主題の技術の実践から学習され得る。主題の技術の利点は、とりわけ、書面による説明及びその実施例、並びに、添付の図面の中で指摘されている構造体によって現実化及び取得されることとなる。
【００２６】
本開示の中で議論されている弁プロテーゼ、送達デバイス、作動ハンドル、他のデバイス、システム、及び方法とともに実装され得る、弁プロテーゼ、送達デバイス、作動ハンドル、他のデバイス、システム、及び方法の特定の特徴は、たとえば、Ｊｉ  Ｚｈａｎｇ、Ｂｒａｎｄｏｎ  Ｇ．  Ｗａｌｓｈ、Ｃｈｅｎｇ  Ｙｏｎｇ  Ｙａｎｇ、Ｊｉｎｈｕａ  Ｚｈｕ、及びＤｅｎｎｉｓ  Ｍｉｃｈａｅｌ  ＭｃＭａｈｏｎによって２０１９年１月４日に出願された「ＨＥＡＲＴ  ＶＡＬＶＥ  ＰＲＯＳＴＨＥＳＩＳ」という表題の国際出願第      号（整理番号：１２２２７１−５０４４）、並びに、Ｊｉ  Ｚｈａｎｇ、Ｂｒａｎｄｏｎ  Ｇ．  Ｗａｌｓｈ、及びＣｈｅｎｇ  Ｙｏｎｇ  Ｙａｎｇによって２０１９年１月４日に出願された「ＰＲＯＳＴＨＥＴＩＣ  ＨＥＡＲＴ  ＶＡＬＶＥ  ＤＥＬＩＶＥＲＹ  ＳＹＳＴＥＭ」という表題の国際出願第      号（整理番号：１２２２７１−５０４８）に説明されている弁プロテーゼ、送達デバイス、作動ハンドル、他のデバイス、システム、及び方法の他の特徴を実装することが可能であり、及び／又は、それらと組み合わせて使用され得、それらの文献のそれぞれの全体は、参照により本明細書に組み込まれている。
【００２７】
先述の一般的な説明及び以下の詳細な説明の両方は、例示的で説明的なものであり、主題の技術のさらなる説明を提供することが意図されているということが理解されるべきである。
【００２８】
以下の図は、本開示の特定の態様を図示するために含まれており、排他的な実施例として見られるべきではない。開示されている主題は、本開示の範囲から逸脱することなく、かなりの修正例、代替例、組み合わせ、並びに、形態及び機能における均等物ができる。
【図面の簡単な説明】
【００２９】
【図１】いくつかの実施例による、人間の心臓の断面図、及び、とりわけ、心臓の自然の弁構造体の中への大動脈弁プロテーゼの植え込みを図示する図である。
【図２】いくつかの実施例による、膨張可能な弁アンカーに解放可能に係合するための係合メカニズムを使用する、半径方向に膨張可能な弁アンカー及びサポート・フレームを含む弁プロテーゼを送達するための送達構成における送達システムを図示する図である。
【図３Ａ】いくつかの実施例による、図２の送達システムの弁アンカーのノーズ・コーンの説明図である。
【図３Ｂ】いくつかの実施例による、図３の弁のノーズ・コーンの断面図である。
【図４Ａ】いくつかの実施例による、図２の送達システムのピン・アッセンブリを図示する図である。
【図４Ｂ】いくつかの実施例による、代替的なピン・アッセンブリを図示する図である。
【図５Ａ】いくつかの実施例による、図２の送達システムのプッシャー・コンポーネントを図示する図である。
【図５Ｂ】いくつかの実施例による代替的なプッシャー・コンポーネントを図示する図である。
【図６Ａ】いくつかの実施例による、図２の送達システムのシースの中にコンパクトな状態で収納されているサポート・フレーム及び弁アンカーを図示する図である。
【図６Ｂ】いくつかの実施例による、シースから部分的に解放されており、解放前の構成になっている係合メカニズムと係合されている、膨張された構成における弁アンカーを図示する図である。
【図６Ｃ】いくつかの実施例による、係合デバイスからの弁アンカーの解除を開始させるための、係合メカニズムのサポート・フレーム及びプッシャー・コンポーネントの遠位前進を図示する図である。
【図６Ｄ】いくつかの実施例による、送達システムのシースからのサポート・フレームの解放の前の、解放された構成における弁アンカー及び係合メカニズムを図示する図である。
【図６Ｅ】いくつかの実施例による、弁プロテーゼが膨張を始めることを許容するために、シースが近位に後退させられていることを図示する図である。
【図６Ｆ】いくつかの実施例による、弁アンカーの中で完全に膨張させられた弁プロテーゼを図示する図である。
【図７Ａ】いくつかの実施例による、弁プロテーゼ送達システムを使用して、大動脈を通して自然の大動脈弁へ弁プロテーゼを送達するための方法の中のステップを図示する図である。
【図７Ｂ】いくつかの実施例による、弁プロテーゼ送達システムを使用して、大動脈を通して自然の大動脈弁へ弁プロテーゼを送達するための方法の中のステップを図示する図である。
【図７Ｃ】いくつかの実施例による、弁プロテーゼ送達システムを使用して、大動脈を通して自然の大動脈弁へ弁プロテーゼを送達するための方法の中のステップを図示する図である。
【図７Ｄ】いくつかの実施例による、弁プロテーゼ送達システムを使用して、大動脈を通して自然の大動脈弁へ弁プロテーゼを送達するための方法の中のステップを図示する図である。
【図７Ｅ】いくつかの実施例による、弁プロテーゼ送達システムを使用して、大動脈を通して自然の大動脈弁へ弁プロテーゼを送達するための方法の中のステップを図示する図である。
【図７Ｆ】いくつかの実施例による、弁プロテーゼ送達システムを使用して、大動脈を通して自然の大動脈弁へ弁プロテーゼを送達するための方法の中のステップを図示する図である。
【発明を実施するための形態】
【００３０】
以下の詳細な説明において、多数の具体的な詳細が、主題の技術の完全な理解を提供するために記述されている。主題の技術は、これらの具体的な詳細のうちのいくつかなしに実践され得るということが理解されるべきである。他の場合には、周知の構造体及び技法は、主題の技術を曖昧にしないために、詳細には示されていない。
【００３１】
さらに、本開示はさまざまな実施例の具体的な詳細を記述しているが、その説明は、単なる例示目的のものに過ぎず、決して限定するものとして解釈されるべきではないということが認識されることとなる。追加的に、本開示の特定の実施例が僧帽弁プロテーゼの文脈において開示又は示されているが、そのような実施例は、他の心臓弁プロテーゼ用途においても使用され得るということが企図される。そのうえ、そのような実施例及びそれに対する修正例（それは、当業者に考え付く可能性がある）のさまざまな用途も、本明細書で説明されている一般的な概念によって包含されている。
【００３２】
すべての心臓弁と同様に、健康な大動脈弁は、血液フローを可能にするために開き、血液逆流を防止するために閉じることとなる。しかし、弁の疾患及び機能障害は、逆流又は血液フローの減少を結果として生じさせる可能性がある。そのようなケースでは、交換弁プロテーゼが、健康な大動脈弁の機能を果たすために使用されなければならない。
【００３３】
しかし、交換弁プロテーゼを提供する際に多数の課題が存在している。たとえば、逆流又は血液フローの減少の問題を克服するために、適切な交換弁プロテーゼが、自然の弁輪などのような自然の弁構造体に対して位置決め及び解放されるときに、自然の弁組織に対する許容可能なシール及びアンカー固定を提供しなければならない。さらに、大動脈弁弁輪のアーキテクチャーは、また、大動脈弁プロテーゼの設計における課題を生成させる。実際に、大動脈弁プロテーゼは、大動脈弁の独自の解剖学的構造体と一致していなければならず、また、機能している心臓の連続的な収縮の存在下においてアンカー固定されたままになっていなければならない。
【００３４】
本開示は、最小侵襲性の外科的技法を使用して大動脈弁プロテーゼを植え込むためのシステム、デバイス、及び方法を説明している。システムは、大動脈弁の複雑な構造体を収容しており、植え込まれた弁プロテーゼが植え込みの後に適切な場所に適正に位置決めされてしっかりと維持されることを保証する。さらに、いくつかの実施例は、また、大動脈弁プロテーゼを含むことが可能である大動脈弁プロテーゼ送達システムを提供する。
【００３５】
弁プロテーゼは、膨張可能な弁アンカーと、弁アンカーに連結され得るサポート・フレームと、サポート・フレームに連結されている複数の弁尖とを含むことが可能である。インプラントは、その内部表面に取り付けられている複数の人工弁尖を有することが可能であり、それは、自然の大動脈弁の機能を模倣することができる。インプラント及び弁アンカーは、疾患のある弁への送達のためのコンパクトな構成と、疾患のある弁輪の中への解放及び植え込みのときの折り畳まれていない構成又は膨張された構成とを有することが可能である。そのうえ、いくつかの実施例では、インプラント及び弁アンカーは、互いに対して位置決めされ、送達の間の弁コンポーネントの直径を最小化することが可能である。
【００３６】
さらに、いくつかの実施例では、インプラントは、弁アンカーに固定して連結されており、弁アンカー及びインプラントの両方の効率的な位置決めを提供することが可能である。たとえば、インプラント及び弁アンカーは、可撓性のエレメントによって接続され得、心臓又は自然の弁構造体の中に弁コンポーネントを解放及び膨張させる前に、インプラント及び弁アンカーが互いに対して長手方向に又は回転方向に変位させられ得るようになっている。さらに、インプラント及び弁アンカーは、コンパクトな状態から膨張された状態へ膨張することが可能であり、いくつかの実施例では、互いに独立して膨張することが可能である。
【００３７】
図１は、人間の心臓の断面図を図示しており、そこでは、大動脈弁プロテーゼが、心臓の自然の弁構造体の中に植え込まれている。心臓１０は、右心房１２、右心室１４、左心室１６、及び左心房１８を含むことが可能である。酸素を使い果たした血液は、上大静脈２０及び下大静脈２２を通って右心房１２に進入する。酸素を使い果たした血液は、右心房から三尖弁２４（三尖弁２４は、右心房１２を右心室１４から分離している）を通して右心室１４の中へポンプ送りされる。次いで、右心室１４は、肺動脈弁２６を通して肺動脈２８の中へ酸素を使い果たした血液をポンプ送りし、肺動脈２８は、酸素を使い果たした血液への酸素移動のために、酸素を使い果たした血液を肺へ方向付ける。その後に、酸素を豊富に含む血液が、肺から肺静脈３０を通して左心房１８へ輸送される。酸素を豊富に含む血液は、左心房１８から僧帽弁３２を通して左心室１６の中へポンプ送りされる。次いで、左心室１６は、酸素を豊富に含む血液を大動脈弁３４を通して大動脈３６の中へポンプ送りする。酸素を豊富に含む血液は、大動脈によって一連の動脈へ運搬され、動脈は、身体の中のさまざまな臓器へ血液を輸送する。
【００３８】
最小侵襲性の経カテーテル・アプローチを介した人工大動脈弁の植え込みは、たとえば、大腿動脈及び大動脈弓を通して左心房の中へ、又は、経中隔パンチによって大腿静脈及び下大静脈を通して達成され得る。左心房と左心室との間の大動脈弁は、経皮的に修復するのに最も困難な弁である可能性がある。その理由は、到達することが困難である可能性があるからである。大動脈弁は、左心室及び僧帽弁を介して到達され得るが、２つのおおよそ１８０°のターンを行わなければならないカテーテルの操作は厄介である。しかし、本明細書で議論されているように、臨床医がこれらの不利益を克服すること、及び、心臓の中のターゲット場所へ人工弁を効果的に送達することを可能にするさまざまな実施例が提供される。
【００３９】
弁プロテーゼのための送達システム
本開示は、好ましくは、最小侵襲性の外科的技法を使用する、弁交換のためのデバイス、システム、及び方法を提供する。システム及び方法は、身体のさまざまな部分の中の複数の異なる血管の中での用途を有することとなるが、それらは、とりわけ、機能不全の心臓弁、及び、とりわけ大動脈弁の交換によく適している。また、システム及び方法は、他の機能不全の心臓弁、たとえば、肺動脈弁又は僧帽弁の中での用途を有することとなる。
【００４０】
本明細書で開示されているシステム及び方法は、より可撓性の人工心臓弁送達システムを提供し、イメージングへの依存が低減された状態での人工心臓弁又は弁プロテーゼの正確な及び精密な設置を保証し、及び弁プロテーゼの追加的なアンカー固定を提供し、弁移動の発生を低減させる、それらの能力においてとりわけ有利である可能性がある。
【００４１】
本明細書で開示されているシステム及び方法の別の利点は、大動脈を通して弁プロテーゼを送達及び植え込む能力であり、大動脈は、下大静脈よりも小さい直径を有しており、それを通して、外科医は、典型的に、心臓にアクセスすることを進める。
【００４２】
また、本開示は、人工心臓弁を植え込むための改善されたシステム及び方法を提供する。とりわけ、改善された最小侵襲性の方法及びシステムは、心臓の中の弁付きの解剖学的部位の中への又はそれに隣接した、伸縮可能な人工心臓弁の逆行性の植え込みのために提供される。とりわけ、本開示の改善された人工心臓弁送達システム及び方法は、弁交換手技においてより多くのフレキシビリティーを提供し、イメージングへの依存が低減された状態での人工心臓弁の正確な及び精密な設置を保証し、人工弁の追加的なアンカー固定を提供し、弁移動又はミスアライメントの発生を低減させる。
【００４３】
本開示のさまざまな実施例は、急なターンを操縦することができる送達システムに関し、送達システムは、コンパクトに構成された弁プロテーゼを含み、弁プロテーゼは、弁アンカーと、弁アンカーに連結され得るサポート・フレームと、弁アンカーに解放可能に係合するための係合メカニズムとを含むことが可能である。送達システム１００の構成において、弁アンカー及びサポート・フレームは、互いに対して同心円状に位置決めされているというよりもむしろ、折り畳まれた構成で直列的に（又は、互いに対して長手方向に間隔を置いて配置されている）ターゲット場所へ送達され、それによって、送達の間の弁プロテーゼの外側プロファイル又は直径、及び、送達システムの外側プロファイル又は直径を最小化する。
【００４４】
ここで、さまざまな実施例が、より完全に以降で説明されることとなる。しかし、そのような実施例は、多くの異なる形態で具現化され得、本明細書で記述されている実施例に限定されるように解釈されるべきではない。むしろ、これらの実施例は、本開示が徹底的で完全なものとなるように、また、その範囲を当業者に完全に伝達することとなるように提供される。したがって、本明細書の実施例の中に示されているか又はその他の方法で開示されている１つ又は複数の特徴は、相互交換可能に使用され得、又は、そのような特徴を明示的に示していない若しくは開示していない可能性のある別の実施例の中へ組み込まれ得る。さらに、本明細書の実施例に関して示されているか又はその他の方法で開示されている１つ又は複数の特徴は、明示的に示されていない限り、当技術分野における技能を使用して、そのような実施例から除外され得る。
【００４５】
したがって、本明細書で説明されている弁プロテーゼ送達システムは、患者の血管及び組織への外傷又は損傷を最小化しながら、心臓への弁プロテーゼの送達を促進させる。本明細書で説明されているさまざまな実施例は、心室によって提示される急なターンを通して弁プロテーゼ送達システムを押すこと及び引っ張ることの両方のための手段を提供する。開示されているシステム及び方法を説明する目的のために、「近位」という用語は、制御ユニットにより近い相対的な位置を表しており、一方、「遠位」という用語は、制御ユニットからより遠くに離れた相対的な位置を表しているということが留意される。
【００４６】
図２は、弁プロテーゼ送達システム１００を図示しており、弁プロテーゼ送達システム１００は、弁プロテーゼ１０５を支持及び送達することが可能である。示されているように、弁プロテーゼ１０５は、サポート・フレーム１０７及び弁アンカー１２０を含むことが可能である。いくつかの実施例によれば、送達システム１００は、コア部材１１０及び係合メカニズム１１５を含むことが可能であり、係合メカニズム１１５は、コア部材１１０に対して弁アンカー１２０を解放可能に係合するように構成され得る。さらに、送達システム１００は、また、シース１５０を含むことが可能であり、シース１５０は、サポート・フレーム１０７及び弁アンカー１２０をカバーするために遠位に延在することが可能である。シース１５０は、ターゲット場所へのシステム１００の送達の間に、サポート・フレーム１０７及び弁アンカー１２０を圧縮された構成に維持することが可能である。ターゲット場所に位置決めされているときに、臨床医は、サポート・フレーム１０７が膨張し始めることを許容するために、シース１５０を近位に後退させることが可能である。その後に、係合メカニズム１１５の追加的な作動、及び、シース１５０のさらなる近位後退は、臨床医がターゲット場所において弁プロテーゼ１０５を解放することを可能にすることができる。
【００４７】
いくつかの実施例では、係合メカニズム１１５は、ピン・アッセンブリ１２５を含むことが可能であり、ピン・アッセンブリ１２５は、コア部材１１０及びロック・コンポーネント１４０にスライド可能に連結されている。一緒に、ピン・アッセンブリ１２５及びロック・コンポーネント１４０は、弁アンカー１２０の１つ又は複数の構造体に係合することが可能であり、また、臨床医によって解放されるときに、弁アンカー１２０から解除することが可能であり、弁アンカー１２０が完全に膨張すること又はターゲット場所において解放されることを許容する。このように、臨床医は、送達システム１００からの弁アンカー１２０の解放を精密に制御することが可能である。
【００４８】
図２に図示されているように、弁アンカー１２０は、弁プロテーゼ１０５のサポート・フレーム１０７とともに直列的に位置決めされ得る。サポート・フレーム１０７及び弁アンカー１２０の両方は、形状記憶材料から作製され得、それらが、たとえば、動脈及び静脈を通した送達を可能にする半径まで圧縮され得るようになっており、次いで、所望の位置における弁プロテーゼ１０５の膨張及び設置の必要に応じて膨張させられ得るようになっている。
【００４９】
したがって、サポート・フレーム１０７及び／又は弁アンカー１２０は、随意的に、バルーン膨張可能であるか、又は、バルーンを使用してさらに膨張可能であり得るが、図２に図示されている実施例は、シース１５０がフレーム１０７又は弁アンカー１２０のそれぞれ１つに長手方向にオーバーラップしない位置まで、シース１５０が近位に後退させられるときに、サポート・フレーム１０７又は弁アンカー１２０が自己膨張するように構成されている。
【００５０】
たとえば、サポート・フレーム１０７及び／又は弁アンカー１２０は、図２に示されているように、編組フレーム、ワイヤー・フレーム、又はレーザー・カット・フレームを含むことが可能である。いくつかの実施例では、サポート・フレーム１０７及び／又は弁アンカー１２０は、形状記憶金属を含むことが可能であり、形状記憶金属は、指定された温度若しくは温度範囲において、又は、応力を誘発させることによって、形状を変化させることが可能である。代替的に、自己膨張するフレームは、スプリング−バイアスを有するフレームを含むことが可能である。サポート・フレーム１０７及び／又は弁アンカー１２０のいずれかが製作されている材料は、サポート・フレーム１０７及び／又は弁アンカー１２０が展開されたときにその機能的なサイズ及び形状まで自動的に膨張することを可能にすることができ、しかし、サポート・フレーム１０７及び／又は弁アンカー１２０が患者の血管系を通した送達のためにより小さいプロファイルへと半径方向に圧縮されることを可能にする。本明細書で説明されている自己膨張するコンポーネント（たとえば、サポート・フレーム、弁アンカー、ロッキング部材）のための適切な材料の実例は、それに限定されないが、医療用グレードのステンレス鋼、チタン、ニッケルチタン合金、タンタル、プラチナ合金、ニオブ合金、コバルト合金、アルギン酸塩、又は、それらの組み合わせを含む。ニッケル及びチタンの比率から一般的に作製される超弾性的な特性を有する形状記憶合金（一般に、ニチノールとして知られる）が、好適な材料である。いくつかの実施例では、本明細書で説明されている自己膨張するコンポーネントは、それに限定されないが、身体の中で不活性である、形状記憶プラスチック、ポリマー、及び熱可塑性の材料を含む、材料を含むことが可能である。代替的な実施例では、サポート・フレーム１０７及び／又は弁アンカー１２０のいずれかは、自己膨張するものではなく、たとえば、当技術分野でよく知られているようなバルーン・カテーテルを使用して膨張させられ得る。
【００５１】
いくつかの実施例では、弁アンカー１２０は、サポート・フレーム１０７に移動可能に連結され得、弁アンカー１２０が、サポート・フレーム１０７との同心円状の位置から、サポート・フレーム１０７からの近位位置又は遠位位置へ移動させられ得るようになっている。弁プロテーゼ１０５の送達の間に、弁アンカー１２０をサポート・フレーム１０７から直列的に位置決めさせるということが有利である。これは、システムの半径が最小化されることを許容し、したがって、小さい直径の血管、たとえば、動脈及び静脈を通して、システムが前進させられることを可能にする。弁アンカー１２０がサポート・フレーム１０７から直列的に変位させられ得る距離は可変であり、送達手技の間に、弁アンカー１２０がサポート・フレーム１０７に隣接しているか、又は、潜在的にサポート・フレーム１０７から数インチ離れていることが可能であるようになっている。いくつかの実施例では、弁アンカー１２０は、たとえば、溶接又はその他の方法の接着によって、サポート・フレームに物理的に固定されている。
【００５２】
送達システム１００は、心臓弁プロテーゼのコンポーネントが、依然として互いに移動可能に接続されているか、移動可能に取り付けられているか、固定して接続されているか、変位可能に接続されているか、リンク接続されているか、又は連結されている状態で、直列に前進させられることとなるように構成され得、それによって、送達システムの通過するプロファイル又は断面を最小化する。心臓弁プロテーゼのコンポーネントの相互接続は、異なる程度の運動を可能にすることができ、限られた範囲の運動を提供する係合された位置又は保たれた位置へと設定され得る。いくつかの実施例では、係合された位置は、心臓弁プロテーゼのコンポーネントの事前設定された相対的な位置決めを提供し、心臓弁プロテーゼの適正な設置及び解放を促進させることが可能である。追加的に、いくつかの実施例は、高度の制御を臨床医に提供することが可能であり、ターゲット場所に心臓弁プロテーゼを植え込むときに、心臓弁プロテーゼの操縦性を強化することが可能である。
【００５３】
いくつかの実施例では、弁アンカー１２０は、送達及び膨張の前に、サポート・フレーム１０７がコンパクトな構成になっているときに、サポート・フレーム１０７に連結され得る。いくつかの実施例では、弁アンカー１２０は、サポート・フレーム１０７に固定されていない。さらに、弁アンカー１２０は、サポート・フレーム１０７から分離していることが可能であり、又は、サポート・フレーム１０７から別個に形成され、後に、サポート・フレーム１０７に連結され得る。したがって、弁アンカーの少なくとも一部分、たとえば、アンカー固定レッグは、サポート・フレームと接触しているか、又は、サポート・フレームにその他の方法で可逆的に取り付けられるか若しくは接続され得るが、弁アンカーのどの部分も、サポート・フレームに固定されておらず、たとえば、溶接されておらず、又は、その他の方法で不可逆的に接着されていない。代替的に述べると、弁アンカーは、サポート・フレームと接触しているか、又は、サポート・フレームにその他の方法で可逆的に取り付けられ得、弁アンカーは、サポート・フレームに不可逆的に固定されていない。
【００５４】
さらに、ターゲット場所に到達すると、弁アンカー１２０が初期に膨張させられるときに、弁アンカー１２０全体がサポート・フレーム１０７から半径方向に変位させられることを防止する様式で、弁アンカー１２０は、サポート・フレーム１０７に移動可能に連結され得る。たとえば、ターゲット場所において自然の弁構造体に対する弁アンカー１２０の初期の「ランディング」の間に、弁アンカー１２０の一部分は、サポート・フレームから半径方向に変位させられ得る。いくつかの実施例では、サポート・フレーム１０７は、自然の心臓弁構造体の中に展開又は膨張させられ得、弁アンカー１２０は、サポート・フレームと自然の弁組織との間に挟まれることになり、（たとえば、図７Ｅ及び図７Ｆに示されているように）少なくとも部分的に（場合によっては、完全に）固定化されることになることが可能である。弁アンカー１２０は、膨張させられたサポート・フレーム１０７を自然の弁構造体の中の適切な場所に保持するように機能することが可能である。
【００５５】
いくつかの実施例では、弁アンカー１２０は、少なくとも１つのＵ字形状の部材、アンカー固定部材、弁クラスパー、洞ロケーター、弁ポジショナー、又は弁ハンガー１２６、及び少なくとも１つのアンカー固定レッグ１２２を含むことが可能である。Ｕ字形状の部材１２６及びアンカー固定レッグ１２２は、弁アンカー１２０の長手方向軸線に沿って延在することが可能である。図２に図示されているように、弁アンカー１２０は、複数のＵ字形状の部材１２６、たとえば、３つのＵ字形状の部材１２６などを含むことが可能であり、しかし、より少なく又はより多くを有することも可能である。
【００５６】
Ｕ字形状の部材１２６は、弁アンカー１２０のピーク部分又は頂点１２８において、アンカー固定レッグ１２２に連結され得る。さらに、隣接するＵ字形状の部材１２６は、それぞれの頂点１２８において互いに連結され得る。Ｕ字形状の部材１２６は、第１及び第２のレッグ１４６、１４８をそれぞれ含むことが可能であり、第１及び第２のレッグ１４６、１４８は、そのベース部分１４４において出会うか又は接合している。Ｕ字形状の部材１２６のベース部分１４４は、自然の大動脈弁の後大動脈洞、左大動脈洞、及び右大動脈洞と係合するように、又は、その内側にフィットするように構成され得る。隣接するＵ字形状の部材１２６の第１及び第２のレッグ１４６、１４８は、そのピーク部分１２８において相互接続され得る。
【００５７】
ここで図２及び図６Ａ〜図６Ｆを参照すると、弁アンカー１２０は、少なくとも１つのアンカー固定レッグ１２２を含むことが可能である。アンカー固定レッグ１２２は、コネクター又は接続アパーチャー１２７を有するカップリング部分１２４を含むことが可能である。コネクターは、カップリング部分１２４を通って延在するスロット又は孔部などのような構造体を含むことが可能である。
【００５８】
いくつかの実施例では、弁アンカー１２０のアンカー固定レッグ１２２は、サポート・フレーム１０７の長手方向軸線に対しておおよそ平行に位置決めされており、頂点１２８においてＵ字形状の部材１２６に取り付けられている。本明細書で使用されているように、頂点１２８は、Ｕ字形状の部材１２６がアンカー固定レッグ１２２と接合する最頂点であることが可能である。いくつかの実施例では、２つのＵ字形状の部材１２６は、最頂点又は頂点１２８においてアンカー固定レッグ１２２に接合するように湾曲することが可能である。いくつかの実施例では、弁アンカー１２０の最頂点は、２つのアンカー固定レッグ１２２が互いに対しておおよそ平行に延在するように構成され得る。いくつかの実施例では、弁アンカー１２０は、少なくとも２つのＵ字形状の部材１２６及び２つのアンカー固定レッグ１２２を含む。
【００５９】
２つのアンカー固定レッグ１２２の第１の端部又は近位端部のそれぞれは、Ｕ字形状の部材１２６に接合され得る。追加的な実施例では、図２に図示されているように、アンカー固定レッグ１２２のうちの１つ又は複数の第２の端部又は遠位端部は、カップリング部分１２４の中に終端している。すなわち、弁アンカー１２０のカップリング部分１２４は、弁アンカー・アンカー固定レッグ１２２の端部部分に位置決めされている。カップリング部分１２４は、ニチノールなどのような形状記憶合金から作製され得る。いくつかの適用例に関して、カップリング部分１２４は、弁プロテーゼ１０５の長手方向軸線に対して平行に配向され得、一方、他の適用例に関して、カップリング部分１２４は、長手方向軸線に対して所定の角度を形成するように配向され得る。
【００６０】
たとえば、カップリング部分１２４は、コンパクトな位置において、及び／又は、弁プロテーゼ１０５がシース１５０の中に入れられているときに、サポート・フレーム１０７の長手方向軸線に対しておおよそ平行になっていることが可能である。代替的に、図２に図示されているように、カップリング部分１２４は、弁プロテーゼ１０５が膨張した条件になっているときに、弁プロテーゼ１０５又はアンカー固定レッグ１２２の長手方向軸線に対して所定の角度を形成することが可能である。ディテントは、弁プロテーゼ１０５が自然の弁の中に膨張させられた後に、弁アンカー１２０をサポート・フレーム１０７に固定することを助けることが可能である。
【００６１】
Ｕ字形状の部材１２６の２つのアンカー固定レッグ１２２を接合するベース部分１４４の形状は、Ｕ字形状のもの又は丸みを帯びたものに限定されないということが当業者によって認識されることとなる。ベース部分１４４は、それに限定されないが、長方形、正方形、ダイヤモンド、三角形、楕円形、円形、又は、これらの形状の組み合わせを含む、他の形状を有することも可能である。ベース部分１４４は、それが自然の弁尖１９０の交連に係合すること及び／又は自然の弁尖１９０の交連に隣接して置かれることを可能にする任意の形状のものであることが可能である。
【００６２】
いくつかの実施例では、弁アンカー１２０は、サポート・フレーム１０７に連結されている複数のＵ字形状の部材１２６を含むことが可能である。すなわち、送達システム１００は、異なる弁交換手技に対処するために、又は、交換されることとなる自然の弁の解剖学的構造体にしたがって、それに限定されないが、２つの、３つの、４つの、５つの、又はそれ以上の複数のＵ字形状の部材１２６を含むことが可能である。図に開示されているさまざまな実施例では、弁プロテーゼの中の複数のＵ字形状の部材１２６の数は、３つである。
【００６３】
追加的に、いくつかの実施例によれば、弁プロテーゼ１０５は、サポート・フレーム１０７が弁アンカー１２０に連結されるように構成され得る。たとえば、弁プロテーゼ１０５は、少なくとも１つの縫合糸１７０を含むことが可能であり、少なくとも１つの縫合糸１７０は、サポート・フレーム１０７を弁アンカーに連結する。いくつかの実施例では、サポート・フレーム１０７の遠位端部部分は、縫合糸１７０を介して弁アンカー１２０に連結され得る。弁アンカー１２０に取り付けられる縫合糸１７０の部分は、弁アンカー１２０のアンカー固定レッグ１２２に連結され得る。いくつかの実施例によれば、アンカー固定レッグ１２２は、アンカー固定レッグの長さに沿って延在する長手方向のスロット１２３を含むことが可能である。縫合糸１７０は、スロット１２３の中へループになることが可能であり、アンカー固定レッグ１２２と連結され得る。これは、本明細書でさらに議論されているように、弁プロテーゼ１０５の膨張の間に、縫合糸１７０がスロット１２３の長さに沿ってスライドすることを可能にすることができる。
【００６４】
図３Ａ及び図３Ｂは、図２の弁アンカー送達システム１００のノーズ・コーン１５６の実施例の斜視図及び断面図の図示である。図２、図３Ａ、及び図３Ｂに図示されているように、送達システム１００は、その遠位端部においてノーズ・コーン１５６を含むことが可能である。ノーズ・コーン１５６は、ノーズ・コーン１５６の遠位端部に向けてテーパーのついた実質的にチューブ状及び／又は円錐状のプロファイルを有することが可能である。さらに、ノーズ・コーン１５６は、ロック・コンポーネント１４０及びキャビティー１４１を含むことが可能である。いくつかの実施例では、ノーズ・コーン１５６は、係合メカニズム１１５の一部として相互作用することが可能であり、ロック・コンポーネント１４０及びピン・アッセンブリ１２５が弁アンカー１２０に係合することを許容する。
【００６５】
いくつかの実施例によれば、ノーズ・コーン１５６は、弁シース１５０の遠位端部に連結されるように、又は、弁シース１５０の遠位端部と嵌合するように構成され得、ノーズ・コーン１５６とシース１５０との間の送達システム１００の外側表面に沿って任意の継ぎ目を低減させるようになっている。ノーズ・コーン１５６とシース１５０との間の嵌合係合は、それによって、送達システム１００の滑らかで連続的な外側表面を提供することが可能である。
【００６６】
たとえば、ノーズ・コーン１５６は、半径方向の窪み部１５４を含むことが可能であり、弁シース１５０の遠位端部は、送達構成において、半径方向の窪み部１５４に対抗して位置決めされ得る。半径方向の窪み部１５４は、ノーズ・コーン１５６の少なくとも一部分（ロック・コンポーネント１４０を含む）が弁シース１５０のルーメン１５２の中へ挿入されることを許容し、ノーズ・コーン１５６を弁シース１５０に取り外し可能に連結することが可能である。半径方向の窪み部１５４は、概して円錐状のプロファイルを有するものとして図示されているが、半径方向の窪み部１５４は、また、ステップ付きのプロファイルを含むことが可能であり、ステップ付きのプロファイルにおいて、ノーズ・コーン１５６の外径は、シース１５０の外径におおよそ等しい直径から、シース１５０の内径におおよそ等しい直径へ逓減している。このように、ノーズ・コーン１５６は、シース・ルーメンの内側にフィットすることが可能であり、また、両方が共通の又はおおよそ等しい外径を有する状態で、シース１５０と係合することが可能である。
【００６７】
いくつかの実施例では、ロック・コンポーネント１４０は、ノーズ・コーン１５６と一体的に形成され得る。しかし、いくつかの実施例では、図３Ａ及び図３Ｂに図示されているように、ノーズ・コーン１５６は、遠位コーン・コンポーネント１５７及びロック・コンポーネント１４０を含む、コンポーネントのアッセンブリであることが可能である。ロック・コンポーネント１４０は、アパーチャー１５８を含むことが可能であり、ピン・アッセンブリは、下記に議論されているように、プッシャー・コンポーネントによって、アパーチャー１５８を通して係合又は移動させられ得る。
【００６８】
たとえば、図３Ｂに図示されているように、遠位コーン・コンポーネント１５７の近位端部部分は、溶接、摩擦係合、又は他の接着剤手段によって、ロック・コンポーネント１４０の遠位端部部分と連結され得る。さらに、遠位コーン・コンポーネント１５７及びロック・コンポーネント１４０は、集合的にキャビティー１４１を形成することが可能である。いくつかの実施例では、遠位コーン・コンポーネント１５７及びロック・コンポーネント１４０の両方は、遠位コーン・コンポーネント１５７及びロック・コンポーネント１４０が一緒に連結されているときに、キャビティー１４１を形成するように組み合わせられる内側キャビティーを含むことが可能である。本明細書でさらに議論されているように、キャビティー１４１は、所定の体積を提供することが可能であり、所定の体積の中で、係合メカニズムのピン・アッセンブリ１２５が往復運動することが可能である。
【００６９】
ノーズ・コーン１５６は、ノーズ・コーンの長手方向軸線に沿って中央に延在するチャネル又は通路１５５をさらに含むことが可能である。チャネル１５５は、サポート・フレーム１０７及び弁アンカー１２０の対応する運動を引き起こすために、コア部材が長手方向軸線に沿って近位に及び遠位に往復運動するときに、コア部材１１０を受け入れるように構成され得る。
【００７０】
いくつかの実施例によれば、ロック・コンポーネント１４０は、少なくとも１つのロック・アパーチャー１４５を含むことが可能である。ロック・アパーチャー１４５は、キャビティー１４１の近位に配設され得る。いくつかの実施例では、ピン・アッセンブリ１２５は、複数のピン１３５を含むことが可能であり、ロック・コンポーネント１４０は、複数のロック・アパーチャー１４５を含むことが可能であり、複数のロック・アパーチャー１４５は、複数のピン１３５のうちの１つにそれぞれ対応している。
【００７１】
さらに、図示されているように、ロック・コンポーネント１４０は、近位フランジ１４７と遠位フランジ１４９との間に間置された係合領域１４３を含むことが可能である。ロック・アパーチャー１４５は、近位フランジ１４７及び遠位フランジ１４９の両方を通って延在することが可能である。遠位フランジ１４９を通って延在するロック・アパーチャー１４５は、キャビティー１４１の中へ延在することが可能である。したがって、ピン・アッセンブリ１２５から延在するピンは、遠位フランジ１４９を通過し、係合領域１４３を横切って延在し、近位フランジ１４７を通過することが可能である。したがって、本明細書でさらに図示及び議論されているように、ピン・アッセンブリ１２５のピンは、遠位フランジ１４９及び近位フランジ１４７を通って延在するロック・アパーチャー１４５によって半径方向に拘束され得、係合領域１４３の中へ延在する弁アンカー１２０の一部分と係合することが可能である。
【００７２】
たとえば、図６Ａ〜図６Ｆに図示されているように、ピン・アッセンブリ１２５は、係合された構成（図６Ａ〜図６Ｃに示されている）と解除された構成（図６Ｄ〜図６Ｆに示されている）との間で、キャビティー１４１の中を往復運動することが可能である。ピン・アッセンブリ１２５が係合された構成から解除された構成へ移動するときには、ピン・アッセンブリ１２５のピン１３５は、ロック・コンポーネント１４０のロック・アパーチャー１４５との係合から外れるようにスライドすることが可能である。そうであるので、ピン１３５は、係合領域１４３から外へ遠位に前進させられ得、キャビティー１４１及び遠位フランジ１４９の中へ受け入れられ得、したがって、弁アンカー１２０を解除し、弁アンカー１２０が係合領域１４３から外へ膨張することを許容する。
【００７３】
図６Ａ〜図６Ｃに図示されているように、ピン・アッセンブリ１２５及びロック・コンポーネント１４０は、係合された構成で弁アンカー１２０に係合することが可能である。したがって、弁アンカー１２０のＵ字形状の部材が半径方向に膨張することを許容するために、シース１５０が近位に引き出された後に、弁アンカー１２０は、送達システム１００と係合されたままになっており、それによって、臨床医が弁アンカー１２０のＵ字形状の部材を自然の弁構造体に対して所望の位置へと回転させ、再位置決めし、又は、その他の方法で操縦することを可能にする。
【００７４】
図４Ａ及び図４Ｂは、いくつかの実施例による、ピン・アッセンブリ１２５及び代替的なピン・アッセンブリ１２５’を図示しており、そのいずれかは、図２の送達システム１００とともに使用され得る。図４Ａに示されている実施例に図示されているように、ピン・アッセンブリ１２５は、近位セクション１３２及び遠位セクション１３４を有するチューブ状コンポーネント１３０を含むことが可能である。さらに、両方のピン・アッセンブリ１２５、１２５’は、ピストン部材１３６などのような環状コンポーネントと、環状コンポーネント又はピストン部材１３６に連結されている少なくとも１つのピン１３５とを含むことが可能である。環状コンポーネントは、コア部材１１０に連結されてコア部材１１０を少なくとも部分的に取り囲むことができる、ディスク、シリンダー、トーラス、又はその他の形状を有することが可能である。また、ピン・アッセンブリ１２５は、チューブ状コンポーネント１３０の遠位セクション１３４がピストン部材１３６に連結されるように構成され得る。代替的なピン・アッセンブリ１２５’は、チューブ状コンポーネント１３０が存在していないことを除いて、すべての点において図４Ａのピン・アッセンブリ１２５と同一になっていることが可能である。
【００７５】
ピン・アッセンブリ１２５、１２５’は、送達システム１００のコア部材１１０に沿ってスライドすることが可能である。たとえば、コア部材１１０は、ピン・アッセンブリ１２５のルーメン１３３を通って延在するように構成され得る。ルーメン１３３は、チューブ状コンポーネント１３０及びピストン部材１３６の両方を通って延在することが可能である。
【００７６】
ピン・アッセンブリ１２５の利点は、チューブ状コンポーネント１３０の存在にある可能性があり、チューブ状コンポーネント１３０は、使用の間に送達システム１００の長手方向軸線に対するピストン部材１３６及びピン１３５の軸線方向のアライメントを維持することを支援することが可能である。しかし、ピン・アッセンブリのいずれかの実施例において、ピストン部材１３６を通るルーメン１３３の長手方向の延在は、コア部材１１０に対するピストン部材１３６のミスアライメント又はぐらつきを防止するために十分な長さのものであることが可能である。したがって、両方のピン・アッセンブリ１２５、１２５’は、有利には、コア部材１１０に対しておおよそ平行のアライメントでピン１３５を維持することが可能である。このように、ピン１３５は、ロック・コンポーネント１４０のロック・アパーチャー１４５との係合から外れるように滑らかにスライドすることが可能である。さらに、ピン１３５の近位端部は、係合領域１４３を通って十分に遠位に前進させられ得、弁アンカー１２０がそこから解除することを許容するようになっている。したがって、いくつかの実施例では、ピン１３５は係合領域１４３の中へ延在し続けることが可能であるが、弁アンカー１２０は、そこから解除することが可能であり得る。しかし、いくつかの実施例では、ピン１３５の近位端部は、ロック・アパーチャー１４５の中へ完全に受け入れられ得、ピン１３５が、解除された構成において係合領域１４３の中へ延在しないようになっている。
【００７７】
１つ又は２つのピン１３５だけが使用され得るが、図示されている実施例は、使用されることとなる３つのピン１３５を提供している。ピン１３５は、ピストン部材１３６から近位に延在しており、チューブ状コンポーネント１３０から半径方向に間隔を離して配置され得る。
【００７８】
随意的に、いくつかの実施例では、ピストン部材１３６は、互いに連結されている２つのプレート又はディスクを含むことが可能である。そのような実施例では、ピン１３５は、近位プレートを通って延在するように位置決めされ得、ピン１３５の遠位端部部分がピストン部材１３６の近位プレートと遠位プレートとの間に挟まれた状態になっており、それによって、ピン１３５の遠位端部部分をそれらの間に係合させている。
【００７９】
たとえば、ピン１３５の遠位端部部分は、図６Ａ〜図６Ｆに図示されているように、角度を付けて曲げられ得、２つのピストン部材１３６のうちの少なくとも１つは、その中に形成された溝部を有しており、ピストン部材１３６の近位プレート及び遠位プレートが一緒に連結されているときに、ピン・アッセンブリ１２５に対して固定された位置に、ピン１３５の曲げられた遠位端部部分を収容及び保持することが可能である。しかし、代替的に、ピンは、ピストン部材１３６に溶接されるか、機械的に締結されるか、又は、その他の方法で接着剤によって連結され得る。したがって、ピストン部材１３６及びピン１３５は、本明細書で議論されているように、係合された位置と解除された位置との間で、ユニットとして、コア部材１１０に沿ってスライドすることが可能である。
【００８０】
図５Ａ及び図５Ｂは、いくつかの実施例によるプッシャー・コンポーネント１６５及び代替的なプッシャー・コンポーネント１６５’を図示しており、そのいずれかは、図２の送達システム１００とともに使用され得る。いくつかの実施例では、プッシャー・コンポーネント１６５は、図４Ａに示されているピン・アッセンブリ１２５と組み合わせて使用され得る。
【００８１】
プッシャー・コンポーネント１６５’は、図４Ｂに示されているピン・アッセンブリ１２５’と組み合わせて使用され得る。示されている実施例では、プッシャー・コンポーネント１６５は、ピン・アッセンブリ１２５に対抗して接触する細長いシャフト・コンポーネントを含んでおらず、一方、プッシャー・コンポーネント１６５’は、ノーズ・コーン１５６のロック・コンポーネント１４０のアパーチャー１５８を通って延在することができるシャフト・コンポーネント１６７を含むことによって、プッシャー・コンポーネント１６５から変化することが可能である。ピン・アッセンブリ１２５’とともに使用されるときには、プッシャー・コンポーネント１６５’のシャフト・コンポーネント１６７は、アパーチャー１５８を通って又はアパーチャー１５８の中へ延在し、ピン・アッセンブリ１２５’の移動及び解除を促進させることが可能である。しかし、これらのコンポーネント１２５、１２５’、１６５、１６５’は、本明細書で開示されている実施例のいずれかの中で相互交換又は修正され得る。したがって、いくつかの実施例では、プッシャー・コンポーネント１６５は、ロック・コンポーネント１４０のアパーチャー１５８を通って延在する、プッシャー・コンポーネント１６５のチューブ状コンポーネント１３０に対抗して接触させられ得る。しかし、いくつかの実施例では、プッシャー・コンポーネント１６５’のシャフト・コンポーネント１６７が、ロック・コンポーネント１４０のアパーチャー１５８を通って延在し、ピン・アッセンブリ１２５’に対抗して接触することが可能である。
【００８２】
図５Ａ及び図５Ｂに図示されているように、プッシャー・コンポーネント１６５及びプッシャー・コンポーネント１６５’は、ルーメン１６６をそれぞれ含むことが可能であり、コア部材１１０は、ルーメン１６６を通過することが可能であり、それによって、プッシャー・コンポーネント１６５及びプッシャー・コンポーネント１６５’がコア部材１１０に沿ってスライド可能に配設されることを許容する。図６Ａ〜図６Ｆのシステム図に図示されているように、プッシャー・コンポーネント１６５（プッシャー・コンポーネント１６５及びプッシャー・コンポーネント１６５’にかかわらず）は、サポート・フレーム１０７に対して遠位に配設され得る。最終的に、下記に議論されているように、プッシャー・コンポーネント１６５は、プッシャー・コンポーネント１６５のチューブ状コンポーネント１３０に対抗して接触させられ得、それは、ロック・コンポーネント１４０のアパーチャー１５８を通って延在している。
【００８３】
いくつかの実施例によれば、プッシャー・コンポーネント１６５は、サポート・フレーム１０７の圧縮された直径におおよそ等しい外径又はプロファイルを有することが可能である。したがって、プッシャー・コンポーネント１６５及びサポート・フレーム１０７は、シース１５０のルーメンの中に受け入れられ得る。さらに、サポート・フレーム１０７の遠位端部部分は、プッシャー・コンポーネント１６５の近位面１７２に当接又は接触することが可能である。本明細書でさらに議論されているように、いくつかの実施例は、サポート・フレーム１０７がプッシャー・コンポーネント１６５の近位面１７２に遠位に押し付けられることを許容することができ、遠位に方向付けられた力をプッシャー・コンポーネント１６５に働かせるようになっており、それは、次いで、プッシャー・コンポーネント１６５がピン・アッセンブリ１２５に接触することを引き起こし、弁アンカー１２０からのピン１３５の解除を引き起こすことが可能である。
【００８４】
いくつかの実施例では、プッシャー・コンポーネント１６５は、フランジ１７５を含む。図５Ａに図示されているように、フランジ１７５は、近位面１７２を画定する半径方向のフランジであることが可能である。さらに、プッシャー・コンポーネント１６５は、遠位面１７４を含むことが可能であり、遠位面１７４は、概して傾斜した又は円錐状のプロファイルを有している。遠位面１７４の円錐状のプロファイルは、下記に議論されているように、弁アンカー１２０を通るプッシャー・コンポーネントの遠位前進の間に、プッシャー・コンポーネント１６５が弁アンカー１２０を捕獲するか又はその他の方法で弁アンカー１２０と係合することを回避することを可能にする傾向がある可能性がある。
【００８５】
さまざまなメカニズムが用いられ得るが、いくつかの実施例では、プッシャー・コンポーネント１６５の遠位前進が、サポート・フレーム１０７の遠位端部をプッシャー・コンポーネント１６５の近位面１７２に対抗して接触させることによって実現され得る。たとえば、図６Ａを参照すると、送達システム１００は、プッシング・ブロック１７８を含むことが可能であり、プッシング・ブロック１７８は、プッシャー・チューブ１７９に連結されている。プッシャー・チューブ１７９及びプッシング・ブロック１７８は、ルーメンをそれぞれ含むことが可能であり、コア部材１１０は、そのルーメンを通過することが可能である。プッシャー・チューブ１７９及びプッシング・ブロック１７８は、コア部材１１０に沿ってスライド可能に位置決めされ得る。手技の間に、シース１５０が図６Ｂにおおよそ示されている位置へ近位に後退させられると、プッシャー・チューブ１７９及びプッシング・ブロック１７８は、シース１５０に沿って、臨床医によって遠位に前進させられ得、それは、サポート・フレーム１０７及びプッシャー・コンポーネント１６５に対して、遠位力を働かせることが可能である。この遠位に配向された力は、ピン・アッセンブリ１２５、１２５’の近位接触面又はエリア１３７に向けてプッシャー・コンポーネント１６５を促すことが可能であり、それは、図６Ｂから図６Ｃへ示されている移動によって例示目的として示されている。
【００８６】
したがって、いくつかの実施例では、プッシャー・コンポーネント１６５、１６５’の遠位面１７４は、ピン・アッセンブリ１２５、１２５’の近位接触面１３７に接触し、ロック・コンポーネント１４０に対して遠位方向にピン・アッセンブリ１２５、１２５’を促すことが可能である。いくつかの実施例では、チューブ状セクションは、プッシャー・コンポーネント若しくはピン・アッセンブリのいずれかに連結され得るか、又は、その両方に連結され得る。遠位方向へのピン・アッセンブリ１２５、１２５’の移動は、係合された構成（図６Ｃに示されている）から解放された構成（図６Ｄに示されている）へ係合メカニズム１１５がシフトすることを結果として生じさせる。
【００８７】
いくつかの実施例によれば、プッシャー・チューブ１７９及びプッシング・ブロック１７８は、臨床医によって動作させられ得る制御ユニット（図示せず）を介して作動させられ得る。制御ユニットは、コア部材１１０及びプッシャー・チューブ１７９に通信可能に連結されており、臨床医がコア部材１１０をプッシャー・チューブ１７９に対して作動又は移動させることを可能にすることができる。このように、プッシャー・チューブ１７９は、コア部材１１０の上方を遠位に前進させられ得、プッシャー・コンポーネント１６５がピン・アッセンブリ１２５に接触することを引き起こすようになっており、ピン・アッセンブリ１２５がノーズ・コーン１５６のキャビティー１４１の中を移動することを引き起こし、それによって、係合領域１４３を通してピン１３５を遠位に前進させるようになっている。
【００８８】
いくつかの実施例では、制御ユニットは、プッシャー・コンポーネント１６５に通信可能に連結され、プッシャー・ブロック１７８及びサポート・フレーム１０７からの相互作用を必要とすることなく、プッシャー・コンポーネント１６５を選択的に作動させることが可能である。たとえば、プッシャー・コンポーネント１６５は、プッシャー・チューブ１７９に直接的に連結され得、ピン・アッセンブリ１２５に接触するように、及び、ピン・アッセンブリ１２５をロック・コンポーネント１４０に対して遠位方向に促すように、プッシャー・コンポーネント１６５を直接的に作動させるようになっている。図に図示されている実施例と同様に、そのような実施例は、係合メカニズム１１５を係合された構成から解放された構成へ移動させることが可能である。
【００８９】
いくつかの実施例では、プッシャー・コンポーネント１６５のルーメン１６６は、チューブ状コンポーネント１３０の内径又はピン・アッセンブリ１２５のルーメン１３３よりも小さい内径を有することが可能である。したがって、そのような実施例は、プッシャー・コンポーネント１６５が遠位に前進し、ピン・アッセンブリ１２５に接触し、最終的にピン・アッセンブリ１２５を遠位に促すか又は押すことを可能にするために、十分な断面プロファイルをプッシャー・コンポーネント１６５が有することを可能にすることができる。
【００９０】
図６Ａ〜図６Ｃは、係合された構成における送達システム１００の弁アンカー１２０を図示している。弁アンカー１２０のレッグ１２２が、係合領域１４３の中へ挿入されており、係合メカニズム１１５を介して適切な場所にロックされているときには、これは、係合された構成（図６Ａ〜図６Ｃを参照）と表される。係合された構成では、ピン１３５は、ノーズ・コーン１５６のキャビティー１４１から、弁アンカー・レッグ１２２の接続アパーチャー１２６を通って、ノーズ・コーン１５６のロック・コンポーネント１４０のロック・アパーチャー１４５の中へ、及び、それを通って延在するように位置決めされている。そうであるので、係合された構成では、弁アンカー１２０の少なくとも１つのレッグ１２２は、ノーズ・コーン１５６のロック・コンポーネント１４０とノーズ・コーン１５６の残りの部分との間の位置において係合してロックされている。
【００９１】
さらに、図６Ａは、いくつかの実施例による、送達システム１００のシース１５０の中にコンパクトな状態で収納されている弁プロテーゼ１０５及び弁アンカー１２０を図示している。送達システム１００が、欠陥のある弁のターゲット場所の中へ初期に導入されるときに、送達システム１００は、図６Ａに図示されているように、コンパクトな状態で送達される。
【００９２】
図６Ｂは、いくつかの実施例による、係合された構成における弁アンカー１２０を図示しているが、図２の送達システム１００のシース１５０から解放されている。送達システム１００がターゲット場所に近づくと、送達システム１００のシース１５０は、たとえば、少なくとも１つのコントローラー又はプロセッサーを含む制御ユニットを介して、コア部材１１０に対して近位に後退させられる。弁アンカー１２０の上方からのシース１５０の後退は、弁アンカー１２０が半径方向に膨張することを可能にする。Ｕ字形状の部材１２６は、その後に、本明細書で議論されているように、周囲の自然の弁構造体に対して所望の位置へとガイド及び操縦され得る。
【００９３】
Ｕ字形状の部材１２６が周囲の自然の弁構造体に対して所望の位置になった後に、弁アンカー１２０の残部が解放され得る。図６Ｃは、第１のステップ、及び、弁アンカー１２０を解放することを図示している。示されているように、いくつかの実施例では、プッシャー・ブロック１７８、シース１５０、及びサポート・フレーム１０７は、遠位方向に促され得、それによって、送達システム１００のピン・アッセンブリ１２５に向けてプッシャー・コンポーネント１６５を遠位に前進させる。弁アンカー１２０のルーメンの中へのプッシャー・コンポーネント１６５のこの遠位移動は可能である。その理由は、弁アンカー１２０が、係合メカニズム１１５によって係合された構成においてロックされていることにかかわらず、すでに半径方向に膨張させられているからである。図６Ｃに図示されている部分的に膨張された位置において、弁アンカー１２０の少なくとも１つのＵ字形状の部材１２６は、弁アンカー１２０のアンカー固定レッグ１２２及びサポート・フレーム１０７の長手方向軸線から半径方向に延在することが可能である。
【００９４】
また、図６Ｃに図示されているように、係合された構成において、チューブ状コンポーネント遠位セクション１３４又はピストン部材１３６の近位表面は、ロック・コンポーネント１４０の近位表面から第１の距離Ｄ１において軸線方向に間隔を離して配置されている。第１の距離Ｄ１は、ピン１３５がキャビティー１４１からロック・アパーチャー１４５及び係合領域１４３を通って延在することを許容するのに十分である。そうであるので、ピン１３５は、弁アンカー１２０のレッグ接続アパーチャー１２７及びロック・コンポーネント・ロック・アパーチャー１４５を通って延在し、弁アンカー・アンカー固定レッグ１２２と係合メカニズム１１５とを相互接続することが可能である。たとえば、第１の距離Ｄ１は、約１ｍｍから約２０ｍｍの間にあるか、約２ｍｍから約１５ｍｍの間にあるか、約４ｍｍから約１２ｍｍの間にあるか、約６ｍｍから約１０ｍｍの間にあるか、約８ｍｍから約１０ｍｍの間にあるか、又は、約２ｍｍ、約２ｍｍ、約４ｍｍ、約６ｍｍ、約８ｍｍ、約１０ｍｍ、約１２ｍｍ、約１４ｍｍ、約１６ｍｍ、約１８ｍｍ、約２０ｍｍ、約２２ｍｍ、約２４ｍｍ、約２６ｍｍ、約２８ｍｍ、約３０ｍｍ、約３５ｍｍ、若しくは約４０ｍｍであることが可能である。
【００９５】
プッシャー・コンポーネント１６５が遠位に促されるときに、プッシャー・コンポーネントは、ピン・アッセンブリ１２５に接触し、キャビティー１４１を通してピン・アッセンブリ１２５を遠位に促し始める。これが起こるときに、ピン１３５は、係合領域１４３を通って遠位にスライドし、最終的に、アンカー固定レッグ１２２がピン１３５から解除することを許容し、また、弁アンカー１２０が解放された構成をとることを許容する。図６Ｄは、解放された構成における弁アンカー１２０の図示である。
【００９６】
依然として図６Ｄを参照すると、解放された構成において、チューブ状コンポーネント遠位セクション１３４又はピストン部材１３６の近位表面は、ロック・コンポーネント１４０の近位表面から第２の距離Ｄ２において軸線方向に間隔を離して配置され得、第２の距離Ｄ２は、第１の距離Ｄ１よりも大きい。第２の距離Ｄ２は、ロック・アパーチャー１４５の外側にピン１３５を位置決めするのに十分になっており、弁アンカー・レッグ１２２がピン・アッセンブリ１３５のピン１３５から解除することを許容する。たとえば、第２の距離Ｄ２は、約１ｍｍから約２０ｍｍの間にあるか、約２ｍｍから約１５ｍｍの間にあるか、約４ｍｍから約１２ｍｍの間にあるか、約６ｍｍから約１０ｍｍの間にあるか、約８ｍｍから約１０ｍｍの間にあるか、又は、約２ｍｍ、約２ｍｍ、約４ｍｍ、約６ｍｍ、約８ｍｍ、約１０ｍｍ、約１２ｍｍ、約１４ｍｍ、約１６ｍｍ、約１８ｍｍ、約２０ｍｍ、約２２ｍｍ、約２４ｍｍ、約２６ｍｍ、約２８ｍｍ、約３０ｍｍ、約３５ｍｍ、若しくは約４０ｍｍであることが可能である。
【００９７】
動作時に、ピン・アッセンブリ１２５が遠位に前進させられるときに、ピン１３５は、Ｄ２とＤ１との間の差に対応する距離だけ変位させられ、それによって、弁アンカー１２０をピン・アッセンブリ１２５との係合から解放し、弁アンカー１２０がサポート・フレーム１０７をその中に位置決めすることに備えて半径方向に膨張することを可能にする。
【００９８】
図６Ｄに図示されているように、弁アンカー１２０が送達システム１００から解放された後に、サポート・フレーム１０７は、送達システム１００のシース１５０の中に収納され続けている。しかし、サポート・フレーム１０７の長手方向の位置又は軸線方向の位置が、弁アンカー１２０のルーメンの中で中心を合わせられるか又はその他の方法で適正に位置決めされるように調節された後に、臨床医は、その後に、弁アンカー１２０のルーメンの中でのサポート・フレーム１０７の解放及び膨張を開始することが可能である。位置決めプロセスのためのこの調節の一部として、臨床医は、サポート・フレーム１０７を遠位に前進させることが可能である。方法のいくつかの実装形態では、臨床医は、弁アンカー１２０の長手方向に遠位の位置へサポート・フレーム１０７を前進させ、その後に、サポート・フレーム１０７を近位に後退させることが可能である。そのような運動は、自然の弁尖が弁アンカー１２０とサポート・フレーム１０７との間のスペースの間に上向きに引き寄せられることを保証することが可能である。その後に、サポート・フレーム１０７の膨張及び解放が、下記にさらに議論されているように、臨床医によって開始され得る。
【００９９】
サポート・フレーム１０７の膨張及び解放は、図６Ｅに図示されているように開始され得る。図６Ｅは、サポート・フレーム１０７を露出させるために、及び、サポート・フレーム１０７の初期膨張を許容するために、シース１５０が近位に後退させられていることを図示している。図６Ｆは、サポート・フレーム１０７が弁アンカー１２０の中で完全に膨張させられることを許容するために、シース１５０がさらに後退させられていることを図示している。いくつかの実施例では、シース１５０のさらなる後退は、弁プロテーゼ１０５が完全に露出されることを引き起こし、それによって、弁プロテーゼが弁アンカー１２０の中で半径方向に膨張することを可能にする。しかし、いくつかの実施例では、自己膨張するサポート・フレーム１０７の外向きの力は、シース１５０が部分的に近位に引き出された（すなわち、図６Ｆに図示されているものの遠位の位置に到達した）後に、サポート・フレーム１０７が勢いよく開くことを引き起こす可能性がある。
【０１００】
弁プロテーゼ送達システムを動作及び製造するための方法
本明細書で説明されている送達システムを使用して大動脈弁プロテーゼを植え込むための方法は、大動脈弁プロテーゼの非外科的な送達及び植え込みを伴い、人工弁尖を備えた自己膨張可能なインプラントは、弁アンカーに固定して連結され、サポート・フレーム及び弁アンカーは、コンパクトな条件で送達される。
【０１０１】
投与又はアクセスのルートにかかわらず、本明細書で開示されている送達システムは、サポート・フレームの膨張の前に弁アンカーを解放するように動作させられ得る。そのうえ、弁アンカーは、膨張の後に操作及び再位置決めされ、サポート・フレームを膨張又は解放する前に適正な設置を保証することが可能である。随意的に、システムは、超音波、Ｘ線透視法、又は脈動的フィードバック、たとえば、電気パルス又は超音波パルスなどを含む、さまざまなイメージング技法のいずれかを使用して動作させられ得る。したがって、弁アンカーは、望まれる場合には、イメージング技法を使用して位置決めされ得る。
【０１０２】
いくつかの実施例では、臨床医は、弁アンカーが適正に着座され又は自然の弁構造体と係合されたということを、触圧を介して決定するか又は感じ、自然の弁構造体に対する弁アンカーの適正な位置決めを確認することが可能である。弁アンカーの適正な設置の後に、サポート・フレームは、弁アンカーに向けて長手方向軸線に沿って遠位に移動させられ、最終的に、弁アンカーとおおよそ同心円状に位置決めされ得る。この時点において、サポート・フレームは解放され得、送達システムは患者から除去され得る。サポート・フレームは、既存の自然の弁尖の上に植え込まれ得る。
【０１０３】
図７Ａ〜図７Ｆは、弁プロテーゼ送達システムを動作させるための方法を図示している。送達システムは、図６Ａ〜図６Ｆにおいて上記に説明されている実施例などのような送達システムを使用して、大動脈を通って自然の大動脈弁へ前進させられ得る。図７Ａに示されているように、いくつかの実施例では、ガイディング・メカニズム、たとえば、ガイドワイヤー１８０が、ターゲット場所に向けて前進させられ、コア部材１１０を通して給送され得、送達システム１００がガイドワイヤー１８０に沿ってターゲット場所に向けて前進することを許容する。血管系の中への送達システム１００の進入は、さまざまな経路を通して起こることが可能である。しかし、本開示に説明されているように、ガイドワイヤー１８０は、大動脈の中へ導入され、大動脈弓に向けて前進させられ得る。次いで、送達システム１００は、ターゲット場所、たとえば、心臓の大動脈弁に到達するまで、ガイドワイヤー１８０に沿って前進させられ得る。
【０１０４】
図７Ａは、大動脈弁に到達した後の送達システム１００を図示している。図６Ａ〜図６Ｆに関して上記に議論されているように、送達システム１００は、送達構成（図６Ａ）でターゲット場所へ送達され、その後に操作され得、弁プロテーゼ１０５のさまざまなコンポーネントの膨張を許容する。
【０１０５】
上記に説明されているように、図６Ａは、患者の中へ送達システムを挿入する前に、及び、ターゲット場所に向けて患者の血管系を通した送達システムの前進の間に、送達システム１００が構成されているときの、送達システム１００を図示している。弁プロテーゼ１０５は、コンパクトな構成で送達システム１００の中に詰められ、弁プロテーゼ１０５のサポート・フレーム１０７及び弁アンカー１２０がシース１５０の中に直列的に詰められるようになっている。通常の実務のように、ガイドワイヤーは、患者の中へ、たとえば、大腿動脈の中へ、又は、経心尖手技を使用する場合には、左心室の中へ、最初に導入され、適当な心室へ、修復を必要としている自然の心臓弁を通過して、又は、それを越えて前進させられる。図に図示されていないが、本開示は、弁プロテーゼ１０５の経心尖送達を提供することも可能である。
【０１０６】
損傷を受けた又は欠陥のある弁を有するターゲット場所へ弁プロテーゼを送達する方法は、血管（たとえば、大動脈）の中へ送達システム１００を前進させ、ターゲット場所に弁アンカー１２０を位置決めすることを含む。いくつかの実施例では、ターゲット場所は、患者の心臓の大動脈弁に隣接した位置である。とりわけ、ターゲット場所は、図７Ａに図示されているように、自然の大動脈弁尖１９０の直ぐ上方の位置であることが可能である。送達システム１００を前進させることは、その遠位端部を血液フローの方向の反対側の方向にターゲット場所へ前進させることによって実現され得る。
【０１０７】
送達システムが血管の中へ前進させられると、臨床医は、制御ユニットの上の１つ又は複数のアクチュエーターを作動させることによって、送達システム１００を制御することが可能である。いくつかの実施例では、アクチュエーターは、それに限定されないが、制御ユニットのノブ、レバー、トリガー、スライダー、ボタン、及び／又はハンドルであることが可能である。アクチュエーターの作動は、シース１５０が近位に後退すること、及び、ターゲット場所において弁アンカー１２０の少なくとも一部分を出現させることを引き起こすことが可能である（図６Ａから図６Ｂ及び図７Ａに示されているように）。シース１５０の近位後退は、弁アンカー１２０を所望の配向に位置決めするために、弁アンカー１２０のＵ字形状の部材１２６がターゲット場所において膨張することを許容する。Ｕ字形状の部材１２６の一部分が露出されるときに、それらは、中心軸線（又は、ガイドワイヤー軸線）から離れるように半径方向に膨張しようとすることとなる。Ｕ字形状の部材１２６の半径方向の拡張は、臨床医が送達システム１００を自然の弁の中の適正なアライメントへと少なくとも初期に整合させ、位置決めし、及び／又は回転させることを許容することができる。いくつかの状況において、自然の血管系を通した送達システム１００の前進は、Ｕ字形状の部材が後方に曲がること、又は、図７Ａに示されている方向の反対側の方向にめくれ上がることを引き起こそうとする可能性がある。そのような状況では、シース１５０が弁アンカー１２０の上方から部分的にだけ後退させられる場合には、シース１５０が、弁アンカー１２０に対して遠位に前進させられ、図７Ａに示されているように、前方を向いているか又はめくれ上がっていない配向へとＵ字形状の部材を押すか又は促すことが可能である。
【０１０８】
図７Ａは、自然の大動脈弁を通り越した大動脈の中における、ノーズ・コーン１５６を含む送達システム１００の遠位端部の設置を図示している。送達システム１００の遠位端部セクション（ノーズ・コーン１５６を含む）は、自然の大動脈弁尖１９０を通り越した大動脈の中に前進及び位置決めされ得る。図７Ａ及び図７Ｂに示されているように、弁シース１５０（それは、弁プロテーゼ１０５を収納している）を大動脈の中に適正に位置決めした後に、弁シース１５０は、近位方向に引っ張られ、弁アンカー１２０のカバーを外すことが可能である。これは、弁アンカー１２０のＵ字形状の部材１２６のベース部分１４４が大動脈の内部壁に向けて半径方向に膨張することを可能にする。
【０１０９】
いくつかの実施例では、本明細書で議論されているように、弁アンカー１２０のベース部分１４４は、「感触器」として機能し、「感触器」は、膨張の時間の間に（図７Ａ及び図７Ｂを参照）、最小のイメージングによって、又は、イメージングなしで、臨床医が弁アンカー１２０及びサポート・フレーム１０７を自然の弁構造体の中に適正に設置することを可能にする。弁アンカー１２０は、本明細書で議論されているように、それに限定されないが、形状記憶材料又は金属、たとえば、ニチノールなどから作製され得る。
【０１１０】
いくつかの実施例では、送達システム１００は、弁アンカー１２０がターゲット場所において自然の大動脈構造体（たとえば、弁輪又は洞など）の中に穏やかに座るまで、遠位にさらに前進させられ、及び／又は回転する。弁アンカー１２０が遠位に前進させられている間に、それは回転し、図７Ｂに示されているように、自然の大動脈弁尖１９０の解剖学的配向にしたがって自己整合することが可能である。
【０１１１】
弁アンカー１２０が自然の弁構造体に対して適正に着座又は位置決めされた後に、臨床医は、プッシャー・コンポーネント１６５を遠位に前進させ、ピン・アッセンブリ１２５に接触し、ロック・コンポーネント１４０に対してピン・アッセンブリ１２５を遠位に前進させることが可能である。いくつかの実施例では、プッシャー・コンポーネント１６５の遠位前進は、プッシャー・ブロック１７８を遠位に前進させ、サポート・フレーム１０７及びプッシャー・コンポーネント１６５に接触し、ピン・アッセンブリ１３５に接触するまで、それらを遠位方向に変位させることを含む。これは、図６Ｃ及び図６Ｄの中に距離Ｄ１及びＤ２によって図示されているように、ロック・コンポーネント１４０とピストン部材１３６（図示せず）との間の軸線方向の間隔の増加を引き起こし、それによって、係合領域１４３から外へピン１３５を遠位に前進させる。
【０１１２】
したがって、図７Ｃ及び図７Ｄに示されているように、いくつかの実施例では、プッシャー・コンポーネント１６５を遠位に前進させることは、プッシャー・ブロック１７８及びシース１５０をコア部材１１０に対して前進させることによって、サポート・フレーム１０７を折り畳まれた状態で遠位に前進させることによって、プッシャー・コンポーネント１６５の半径方向のフランジ１７５（図示されていないが、図６Ｂ〜図６Ｄを参照）の近位面１７２に接触して、それをコア部材１１０に対して遠位に変位させることを含む。ロック・コンポーネント１４０に対するピン・アッセンブリ１２５の遠位前進は、ピン・アッセンブリ１２５のピン１３５がロック・コンポーネントのロック・アパーチャー１４５から解除することを引き起こし、それによって、送達システム１００からの弁アンカー１２０の解放を許容する。
【０１１３】
弁アンカー１２０を完全に解放するために弁アンカー１２０のアンカー固定レッグ１２２を解放した後に、送達システム１００は、随意的に、弁アンカー１２０のルーメンの中の所望の長手方向の位置にサポート・フレーム１０７を位置決めするために、弁アンカー１２０の中を遠位に前進させられ得る。その後に、弁シース１５０（弁シース１５０は、この時点において、サポート・フレーム１０７の上に延在し、又は、サポート・フレーム１０７をカバーし続けている）は、図７Ｅ及び図７Ｆに図示されているように、ロック・コンポーネント１４０に向けてコア部材１１０に対して遠位に後退させられ得る。
【０１１４】
いくつかの実施例によれば、送達システム１００は、また、有利には、自然の弁尖の対向する両側部に弁アンカー１２０の一部分を位置決めするように構成され得る。そのような能力は、送達システム１００が弁アンカー１２０と自然の弁構造体との間によりしっかりとした係合を生成させることを可能にする。そのような構成及び利点は、係合メカニズムを使用することによって実現され得、係合メカニズムは、弁アンカーのアンカー固定レッグの一部分を拘束することが可能である。さらに、他の実施例は、自然の弁尖の対向する両側部での係合を促進させる追加的な特徴を提供することも可能である。
【０１１５】
たとえば、図７Ｂに図示されているように、サポート・フレーム１０７は、縫合糸１７０を介して弁アンカー１２０のアンカー固定レッグ１２２にスライド可能に連結され得、縫合糸１７０は、弁アンカー１２０の近位部分の膨張に対する半径方向の制限を生成させることが可能である。サポート・フレーム１０７がロック・コンポーネント１４０に向けて遠位に移動させられているときに、縫合糸１７０は、それにしたがって、ロック・コンポーネント１４０に向けて弁アンカー１２０のアンカー固定レッグ１２２に沿って遠位に移動させられる（図７Ｂ〜図７Ｄを参照）。縫合糸１７０によって生成される半径方向の制限の緩和は、それによって、弁アンカー１２０が半径方向に膨張するときに、弁アンカー１２０の遠位端部をその長手方向軸線に沿って静止した状態に保持しながら、弁アンカー１２０の近位端部部分が半径方向外向きに膨張することを許容する。したがって、弁アンカー１２０のアンカー固定レッグ１２２は、弁尖の半径方向内側に又は中心に位置決めされ得、Ｕ字形状の部材１２６のベース部分１４４は、弁尖の半径方向外側に又は弁尖の周辺部の周りに、大動脈壁（たとえば、弁洞の中）に直接的に接触して位置決めされ得る。
【０１１６】
その後に、シース１５０及びサポート・フレーム１０７は、シース１５０及びサポート・フレーム１０７の遠位端部がロック・コンポーネント１４０の直ぐ上方に位置決めされるまで、そのように遠位に前進させられる。図７Ｄは、最終的な解放前位置におけるサポート・フレーム１０７の位置決めを図示している。また、ロック・コンポーネント１４０の直ぐ上方の位置へのシース１５０及びサポート・フレーム１０７の遠位前進は、サポート・フレーム１０７を解放前位置に位置決めし、それは、弁アンカー１２０を解放した後に必要に応じて調節され得る。いくつかの実施例では、解放前位置は、サポート・フレーム１０７がシース１０５の中に及び弁アンカー１２０の通路の中に長手方向に配設されている位置である。
【０１１７】
サポート・フレーム１０７が最終的な解放前位置に到達しているときに、臨床医は、次いで、プッシャー・コンポーネント１６５をさらに前進させ、ピン・アッセンブリ１２５を遠位に前進させ、それによって、ピン・アッセンブリ１２５との係合から弁アンカー１２０を解放することが可能である。すなわち、アンカー固定レッグ１２２は、図７Ｅに図示されているように、ロック・コンポーネント１４０のロック・アパーチャー１４５とピン・アッセンブリ１２５の接続アパーチャー１２７との間で係合領域１４３の中にロック又は係合されている状態から解放され得る。
【０１１８】
また、図７Ｅは、部分的に膨張された構成におけるサポート・フレーム１０７を図示している。弁アンカー１２０のアンカー固定レッグ１２２がロック・コンポーネント１４０とピン・アッセンブリ１２５との間にロックされている状態から解放された後に、制御ユニットは、次いで、コア部材１１０に沿ってシース１５０を近位に後退させるように活性化させられ、サポート・フレーム１０７を露出又は出現させ、サポート・フレーム１０７が膨張し始めることを許容する。サポート・フレーム１０７が膨張し始めるときに、サポート・フレーム１０７は、縫合糸１７０を介して弁アンカー１２０に対して円周方向に拘束され得る（すなわち、サポート・フレーム１０７の回転配向）。したがって、いくつかの実施例では、縫合糸１７０は、サポート・フレーム１０７の膨張が弁アンカー１２０によって適正な位置に自動的にガイド及び固定され得るということを引き起こすことが可能である。
【０１１９】
ここで図７Ｆを参照すると、弁プロテーゼ１０５は、サポート・フレーム１０７に連結されている複数の人工弁尖１０９を含むことが可能である。弁尖１０９は、弁プロテーゼ１０５を通る液体の一方向フローのための可逆的にシール可能な開口部を形成する表面を有することが可能である。弁プロテーゼ１０５は、３弁尖構成のために３つの弁尖１０９を含むことが可能である。認識されるように、単一弁尖構成、２弁尖構成、及び／又は、多弁尖構成も可能である。
【０１２０】
たとえば、弁尖１０９は、広がるようにサポート・フレーム１０７に連結されており、弁プロテーゼ１０５のルーメンを通る流体フローを制御することが可能である。さらに、いくつかの実施例では、弁プロテーゼ１０５は、サポート・フレーム１０７及び弁尖１０９に連結されている膜又はシーリング層１０８を含むことが可能である。膜１０８は、血液が弁プロテーゼ１０５の中央アパーチャー又はルーメンを通って流れることを保証しようとする可能性がある。本明細書で説明されているような弁プロテーゼは、本明細書で説明されている植え込みシステムのさまざまな態様の中で使用され得、又は、被検者の中へ弁プロテーゼを植え込むために当業者によって知られている任意の方法若しくはシステムの中で使用され得る。
【０１２１】
また、周囲の自然の弁構造体に対する弁プロテーゼ１０５のシーリング及びアンカー固定は、弁アンカー１２０とサポート・フレーム１０７との間への自然の心臓弁尖１９０の間置を通して促進される。弁尖１９０のこの位置決めは、自然の弁構造体の中への弁プロテーゼ１０５のアンカー固定を促進させ、すべての冠動脈弁（すなわち、大動脈弁、肺動脈弁、三尖弁、及び僧帽弁）に適用可能であり得る。いくつかの実施例では、弁アンカー１２０の数は、治療されている自然の弁の自然の弁尖１９０の数に等しくなっていることが可能である。
【０１２２】
図７Ｆは、完全に膨張された解放された構成におけるサポート・フレーム１０７を図示している。図７Ｆに図示されているように、サポート・フレーム１０７は、弁アンカー１２０のＵ字形状の部材１２６のベース部分１４４がサポート・フレーム１０７の遠位端部におおよそ隣接しているときに、自然の弁構造体の中に適正に設置され得る。さらに、サポート・フレーム１０７の膨張が、膨張されたサポート・フレーム１０７と弁アンカー１２０との間に自然の大動脈弁尖１９０を挟むことを結果として生じさせることとなるときに、サポート・フレーム１０７は、自然の弁構造体の中に適正に設置され得る。
【０１２３】
いくつかの実施例では、サポート・フレーム１０７が自然の弁構造体の中に膨張及び解放された後に、制御ユニットは、サポート・フレーム１０７及び弁アンカー１２０以外の送達システム１００の残りの部分を後退させるように作動させられ得る。たとえば、シース１５０は、コア部材１１０の上方を遠位に前進させられ、シース１５０の遠位端部に対してノーズ・コーン１５６の半径方向の窪み部１５４を嵌合させることが可能である。このように、送達システム１００は、送達構成をとることが可能であり、送達構成において、送達システム１００は、概して滑らかな外側プロファイルを有しており、それは、除去の間に捕獲すること又はその他の方法で血管系に損傷を与えることを回避することとなる。送達システム１００は、その後に患者から除去され得る。
【０１２４】
弁プロテーゼの追加的な態様
また、図７Ｆに図示されているように、膨張及び解放されているときに、サポート・フレーム１０７は、第１の端部部分２１０及び第２の端部部分２１２を含むことが可能である。プロテーゼ１０５が自然の弁構造体の中に解放されているときに、第１の端部部分２１０は、第２の端部部分２１２の上流に位置決めされ得る。
【０１２５】
図７Ｆに図示されているように、サポート・フレーム１０７の第１の端部部分２１０は、シリンダーの概して平坦な端部として形状決めされ得、ここで、サポート・フレーム１０７の第１の頂点２１４は、全体的に共通の平面の中に存在しており、共通の平面は、プロテーゼ１０５の長手方向軸線に対して実質的に垂直に配向され得る。
【０１２６】
随意的に、第２の端部部分２１２は、一連のピーク２３０及び谷底部２３２を含むように形状決めされ得、ここで、サポート・フレーム１０７の第２の頂点２３６は、ピーク２３０及び谷底部２３２の輪郭を集合的に形成している。第２の端部部分２１２のピーク２３０及び谷底部２３２は、プロテーゼが自然の弁輪の中に着座させられているときに、第１の端部部分２１０の下流に位置決めされ得る。いくつかの実施例によれば、人工弁尖１０９は、図７Ｆに示されているように、第２の端部部分２１２のピーク２３０と円周方向に整合させられている場所において、サポート・フレーム１０７に対して連結され得る。この独自の構成は、有利には、プロテーゼ１００が自然の弁構造体をより完全に近似することを可能にし、弁尖１０９の移動を制限又は拘束することなく、より自然な血液フローを許容し、心臓の周囲のアーキテクチャーとより継ぎ目なく一体化することが可能である。
【０１２７】
いくつかの実施例では、第２の端部部分２１２において、膜１０８の軸線方向の端部は、第２の端部部分２１２の主要ピーク２３０及び谷底部２３２をカバーするように形状決めされ得る。いくつかの実施例では、膜１０８は、主要ピーク２３０同士の間の谷底部２３２の中の第２の頂点又は微小ピーク２３６をカバーするように形状決めされ得る。有利には、主要ピーク２３０同士の間の微小ピーク２３６の構成は、先行技術の弁プロテーゼと比較して、口部（ｏｓｔｉａ）の閉塞への改善されたアクセスを可能にし、口部の閉塞を防止することが可能である。
【０１２８】
大動脈の中に植え込まれる先行技術の弁プロテーゼは、出願人の同時係属中の特許出願、２０１８年１月７日に出願された米国特許出願第６２／６１４，４８８号（１２２２７１−５０２５）、２０１８年１月７日に出願された米国特許出願第６２／６１４，４８９号（１２２２７１−５０４０）、２０１８年１１月６日に出願された米国特許出願第６２／７５６，５５６号（１２２２７１−５１２７）、及び、２０１８年１２月１８日に出願された米国特許出願第６２／７８１，５３７号（１２２２７１−５１２９）に議論されているように、弁フレーム及び膜の幾何学形状に起因して、弁輪から離れるように所定の距離に配設されている冠状動脈口を遮断又は閉塞させる可能性があり、それらの文献の全体は、参照により本明細書に組み込まれている。
【０１２９】
図７Ｆを参照すると、主要ピーク２３０と微小ピーク２３６との間の高さの差は、弁プロテーゼ１０５の所望の動作を可能にしながら、冠状動脈口へのアクセスを促進させる。いくつかの実施例では、微小ピーク２３６は、患者の自然の弁輪場所に関して、冠状動脈口のさまざまなサイズ及び場所を可能にするのに十分に低くなるように構成されている。有利には、いくつかの実施例では、微小ピーク２３６は、冠状動脈口高さが１０ｍｍ未満の、８ｍｍ未満の、又は６ｍｍ未満の口部（それらは、典型的に、従来の利用可能なプロテーゼによって除外される）へのアクセスを可能にする。口部高さは、冠状動脈口の下縁部と大動脈弁輪平面との間の垂直方向の距離として測定され得る。さらに、いくつかの実施例では、微小ピーク２３６は、弁輪に対してより低い軸線方向の距離（又は、口部高さ）に配設されている口部へのアクセスを可能にする。そのうえ、いくつかの実施例では、弁プロテーゼ１０５は、口部へのより大きいアクセスを可能にするために、弁輪の中のより低くに配設されるように配置され得る。主要ピーク２３０同士の間に微小ピーク２３６を提供することによって、及び、随意的に、本明細書で議論されている１つ又は複数の他の特徴とともに使用されることによって、冠状動脈口へのアクセスが保存され、口部へのアクセスを必要とする可能性のある将来の手技（たとえば、冠動脈ステント留置術など）を可能にする。
【０１３０】
いくつかの実施例によれば、サポート・フレーム１０７の軸線方向の長さは、主要ピーク２３０、微小ピーク２３６、及び谷底部２３２の間で変化することが可能である。
【０１３１】
たとえば、主要ピーク２３０において測定されるサポート・フレーム１０７の軸線方向の長さは、微小ピーク２３６において測定される軸線方向の長さよりも、約１０％から約５０％、約２０％から約４０％、約２５％から約３５％、又は約３３％大きくなっていることが可能である。
【０１３２】
追加的に、いくつかの実施例では、主要ピーク２３０において測定されるサポート・フレーム１０７の軸線方向の長さは、谷底部２３２において測定される軸線方向の長さよりも、約５０％から約１５０％、約７０％から約１３０％、約９０％から約１１０％、又は約１００％大きくなっていることが可能である。
【０１３３】
さらに、いくつかの実施例では、膜１０８は、サポート・フレーム１０７の第２の端部部分２１２に沿って、主要ピーク２３０及び微小ピーク２３６を辿るように図示されているが、膜１０８は、また、サポート・フレーム１０７の個々のストラット又はフレーム部材に沿って延在することも可能である。したがって、サポート・フレーム１０７を形成する個々のストラットは、おおよそ膜１０８の境界線を画定することが可能である。
【０１３４】
サポート・フレーム１０７、膜１０８、及び弁アンカー１２０の追加的な態様は、上述の出願人の同時係属中の出願のうちのいくつかに議論及び図示されているように構成され得、それらの文献の全体が、参照により本明細書に組み込まれている。
【０１３５】
たとえば、いくつかの実施例では、膜１０８は、織物又はメッシュ・ファブリックから膜１０８をカットすることによって形成又は製造され得る。膜ファブリックは、織物ファイバーから形成されたファブリック、たとえば、織物ポリエステルなどであることが可能である。上述の出願人の同時係属中の出願のうちのいくつかに議論及び図示されているように、膜ファブリックは、経糸方向及び緯糸方向のファイバーとともに織られ得、経糸方向及び緯糸方向は、互いに横断方向に配向されており、いくつかのケースでは、互いに垂直に配向されている。いくつかの実施例では、ファブリックは、経糸方向及び緯糸方向に対して斜めの方向、又は、経糸方向及び緯糸方向からバイアスされた方向へのストレッチング及びコンプライアンスを可能にしながら、経糸方向及び緯糸方向へのストレッチングに抵抗することが可能である。膜１０８及びフレーム１０７は、上述の出願人の同時係属中の出願のうちのいくつかにも開示されているように構成され得る。
【０１３６】
随意的に、１つ又は複数の膜１０８は、一般的に膜の形状になっているテンプレートを使用して、膜ファブリックからカットされ得る。１つ又は複数のテンプレートは、膜を切り抜くために膜ファブリックの上に設置され得る。テンプレートは、膜ファブリックに対して所定の角度で配向され得、膜が、サポート・フレーム１０７に連結されているときに、膜のファイバーの経糸方向又は緯糸方向とサポート・フレーム１０７の長手方向軸線との間にバイアス角度を画定するようになっている。バイアス角度は、約３０度から約６０度にあることが可能であり、たとえば、約３５度、約４０度、約４５度、約５０度、又は約５５度などであることが可能である。
【０１３７】
いくつかの実施例では、織物膜１０８の経糸及び緯糸は、長手方向軸線に対して０度から９０度の間のバイアス角度で配向され得る。いくつかの実施例では、織物膜１０８は、長手方向軸線に対して約１５度から約７５度の間のバイアス角度で配向され得る。いくつかの実施例では、織物膜１０８は、長手方向軸線に対して約３０度から約６０度の間のバイアス角度で配向され得る。いくつかの実施例では、織物膜１０８は、長手方向軸線に対して約４５度のバイアス角度で配向され得る。
【０１３８】
膜ファブリックに対して所定のバイアス角度でテンプレートを配向させることによって、結果として生じる膜１０８は、膜ファブリックの経糸方向及び緯糸方向に対してバイアス角度を伴うバイアスの上でカットされ得る。いくつかの実施例では、膜１０８は、サポート・フレーム１０７の上に膜ファブリックをスパイラル・ラッピングすることによって、及び、膜ファブリックをカットすることによって、バイアス角度でカットされ得る。
【０１３９】
サポート・フレーム１０７の上での膜１０８のファイバーのバイアス配向の実装を通して、膜１０８は、より容易に半径方向に圧縮し、サポート・フレーム１０７と協力して軸線方向に細長くなることが可能であり、したがって、いくつかの実施例では、膜１０８及びサポート・フレーム１０７が単一のユニットとして動作することを許容する。同様に、いくつかの実施例では、バイアス角度に沿って膜１０８を配向させることによって、膜１０８は、長手方向軸線に沿ってより容易に細長くなり、より小さい断面プロファイルを取得することが可能であり、それは、フレアリング（ｆｌａｒｉｎｇ）、バンチング（ｂｕｎｃｈｉｎｇ）、又はプリーツィング（ｐｌｅａｔｉｎｇ）を防止し、それによって、圧縮された構成における弁プロテーゼ１０５の断面プロファイルを最小化することが可能である。
【０１４０】
条項としての主題の技術の図示
本開示の態様のさまざまな実例が、便宜上、付番された条項（１、２、３など）として説明されている。これらは、実例として提供されており、主題の技術を限定しない。図及び参照数字の識別は、単なる実例として及び例示目的のために、下記に提供されているに過ぎず、条項は、それらの識別によって限定されない。
【０１４１】
条項１．  弁アンカーを含む弁プロテーゼであって、弁アンカーは、長手方向軸線並びに近位端部部分及び遠位端部部分を有しており、弁アンカーは、複数のＵ字形状の部材及び複数のアンカー固定レッグを含み、複数のＵ字形状の部材のそれぞれは、弁アンカーの遠位端部部分に配設されている丸みを帯びたベース部分と、丸みを帯びたベース部分から弁アンカーの近位端部部分に向けて近位に延在している第１及び第２のレッグとを有しており、第１のＵ字形状の部材の第１のレッグ、及び、第２のＵ字形状の部材の第２のレッグは、弁アンカーの近位端部部分において、複数のアンカー固定レッグのうちの１つの近位端部部分に連結されており、複数のアンカー固定レッグのそれぞれは、その遠位端部部分における接続アパーチャーと、アンカー固定レッグの長さに沿って延在している長手方向のスロットとを含み、複数のアンカー固定レッグ及び複数のＵ字形状の部材は、段階的に半径方向に膨張することが可能であり、自然の弁構造体に対して弁プロテーゼをアンカー固定するために、自然の弁構造体がそれらの間に間置されることを許容する、弁プロテーゼ。
【０１４２】
条項２．  複数のＵ字形状の部材は、３つのＵ字形状の部材を含み、複数のアンカー固定レッグは、３つのアンカー固定レッグを含む、請求項１に記載の弁プロテーゼ。
【０１４３】
条項３．  接続アパーチャーは、それぞれのアンカー固定レッグの遠位端部部分を通って延在する孔部をそれぞれ含む、請求項１に記載の弁プロテーゼ。
【０１４４】
条項４．  弁プロテーゼは、サポート・フレームをさらに含み、サポート・フレームは、少なくとも１つの縫合糸を介して弁アンカーに連結されており、少なくとも１つの縫合糸は、長手方向のスロットに沿ってアンカー固定レッグに連結されている、請求項１に記載の弁プロテーゼ。
【０１４５】
条項５．  サポート・フレームは、第１の端部部分及び第２の端部部分を含み、第１の端部部分は、第１の平面の中に延在する複数の頂点を含み、第２の端部部分は、複数のピーク及び谷底部を含み、ピークは、複数の主要頂点によって形成されており、谷底部は、主要頂点同士の間に形成されている、請求項４に記載の弁プロテーゼ。
【０１４６】
条項６．  第２の端部部分は、複数の微小頂点をさらに含み、微小頂点は、第２の端部部分の周辺部の周りに主要頂点同士の中間にそれぞれ位置決めされており、それぞれの谷底部は、微小頂点と主要頂点との間に間置されている、請求項５に記載の弁プロテーゼ。
【０１４７】
条項７．  サポート・フレームは、少なくとも１つの縫合糸を介して弁アンカーに連結されており、少なくとも１つの縫合糸は、長手方向のスロットのうちの少なくとも１つに沿って、アンカー固定レッグのうちの少なくとも１つに連結されており、また、第１の平面の中に延在する頂点のうちの少なくとも１つに連結されている、請求項６に記載の弁プロテーゼ。
【０１４８】
条項８．  弁プロテーゼは、サポート・フレームの内部に沿ってサポート・フレームに連結されている膜をさらに含み、膜は、サポート・フレームの第２の端部部分に沿って延在しており、膜の高さは、サポート・フレームのピークと谷底部との間で変化している、請求項５に記載の弁プロテーゼ。
【０１４９】
条項９．  膜は、経糸ファイバー及び緯糸ファイバーを有する織物ファブリックを含み、経糸ファイバーは、プロテーゼの長手方向軸線に対して横断方向に延在しており、緯糸ファイバーは、プロテーゼの長手方向軸線に対して横断方向に延在している、請求項８に記載の弁プロテーゼ。
【０１５０】
条項１０．  段階は、第１の段階及び第２の段階を含み、第１の段階において、複数のＵ字形状の部材のそれぞれの丸みを帯びたベース部分は、複数のアンカー固定レッグのそれぞれの遠位端部部分が接続アパーチャーを介して半径方向に拘束されている状態で、半径方向に膨張するように構成されており、第２の段階において、アンカー固定レッグのそれぞれの遠位端部部分は、丸みを帯びたベース部分の半径方向の膨張に続いて、半径方向に膨張するように構成されている、請求項１に記載の弁プロテーゼ。
【０１５１】
条項１１．  弁アンカーは、形状記憶材料から作製されている、請求項１に記載の弁プロテーゼ。
【０１５２】
条項１２．  形状記憶材料は、ニチノールである、請求項１１に記載の弁プロテーゼ。
【０１５３】
条項１３．  弁アンカーは、自己膨張するニチノール・フレームから作製されており、複数のＵ字形状の部材は、３つのＵ字形状の部材を含み、複数のアンカー固定レッグは、３つのアンカー固定レッグを含み、接続アパーチャーは、それぞれのアンカー固定レッグの遠位端部部分を通って延在する孔部をそれぞれ含み、プロテーゼは、サポート・フレームをさらに含み、サポート・フレームは、３つの縫合糸を介して弁アンカーに連結されており、３つの縫合糸は、３つのアンカー固定レッグのそれぞれの長手方向のスロットに沿って３つのアンカー固定レッグに連結されており、サポート・フレームは、第１の端部部分及び第２の端部部分を含み、第１の端部部分は、第１の平面の中に延在する複数の頂点を含み、第２の端部部分は、複数のピーク及び谷底部を含み、ピークは、複数の主要頂点によって形成されており、谷底部は、主要頂点同士の間に形成されており、第２の端部部分は、複数の微小頂点をさらに含み、微小頂点は、第２の部分の周辺部の周りに主要頂点同士の中間にそれぞれ位置決めされており、それぞれの谷底部は、微小頂点と主要頂点との間に間置されており、サポート・フレームは、少なくとも１つの縫合糸を介して弁アンカーに連結されており、３つの縫合糸は、第１の平面の中に延在する頂点のうちの３つにさらに連結されている、請求項１に記載の弁プロテーゼ。
【０１５４】
条項１４．  弁プロテーゼを送達するための送達システムであって、システムは、近位端部部分、遠位端部部分、及び、近位端部部分と遠位端部部分との間に延在する長手方向軸線を有する、コア部材と；弁プロテーゼに解放可能に係合するためにコア部材の遠位端部部分に連結されている係合メカニズムであって、係合メカニズムは、ピン・アッセンブリであって、ピン・アッセンブリは、コア部材に連結されており、コア部材に沿って移動可能であり、ピン・アッセンブリは、環状コンポーネント及び少なくとも１つのピンを含み、少なくとも１つのピンは、環状コンポーネントに連結されており、遠位端部部分から離れる方向に延在しており、少なくとも１つのピンは、コア部材から半径方向に間隔を離して配置されている、ピン・アッセンブリ、並びに、環状コンポーネントの近位においてコア部材に連結されているロック・コンポーネントであって、ロック・コンポーネントは、少なくとも１つのロック・アパーチャーを含み、少なくとも１つのロック・アパーチャーは、少なくとも１つのピンがそれを通って延在することを許容するように構成されており、ロック・コンポーネント及びピン・アッセンブリは、弁プロテーゼの一部分に係合するために、ロック・コンポーネントとピン・アッセンブリとの間に係合領域を集合的に形成している、ロック・コンポーネントを含み、ピン・アッセンブリは、コア部材及びロック・コンポーネントに対して遠位にスライド可能であり、係合領域から外へ少なくとも１つのピンを遠位に前進させ、弁プロテーゼの一部分からピン・アッセンブリを解除する、係合メカニズムと；ルーメンを有するシースであって、ルーメンは、ピン・アッセンブリ及び弁プロテーゼを係合された構成でその中に収納するように構成されている、シースとを含む、送達システム。
【０１５５】
条項１５．  ピン・アッセンブリの環状コンポーネントは、円筒形状のピストン部材を含む、請求項１４に記載のシステム。
【０１５６】
条項１６．  システムは、ピン・アッセンブリ及びロック・コンポーネントの近位にプッシャー・コンポーネントをさらに含み、プッシャー・コンポーネントは、コア部材に連結されており、コア部材に沿ってスライド可能であり、プッシャー・コンポーネントは、弁プロテーゼの一部分を解除するために、係合領域から外へ少なくとも１つのピンを遠位に前進させるために、ロック・コンポーネントに対して少なくとも１つのピンを遠位に前進させるために、ピン・アッセンブリに接触及び係合するように構成されている、請求項１４に記載のシステム。
【０１５７】
条項１７．  シースは、係合された構成におけるプッシャー・コンポーネントを収納するように構成されている、請求項１６に記載のシステム。
【０１５８】
条項１８．  ピン・アッセンブリは、チューブ状コンポーネントを含み、チューブ状コンポーネントは、ピン・アッセンブリに連結されており、ピン・アッセンブリとプッシャー・コンポーネントとの間に近位に延在しており、プッシャー・コンポーネントは、ピン・アッセンブリを遠位方向に促すために、チューブ状コンポーネントの近位端部部分に接触するように構成されている、請求項１６に記載のシステム。
【０１５９】
条項１９．  システムは、プッシャー・チューブに連結されているプッシャー・ブロックをさらに含み、プッシャー・チューブは、プッシャー・ブロックを遠位方向に前進させるために、コア部材に沿ってスライド可能である、請求項１６に記載のシステム。
【０１６０】
条項２０．  プッシャー・ブロックは、プッシャー・コンポーネントの近位に位置決めされており、プッシャー・ブロックは、プッシャー・コンポーネントから間隔を離して配置されており、その中への弁プロテーゼのサポート・フレームの設置を許容する、請求項１９に記載のシステム。
【０１６１】
条項２１．  シースは、係合された構成におけるプッシャー・ブロックを収納するように構成されている、請求項２０に記載のシステム。
【０１６２】
条項２２．  システムは、近位セクション及び遠位セクションを有するチューブ状コンポーネントをさらに含み、チューブ状コンポーネントの遠位セクションは、ピン・アッセンブリの環状コンポーネントに連結されている、請求項１４に記載のシステム。
【０１６３】
条項２３．  システムは、ロック・コンポーネントに連結されている遠位コーン・コンポーネントをさらに含み、遠位コーン・コンポーネントは、コア部材に固定して連結され、コア部材に対してロック・コンポーネントを連結しており、ロック・コンポーネントは、遠位部分及び近位部分を有しており、遠位部分は、遠位コーン・コンポーネントに連結されており、近位部分は、それを通って延在するルーメンを画定しており、近位部分のルーメンは、コア部材の外側プロファイルよりも大きい断面プロファイルを有しており、係合された構成になっているときにピン・アッセンブリがそれらの間に延在することを許容する、請求項１４に記載のシステム。
【０１６４】
条項２４．  ロック・コンポーネント及び遠位コーン・コンポーネントは、一緒に連結されているときに、キャビティーを集合的に形成しており、ピン・アッセンブリは、キャビティーの中に少なくとも部分的に配設されている、請求項２３に記載のシステム。
【０１６５】
条項２５．  ロック・コンポーネントは、第１のキャビティー領域を含み、遠位コーン・コンポーネントは、第２のキャビティー領域を含み、第１及び第２のキャビティー領域は、ロック・コンポーネント及び遠位コーン・コンポーネントが一緒に連結されているときに、キャビティーを集合的に形成する、請求項２４に記載のシステム。
【０１６６】
条項２６．  シースは、遠位コーンの半径方向の窪み部に当接するように構成された遠位端部を有している、請求項２３に記載のシステム。
【０１６７】
条項２７．  弁プロテーゼは、少なくとも１つのアンカー固定レッグを有する弁アンカーを含み、少なくとも１つのアンカー固定レッグは、少なくとも１つのピンと係合するために、それを通して配設された接続アパーチャーを含む、請求項１４に記載のシステム。
【０１６８】
条項２８．  ピン・アッセンブリは、複数のピンを含み、ロック・コンポーネントは、複数のピンのうちの１つにそれぞれ対応する複数のロック・アパーチャーを含む、請求項１４に記載のシステム。
【０１６９】
条項２９．  弁プロテーゼを送達するための送達システムであって、システムは、弁アンカーに連結されているサポート・フレームを含む弁プロテーゼであって、サポート・フレームは、それに連結されている複数の弁尖を有しており、弁アンカーは、３つのアンカー固定レッグを有しており、アンカー固定レッグは、それを通して配設されている接続アパーチャーをそれぞれ含む、弁プロテーゼと；近位端部部分、遠位端部部分、及び、近位端部部分と遠位端部部分との間に延在する長手方向軸線を有する、コア部材と；弁プロテーゼの弁アンカーに解放可能に係合するためにコア部材の遠位端部部分に連結されている係合メカニズムであって、係合メカニズムは、ノーズ・コーンであって、ノーズ・コーンは、その中に形成されたキャビティー、及び、それに連結されているロック・コンポーネントを有する、ノーズ・コーンと；ピン・アッセンブリであって、ピン・アッセンブリは、コア部材に連結されており、キャビティーの中をコア部材に沿って移動可能であり、ピン・アッセンブリは、コア部材の半径方向に外部に配設されており、ピン・アッセンブリは、環状コンポーネント及び３つのピンを含み、３つのピンは、環状コンポーネントに連結されており、遠位端部部分から離れる方向に延在しており、３つのピンは、コア部材から半径方向に間隔を離して配置されている、ピン・アッセンブリと；を含み、ロック・コンポーネントは、環状コンポーネントの近位に位置決めされており、ロック・コンポーネントは、３つのピンのうちの１つにそれぞれ対応する３つのロック・アパーチャーを含み、３つのロック・アパーチャーは、３つのピンがそれを通って延在することを許容するように構成されており、ロック・コンポーネント及びピン・アッセンブリは、係合された構成におけるその中の弁アンカーの一部分に係合するために、ロック・コンポーネントとピン・アッセンブリとの間に係合領域を集合的に形成しており、係合領域から外への３つのピンの移動のときに、弁アンカーの一部分の解除を許容する、係合メカニズムと；ルーメンを有するシースであって、ルーメンは、ピン・アッセンブリ、弁アンカー、及びサポート・フレームを係合された構成でその中に収納するように構成されており、シースは、ノーズ・コーンの半径方向の窪み部に当接するように構成された遠位端部を有している、シースとを含む、送達システム。
【０１７０】
条項３０．  システムは、ピン・アッセンブリ及びロック・コンポーネントの近位にプッシャー・コンポーネントをさらに含み、プッシャー・コンポーネントは、コア部材に連結されており、コア部材に沿ってスライド可能であり、プッシャー・コンポーネントは、弁プロテーゼの一部分を解除するために、係合領域から外へ３つのピンを遠位に前進させるために、ロック・コンポーネントに対して３つのピンを遠位に前進させるために、ピン・アッセンブリに接触及び係合するように構成されている、請求項２９に記載のシステム。
【０１７１】
条項３１．  シースは、係合された構成におけるプッシャー・コンポーネントを収納するように構成されている、請求項３０に記載のシステム。
【０１７２】
条項３２．  システムは、プッシャー・チューブに連結されているプッシャー・ブロックをさらに含み、プッシャー・チューブは、プッシャー・ブロックを遠位方向に前進させるために、コア部材に沿ってスライド可能である、請求項３０に記載のシステム。
【０１７３】
条項３３．  プッシャー・ブロックは、プッシャー・コンポーネントの近位に位置決めされており、プッシャー・ブロックは、プッシャー・コンポーネントから間隔を離して配置されており、その中への弁プロテーゼのサポート・フレームの設置を許容する、請求項３２に記載のシステム。
【０１７４】
条項３４．  シースは、係合された構成におけるプッシャー・ブロックを収納するように構成されている、請求項３３に記載のシステム。
【０１７５】
条項３５．  ピン・アッセンブリは、チューブ状コンポーネントを含み、チューブ状コンポーネントは、ピン・アッセンブリに連結されており、ピン・アッセンブリとプッシャー・コンポーネントとの間に近位に延在しており、プッシャー・コンポーネントは、ピン・アッセンブリを遠位方向に促すために、チューブ状コンポーネントの近位端部部分に接触するように構成されている、請求項３０に記載のシステム。
【０１７６】
条項３６．  シースは、ロック・コンポーネントの少なくとも一部分の上方に延在するように構成されている、請求項２９に記載のシステム。
【０１７７】
条項３７．  半径方向の窪み部は、ロック・コンポーネントをシースに取り外し可能に連結するために、ロック・コンポーネントの近位端部部分がシースのルーメンの中へ挿入されることを許容するように構成されている、請求項２９に記載のシステム。
【０１７８】
条項３８．  ピン・アッセンブリの環状コンポーネントは、円筒形状のピストン部材を含む、請求項２９に記載のシステム。
【０１７９】
条項３９．  ピストン部材は、対向する近位プレート及び遠位プレートを含み、近位プレートは、３つのアパーチャーを含み、３つのピンは、３つのアパーチャーを通って延在しており、３つのピンの一部分は、近位プレートと遠位プレートとの間に間置及び係合されている、請求項３８に記載のシステム。
【０１８０】
条項４０．  システムは、近位セクション及び遠位セクションを有するチューブ状コンポーネントをさらに含み、チューブ状コンポーネントの遠位セクションは、ピン・アッセンブリの環状コンポーネントに連結されている、請求項２９に記載のシステム。
【０１８１】
条項４１．  システムは、ロック・コンポーネントの近位の位置へロック・コンポーネントを通って近位に延在しているチューブ状コンポーネントをさらに含む、請求項２９に記載のシステム。
【０１８２】
条項４２．  （ａ）係合された構成において、ピン・アッセンブリの環状コンポーネントは、ロック・コンポーネントから第１の距離において軸線方向に間隔を離して配置されており、弁プロテーゼの一部分に係合するために、３つのピンが係合領域を通って延在することを許容しており、（ｂ）解放された構成において、環状コンポーネントは、ロック・コンポーネントから第１の距離よりも大きい第２の距離において軸線方向に間隔を離して配置されており、係合領域を通して３つのピンを遠位に前進させ、弁プロテーゼの一部分からピン・アッセンブリを解除する、請求項２９に記載のシステム。
【０１８３】
条項４３．  解放された構成において、３つのピンは、係合領域の外側に位置決めされている、請求項４２に記載のシステム。
【０１８４】
条項４４．  弁プロテーゼを送達するための送達システムであって、システムは、コア部材と；コア部材に連結されているノーズ・コーンであって、ノーズ・コーンは、ノーズ・コーン・コンポーネント、ノーズ・コーン・コンポーネントの近位にあってノーズ・コーン・コンポーネントに連結されているロック・コンポーネント、及び、その中に形成されたキャビティーを有しており、ノーズ・コーン・コンポーネントは、ロック・コンポーネントの遠位に位置決めされており、ロック・コンポーネントは、弁プロテーゼの一部分が係合され得る係合領域を形成している、ノーズ・コーンと；ピン・アッセンブリであって、ピン・アッセンブリは、コア部材に連結されており、キャビティーの中をコア部材に沿って移動可能であり、ピン・アッセンブリは、環状コンポーネント及び少なくとも１つのピンを含み、少なくとも１つのピンは、環状コンポーネントに連結されており、キャビティーから外へロック・コンポーネントを通って延在しており、ピン・アッセンブリは、コア部材及びロック・コンポーネントに対してスライド可能であり、係合領域の外へ少なくとも１つのピンを移動させ、弁プロテーゼの一部分からピン・アッセンブリを解除する、ピン・アッセンブリと；プッシャー部材であって、プッシャー部材は、コア部材に連結されており、コア部材に沿ってスライド可能であり、プッシャー部材は、ピン・アッセンブリ及びロック・コンポーネントの近位に配設されており、プッシャー部材は、弁プロテーゼの一部分を解除するために、係合領域から外へ少なくとも１つのピンを移動させるために、ロック・コンポーネントに対して少なくとも１つのピンを移動させるために、ピン・アッセンブリに接触及び係合するように構成されている、プッシャー部材とを含む、送達システム。
【０１８５】
条項４５．  ピン・アッセンブリは、コア部材及びロック・コンポーネントに対して遠位にスライド可能であり、係合領域から外へ少なくとも１つのピンを遠位に前進させ、弁プロテーゼの一部分からピン・アッセンブリを解除する、請求項４４に記載のシステム。
【０１８６】
条項４６．  ロック・コンポーネントは、近位フランジ及び遠位フランジを含み、近位フランジ及び遠位フランジは、それらの間に係合領域を集合的に形成している、請求項４４に記載のシステム。
【０１８７】
条項４７．  システムは、近位セクション及び遠位セクションを有するチューブ状コンポーネントをさらに含み、チューブ状コンポーネントの遠位セクションは、ピン・アッセンブリの環状コンポーネントに連結されている、請求項４４に記載のシステム。
【０１８８】
条項４８．  システムは、プッシャー部材をさらに含み、プッシャー部材は、コア部材に連結されており、コア部材に沿ってスライド可能であり、プッシャー部材は、係合領域から外へ少なくとも１つのピンを移動させるために、ピン・アッセンブリをスライドさせるためにピン・アッセンブリに接触するように構成されている、請求項４４に記載のシステム。
【０１８９】
条項４９．  プッシャー部材は、ピン・アッセンブリ及びロック・コンポーネントの近位に配設されており、プッシャー部材は、弁プロテーゼの一部分を解除するために、係合領域から外へ少なくとも１つのピンを遠位に前進させるために、ロック・コンポーネントに対して少なくとも１つのピンを遠位に前進させるために、ピン・アッセンブリに接触及び係合するように構成されている、請求項４８に記載のシステム。
【０１９０】
条項５０．  プッシャー部材は、近位平坦面及び円錐状の遠位面を有する円錐状の形状を含み、円錐状の遠位面は、ピン・アッセンブリに接触するように構成されている、請求項４９に記載のシステム。
【０１９１】
条項５１．  プッシャー・コンポーネントは、チューブ状部分と、チューブ状部分から延在するフランジとを含む、請求項４９に記載のシステム。
【０１９２】
条項５２．  プッシャー・コンポーネントは、弁プロテーゼのサポート・フレームの遠位端部部分に隣接して延在する近位面を有する半径方向のフランジを含み、折り畳まれた状態において、サポート・フレームは、プッシャー・コンポーネント近位面に接触するよう動作し、コア部材に対してプッシャー・コンポーネントを遠位に前進させる、請求項４９に記載のシステム。
【０１９３】
条項５３．  システムは、プッシャー・チューブに連結されているプッシャー・ブロックをさらに含み、プッシャー・チューブは、プッシャー・ブロックを遠位方向に前進させるために、コア部材に沿ってスライド可能であり、プッシャー・ブロックは、プッシャー・コンポーネントから間隔を離して配置されており、その中への弁プロテーゼのサポート・フレームの設置を許容する、請求項５２に記載のシステム。
【０１９４】
条項５４．  システムは、シースをさらに含み、シースは、そのルーメンの中にプッシャー・ブロック及びサポート・フレームを収納するように構成されおり、シース、サポート・フレーム、及びプッシャー・ブロックは、プッシャー・コンポーネントの近位平坦面に接触するように構成されており、コア部材に対してプッシャー・コンポーネントをピン・アッセンブリに向けて移動させるために、プッシャー・コンポーネントに対して遠位力を付与する、請求項５３に記載のシステム。
【０１９５】
条項５５．  ノーズ・コンポーネントは、コア部材に固定して連結され、コア部材に対してロック・コンポーネントを連結しており、ロック・コンポーネントは、遠位部分及び近位部分を有しており、遠位部分は、ノーズ・コーン・コンポーネントに連結されており、近位部分は、それを通って延在するルーメンを画定しており、近位部分のルーメンは、コア部材の外側プロファイルよりも大きい断面プロファイルを有しており、係合された構成になっているときにピン・アッセンブリがそれらの間に延在することを許容する、請求項４４に記載のシステム。
【０１９６】
条項５６．  ロック・コンポーネント及びノーズ・コーン・コンポーネントは、一緒に連結されているときに、キャビティーを集合的に形成しており、ロック・コンポーネントは、第１のキャビティー領域を含み、ノーズ・コーン・コンポーネントは、第２のキャビティー領域を含み、第１及び第２のキャビティー領域は、ロック・コンポーネント及びノーズ・コーン・コンポーネントが一緒に連結されているときに、キャビティーを集合的に形成する、請求項５５に記載のシステム。
【０１９７】
条項５７．  （ａ）係合された構成において、ピン・アッセンブリの環状コンポーネントは、ロック・コンポーネントから第１の距離において軸線方向に間隔を離して配置されており、弁プロテーゼの一部分に係合するために、少なくとも１つのピンが係合領域を通って延在することを許容しており、（ｂ）解放された構成において、環状コンポーネントは、ロック・コンポーネントから第１の距離よりも大きい第２の距離において軸線方向に間隔を離して配置されており、係合領域を通して少なくとも１つのピンを遠位に前進させ、弁プロテーゼの一部分からピン・アッセンブリを解除する、請求項４４に記載のシステム。
【０１９８】
条項５８．  解放された構成において、少なくとも１つのピンは、係合領域の外側に位置決めされている、請求項５７に記載のシステム。
【０１９９】
条項５９．  弁プロテーゼを送達するための送達システムであって、システムは、近位端部部分、遠位端部部分、及び、近位端部部分と遠位端部部分との間に延在する長手方向軸線を有する、コア部材と；コア部材に連結されているノーズ・コーンであって、ノーズ・コーンは、ノーズ・コーン・コンポーネント、及び、ノーズ・コーン・コンポーネントに連結されているロック・コンポーネントを有しており、ロック・コンポーネントは、弁プロテーゼの一部分が係合され得る係合領域を形成している、ノーズ・コーンと；ピン・アッセンブリであって、ピン・アッセンブリは、コア部材に連結されており、コア部材に沿って移動可能であり、ピン・アッセンブリは、環状コンポーネント及び３つのピンを含み、３つのピンは、環状コンポーネントに連結されており、ロック・コンポーネントを通って延在しており、ピン・アッセンブリは、コア部材及びロック・コンポーネントに対してスライド可能であり、係合領域から外へ３つのピンを移動させ、弁プロテーゼの一部分からピン・アッセンブリを解除する、ピン・アッセンブリと；プッシャー部材であって、プッシャー部材は、コア部材に連結されており、コア部材に沿ってスライド可能であり、プッシャー部材は、ピン・アッセンブリ及びロック・コンポーネントの近位に配設されており、プッシャー部材は、弁プロテーゼの一部分を解除するために、係合領域から外へ３つのピンを遠位に前進させるために、ロック・コンポーネントに対して３つのピンを遠位に前進させるために、ピン・アッセンブリに接触及び係合するように構成されている、プッシャー部材とを含む、送達システム。
【０２００】
条項６０．  ピン・アッセンブリは、コア部材及びロック・コンポーネントに対して遠位にスライド可能であり、係合領域から外へ３つのピンを遠位に前進させ、弁プロテーゼの一部分からピン・アッセンブリを解除する、請求項５９に記載のシステム。
【０２０１】
条項６１．  ロック・コンポーネントは、近位フランジ及び遠位フランジを含み、近位フランジ及び遠位フランジは、それらの間に係合領域を集合的に形成している、請求項５９に記載のシステム。
【０２０２】
条項６２．  システムは、近位セクション及び遠位セクションを有するチューブ状コンポーネントをさらに含み、チューブ状コンポーネントの遠位セクションは、ピン・アッセンブリの環状コンポーネントに連結されている、請求項５９に記載のシステム。
【０２０３】
条項６３．  システムは、プッシャー部材をさらに含み、プッシャー部材は、コア部材に連結されており、コア部材に沿ってスライド可能であり、プッシャー部材は、係合領域から外へ３つのピンを移動させるために、ピン・アッセンブリをスライドさせるためにピン・アッセンブリに接触するように構成されている、請求項５９に記載のシステム。
【０２０４】
条項６４．  プッシャー部材は、ピン・アッセンブリ及びロック・コンポーネントの近位に配設されており、プッシャー部材は、弁プロテーゼの一部分を解除するために、係合領域から外へ３つのピンを遠位に前進させるために、ロック・コンポーネントに対して３つのピンを遠位に前進させるために、ピン・アッセンブリに接触及び係合するように構成されている、請求項６３に記載のシステム。
【０２０５】
条項６５．  プッシャー部材は、近位平坦面及び円錐状の遠位面を有する円錐状の形状を含み、円錐状の遠位面は、ピン・アッセンブリに接触するように構成されている、請求項６４に記載のシステム。
【０２０６】
条項６６．  ピン・アッセンブリは、チューブ状コンポーネントを含み、チューブ状コンポーネントは、ピン・アッセンブリに連結されており、ピン・アッセンブリとプッシャー部材との間に近位に延在しており、プッシャー部材は、ピン・アッセンブリを遠位方向に促すために、チューブ状コンポーネントの近位端部部分に接触するように構成されている、請求項６５に記載のシステム。
【０２０７】
条項６７．  チューブ状コンポーネントは、ロック・コンポーネントの近位の位置へロック・コンポーネントを通って近位に延在している、請求項６６に記載のシステム。
【０２０８】
条項６８．  ノーズ・コーン・コンポーネントは、コア部材に固定して連結されており、ロック・コンポーネントは、遠位部分及び近位部分を有しており、遠位部分は、ノーズ・コーン・コンポーネントに連結されており、近位部分は、それを通って延在するルーメンを画定しており、近位部分のルーメンは、コア部材の外側プロファイルよりも大きい断面プロファイルを有しており、係合された構成になっているときにチューブ状コンポーネントがそれらの間に延在することを許容する、請求項６７に記載のシステム。
【０２０９】
条項６９．  ロック・コンポーネントの近位部分は、係合された構成において、チューブ状コンポーネントに半径方向にオーバーラップしている、請求項６８に記載のシステム。
【０２１０】
条項７０．  プッシャー・コンポーネントは、チューブ状部分と、チューブ状部分から延在するフランジとを含む、請求項６４に記載のシステム。
【０２１１】
条項７１．  プッシャー・コンポーネントは、弁プロテーゼのサポート・フレームの遠位端部部分に隣接して延在する近位面を有する半径方向のフランジを含み、折り畳まれた状態において、サポート・フレームは、プッシャー・コンポーネント近位面に接触するよう動作し、コア部材に対してプッシャー・コンポーネントを遠位に前進させる、請求項６４に記載のシステム。
【０２１２】
条項７２．  ノーズ・コンポーネントは、コア部材に固定して連結され、コア部材に対してロック・コンポーネントを連結しており、ロック・コンポーネントは、遠位部分及び近位部分を有しており、遠位部分は、ノーズ・コーン・コンポーネントに連結されており、近位部分は、それを通って延在するルーメンを画定しており、近位部分のルーメンは、コア部材の外側プロファイルよりも大きい断面プロファイルを有しており、係合された構成になっているときにピン・アッセンブリがそれらの間に延在することを許容する、請求項５９に記載のシステム。
【０２１３】
条項７３．  弁プロテーゼは、少なくとも１つのアンカー固定レッグを有する弁アンカーを含み、少なくとも１つのアンカー固定レッグは、３つのピンと係合するために、それを通して配設された接続アパーチャーを含む、請求項５９に記載のシステム。
【０２１４】
条項７４．  弁プロテーゼを送達するための送達システムであって、システムは、近位端部部分、遠位端部部分、及び、近位端部部分と遠位端部部分との間に延在する長手方向軸線を有する、コア部材と；コア部材に連結されているノーズ・コーンであって、ノーズ・コーンは、ノーズ・コーンの中に形成されたキャビティー、及び、ノーズ・コーンから延在するロック・コンポーネントを有しており、ロック・コンポーネントは、弁プロテーゼの一部分が係合され得る係合領域を形成している、ノーズ・コーンと；ピン・アッセンブリであって、ピン・アッセンブリは、コア部材に連結されており、キャビティーの中をコア部材に沿って移動可能であり、ピン・アッセンブリは、環状コンポーネント、環状コンポーネントから延在するチューブ状コンポーネント、及び、少なくとも１つのピンを含み、少なくとも１つのピンは、環状コンポーネントに連結されており、キャビティーから外へロック・コンポーネントを通って延在しており、ピン・アッセンブリは、コア部材及びロック・コンポーネントに対して遠位にスライド可能であり、係合領域から外へ少なくとも１つのピンを遠位に前進させ、弁プロテーゼの一部分からピン・アッセンブリを解除する、ピン・アッセンブリと；プッシャー部材であって、プッシャー部材は、コア部材に連結されており、コア部材に沿ってスライド可能であり、プッシャー部材は、ピン・アッセンブリ及びロック・コンポーネントの近位に配設されており、プッシャー部材は、近位平坦面及び円錐状の遠位面を有する円錐状の形状を含み、円錐状の遠位面は、弁プロテーゼの一部分を解除するために、係合領域から外へ少なくとも１つのピンを遠位に前進させるために、ロック・コンポーネントに対して少なくとも１つのピンを遠位に前進させるために、ピン・アッセンブリのチューブ状コンポーネントの近位端部部分に接触及び係合するように構成されている、プッシャー部材と；プッシャー・チューブに連結されているプッシング・ブロックであって、プッシャー・チューブは、プッシング・ブロックを遠位方向に前進させるために、コア部材に沿ってスライド可能であり、プッシング・ブロックは、プッシャー・コンポーネントの近位に位置決めされており、プッシング・ブロックは、プッシャー・コンポーネントから間隔を離して配置されており、その中への弁プロテーゼのサポート・フレームの設置を許容する、プッシング・ブロックとを含む、送達システム。
【０２１５】
条項７５．  ロック・コンポーネントは、環状コンポーネントの近位に配設されており、ロック・コンポーネントは、少なくとも１つのロック・アパーチャーを含み、少なくとも１つのロック・アパーチャーは、少なくとも１つのピンがそれを通って延在することを許容するように構成されている、請求項７４に記載のシステム。
【０２１６】
条項７６．  ロック・コンポーネントは、近位フランジ及び遠位フランジを含み、近位フランジ及び遠位フランジは、それらの間に係合領域を集合的に形成している、請求項７４に記載のシステム。
【０２１７】
条項７７．  ピン・アッセンブリの環状コンポーネントは、キャビティーの中をスライド可能な円筒形状のピストン部材を含む、請求項７４に記載のシステム。
【０２１８】
条項７８．  ピストン部材は、対向する近位プレート及び遠位プレートを含み、近位プレートは、少なくとも１つのアパーチャーを含み、少なくとも１つのピンは、少なくとも１つのアパーチャーを通って延在しており、少なくとも１つのピンの一部分は、近位プレートと遠位プレートとの間に間置及び係合されている、請求項７７に記載のシステム。
【０２１９】
条項７９．  チューブ状コンポーネントは、ロック・コンポーネントの近位の位置へロック・コンポーネントを通って近位に延在している、請求項７４に記載のシステム。
【０２２０】
条項８０．  ロック・コンポーネントは、遠位部分及び近位部分を有しており、近位部分は、それを通って延在するルーメンを画定しており、近位部分のルーメンは、コア部材の外側プロファイルよりも大きい断面プロファイルを有しており、係合された構成になっているときにチューブ状コンポーネントがそれらの間に延在することを許容する、請求項７９に記載のシステム。
【０２２１】
条項８１．  ロック・コンポーネントの近位部分は、係合された構成において、チューブ状コンポーネントに半径方向にオーバーラップしている、請求項８０に記載のシステム。
【０２２２】
条項８２．  プッシャー・コンポーネントは、チューブ状部分と、チューブ状部分から延在するフランジとを含む、請求項７４に記載のシステム。
【０２２３】
条項８３．  プッシャー・コンポーネントは、弁プロテーゼのサポート・フレームの遠位端部部分に隣接して延在する近位面を有する半径方向のフランジを含み、折り畳まれた状態において、サポート・フレームは、プッシャー・コンポーネント近位面に接触するよう動作し、コア部材に対してプッシャー・コンポーネントを遠位に前進させる、請求項７４に記載のシステム。
【０２２４】
条項８４．  システムは、シースをさらに含み、シースは、そのルーメンの中にプッシング・ブロック及びサポート・フレームを収納するように構成されており、シース、サポート・フレーム、及びプッシング・ブロックは、プッシャー・コンポーネントの近位平坦面に接触するように構成されており、コア部材に対してプッシャー・コンポーネントをピン・アッセンブリに向けて移動させるために、プッシャー・コンポーネントに対して遠位力を付与する、請求項７４に記載のシステム。
【０２２５】
条項８５．  弁プロテーゼは、少なくとも１つのアンカー固定レッグを有する弁アンカーを含み、少なくとも１つのアンカー固定レッグは、少なくとも１つのピンと係合するために、それを通して配設された接続アパーチャーを含む、請求項７４に記載のシステム。
【０２２６】
条項８６．  弁アンカーは、３つのアンカー固定レッグを含み、ピン・アッセンブリは、弁アンカーのそれぞれのアンカー固定レッグと係合するための３つのピンを含む、請求項８５に記載のシステム。
【０２２７】
条項８７．  （ａ）係合された構成において、ピン・アッセンブリの環状コンポーネントは、ロック・コンポーネントから第１の距離において軸線方向に間隔を離して配置されており、弁プロテーゼの一部分に係合するために、少なくとも１つのピンが係合領域を通って延在することを許容しており、（ｂ）解放された構成において、環状コンポーネントは、ロック・コンポーネントから第１の距離よりも大きい第２の距離において軸線方向に間隔を離して配置されており、係合領域を通して少なくとも１つのピンを遠位に前進させ、弁プロテーゼの一部分からピン・アッセンブリを解除する、請求項７４に記載のシステム。
【０２２８】
条項８８．  解放された構成において、少なくとも１つのピンは、係合領域の外側に位置決めされている、請求項８７に記載のシステム。
【０２２９】
条項８９．  弁プロテーゼを送達するための送達システムであって、システムは、コア部材と；コア部材に連結されているノーズ・コーンであって、ノーズ・コーンは、ノーズ・コーン・コンポーネント、ノーズ・コーン・コンポーネントの近位にあってノーズ・コーン・コンポーネントに連結されているロック・コンポーネント、及び、その中に形成されたキャビティーを有しており、ノーズ・コーン・コンポーネントは、ロック・コンポーネントの遠位に位置決めされており、ロック・コンポーネントは、弁プロテーゼの一部分が係合され得る係合領域を形成している、ノーズ・コーンと；ピン・アッセンブリであって、ピン・アッセンブリは、コア部材に連結されており、キャビティーの中をコア部材に沿って移動可能であり、ピン・アッセンブリは、環状コンポーネント及び少なくとも１つのピンを含み、少なくとも１つのピンは、環状コンポーネントに連結されており、キャビティーから外へロック・コンポーネントを通って延在しており、ピン・アッセンブリは、コア部材及びロック・コンポーネントに対してスライド可能であり、係合領域の外へ少なくとも１つのピンを移動させ、弁プロテーゼの一部分からピン・アッセンブリを解除する、ピン・アッセンブリとを含む、送達システム。
【０２３０】
条項９０．  ピン・アッセンブリは、コア部材及びロック・コンポーネントに対して遠位にスライド可能であり、係合領域から外へ少なくとも１つのピンを遠位に前進させ、弁プロテーゼの一部分からピン・アッセンブリを解除する、請求項８９に記載のシステム。
【０２３１】
条項９１．  ノーズ・コーンは、コア部材の遠位端部部分に連結されている、請求項８９に記載のシステム。
【０２３２】
条項９２．  ロック・コンポーネントは、環状コンポーネントの近位に配設されており、ロック・コンポーネントは、少なくとも１つのロック・アパーチャーを含み、少なくとも１つのロック・アパーチャーは、少なくとも１つのピンがそれを通って延在することを許容するように構成されている、請求項８９に記載のシステム。
【０２３３】
条項９３．  ロック・コンポーネントは、近位フランジ及び遠位フランジを含み、近位フランジ及び遠位フランジは、それらの間に係合領域を集合的に形成している、請求項８９に記載のシステム。
【０２３４】
条項９４．  ノーズ・コンポーネントは、コア部材に固定して連結され、コア部材に対してロック・コンポーネントを連結しており、ロック・コンポーネントは、遠位部分及び近位部分を有しており、遠位部分は、ノーズ・コーン・コンポーネントに連結されており、近位部分は、それを通って延在するルーメンを画定しており、近位部分のルーメンは、コア部材の外側プロファイルよりも大きい断面プロファイルを有しており、係合された構成になっているときにピン・アッセンブリがそれらの間に延在することを許容する、請求項８９に記載のシステム。
【０２３５】
条項９５．  （ａ）係合された構成において、ピン・アッセンブリの環状コンポーネントは、ロック・コンポーネントから第１の距離において軸線方向に間隔を離して配置されており、弁プロテーゼの一部分に係合するために、少なくとも１つのピンが係合領域を通って延在することを許容しており、（ｂ）解放された構成において、環状コンポーネントは、ロック・コンポーネントから第１の距離よりも大きい第２の距離において軸線方向に間隔を離して配置されており、係合領域を通して少なくとも１つのピンを遠位に前進させ、弁プロテーゼの一部分からピン・アッセンブリを解除する、請求項８９に記載のシステム。
【０２３６】
条項９６．  解放された構成において、少なくとも１つのピンは、係合領域の外側に位置決めされている、請求項９５に記載のシステム。
【０２３７】
条項９７．  システムは、近位セクション及び遠位セクションを有するチューブ状コンポーネントをさらに含み、チューブ状コンポーネントの遠位セクションは、ピン・アッセンブリの環状コンポーネントに連結されている、請求項８９に記載のシステム。
【０２３８】
条項９８．  チューブ状コンポーネントは、ロック・コンポーネントの近位の位置へロック・コンポーネントを通って近位に延在している、請求項９７に記載のシステム。
【０２３９】
条項９９．  ノーズ・コーン・コンポーネントは、コア部材に固定して連結されており、ロック・コンポーネントは、遠位部分及び近位部分を有しており、遠位部分は、ノーズ・コーン・コンポーネントに連結されており、近位部分は、それを通って延在するルーメンを画定しており、近位部分のルーメンは、コア部材の外側プロファイルよりも大きい断面プロファイルを有しており、係合された構成になっているときにチューブ状コンポーネントがそれらの間に延在することを許容する、請求項９８に記載のシステム。
【０２４０】
条項１００．  ロック・コンポーネントの近位部分は、係合された構成において、チューブ状コンポーネントに半径方向にオーバーラップしている、請求項９９に記載のシステム。
【０２４１】
条項１０１．  ノーズ・コンポーネントは、コア部材に固定して連結され、コア部材に対してロック・コンポーネントを連結しており、ロック・コンポーネントは、遠位部分及び近位部分を有しており、遠位部分は、ノーズ・コーン・コンポーネントに連結されており、近位部分は、それを通って延在するルーメンを画定しており、近位部分のルーメンは、コア部材の外側プロファイルよりも大きい断面プロファイルを有しており、係合された構成になっているときにピン・アッセンブリがそれらの間に延在することを許容する、請求項８９に記載のシステム。
【０２４２】
条項１０２．  ロック・コンポーネント及びノーズ・コーン・コンポーネントは、一緒に連結されているときに、キャビティーを集合的に形成している、請求項８９に記載のシステム。
【０２４３】
条項１０３．  ロック・コンポーネントは、第１のキャビティー領域を含み、ノーズ・コーン・コンポーネントは、第２のキャビティー領域を含み、第１及び第２のキャビティー領域は、ロック・コンポーネント及びノーズ・コーン・コンポーネントが一緒に連結されているときに、キャビティーを集合的に形成する、請求項１０２に記載のシステム。
【０２４４】
条項１０４．  弁プロテーゼを送達するための送達システムであって、システムは、近位端部部分、遠位端部部分、及び、近位端部部分と遠位端部部分との間に延在する長手方向軸線を有する、コア部材と；コア部材に連結されているノーズ・コーンであって、ノーズ・コーンは、ノーズ・コーン・コンポーネント、及び、ノーズ・コーン・コンポーネントに連結されているロック・コンポーネントを有しており、ロック・コンポーネントは、弁プロテーゼの一部分が係合され得る係合領域を形成している、ノーズ・コーンと；ピン・アッセンブリであって、ピン・アッセンブリは、コア部材に連結されており、コア部材に沿って移動可能であり、ピン・アッセンブリは、環状コンポーネント及び３つのピンを含み、３つのピンは、環状コンポーネントに連結されており、ロック・コンポーネントを通って延在しており、ピン・アッセンブリは、コア部材及びロック・コンポーネントに対してスライド可能であり、係合領域から外へ３つのピンを移動させ、弁プロテーゼの一部分からピン・アッセンブリを解除する、ピン・アッセンブリとを含む、送達システム。
【０２４５】
条項１０５．  ピン・アッセンブリは、コア部材及びロック・コンポーネントに対して遠位にスライド可能であり、係合領域から外へ３つのピンを遠位に前進させ、弁プロテーゼの一部分からピン・アッセンブリを解除する、請求項１０４に記載のシステム。
【０２４６】
条項１０６．  ロック・コンポーネントは、環状コンポーネントの近位に配設されており、ロック・コンポーネントは、少なくとも１つのロック・アパーチャーを含み、少なくとも１つのロック・アパーチャーは、３つのピンがそれを通って延在することを許容するように構成されている、請求項１０４に記載のシステム。
【０２４７】
条項１０７．  ロック・コンポーネントは、近位フランジ及び遠位フランジを含み、近位フランジ及び遠位フランジは、それらの間に係合領域を集合的に形成している、請求項１０４に記載のシステム。
【０２４８】
条項１０８．  システムは、近位セクション及び遠位セクションを有するチューブ状コンポーネントをさらに含み、チューブ状コンポーネントの遠位セクションは、ピン・アッセンブリの環状コンポーネントに連結されている、請求項１０４に記載のシステム。
【０２４９】
条項１０９．  チューブ状コンポーネントは、ロック・コンポーネントの近位の位置へロック・コンポーネントを通って近位に延在している、請求項１０８に記載のシステム。
【０２５０】
条項１１０．  ノーズ・コーン・コンポーネントは、コア部材に固定して連結されており、ロック・コンポーネントは、遠位部分及び近位部分を有しており、遠位部分は、ノーズ・コーン・コンポーネントに連結されており、近位部分は、それを通って延在するルーメンを画定しており、近位部分のルーメンは、コア部材の外側プロファイルよりも大きい断面プロファイルを有しており、係合された構成になっているときにチューブ状コンポーネントがそれらの間に延在することを許容する、請求項１０９に記載のシステム。
【０２５１】
条項１１１．  ロック・コンポーネントの近位部分は、係合された構成において、チューブ状コンポーネントに半径方向にオーバーラップしている、請求項１１０に記載のシステム。
【０２５２】
条項１１２．  ノーズ・コンポーネントは、コア部材に固定して連結され、コア部材に対してロック・コンポーネントを連結しており、ロック・コンポーネントは、遠位部分及び近位部分を有しており、遠位部分は、ノーズ・コーン・コンポーネントに連結されており、近位部分は、それを通って延在するルーメンを画定しており、近位部分のルーメンは、コア部材の外側プロファイルよりも大きい断面プロファイルを有しており、係合された構成になっているときにピン・アッセンブリがそれらの間に延在することを許容する、請求項１０４に記載のシステム。
【０２５３】
条項１１３．  弁プロテーゼは、少なくとも１つのアンカー固定レッグを有する弁アンカーを含み、少なくとも１つのアンカー固定レッグは、３つのピンと係合するために、それを通して配設された接続アパーチャーを含む、請求項１０４に記載のシステム。
【０２５４】
条項１１４．  システムは、シースをさらに含み、シースは、コア部材に沿って延在しており、弁プロテーゼを圧縮された構成で収納するように構成されている、請求項１０４に記載のシステム。
【０２５５】
条項１１５．  シースは、ロック・コンポーネントの少なくとも一部分の上方に延在するように構成されている、請求項１１４に記載のシステム。
【０２５６】
条項１１６．  ロック・コンポーネントの近位端部部分は、シースの遠位端部に当接するように構成された半径方向の窪み部を含む、請求項１１５に記載のシステム。
【０２５７】
条項１１７．  半径方向の窪み部は、ロック・コンポーネントをシースに取り外し可能に連結するために、ロック・コンポーネント近位端部部分がシースのルーメンの中へ挿入されることを許容するように構成されている、請求項１１６に記載のシステム。
【０２５８】
条項１１８．  ピン・アッセンブリは、複数のピンを含み、ロック・コンポーネントは、複数のピンのうちの１つにそれぞれ対応する複数のロック・アパーチャーを含む、請求項１０４に記載のシステム。
【０２５９】
条項１１９．  送達システムの上に弁プロテーゼを組み立てる方法であって、方法は、送達システムのシースの中にコンパクト化された状態で弁プロテーゼを収納するステップであって、弁プロテーゼは、弁アンカー、及び、弁アンカーに連結されているサポート・フレームを含み、弁アンカーは、複数の接続アパーチャーを有する複数のアンカー固定レッグを含む、ステップと；ピン・アッセンブリがコア部材に沿って長手方向にスライド可能であるように、コア部材の周りにピン・アッセンブリをスライド可能に連結するステップと；弁アンカーの複数のアンカー固定レッグに係合するように、弁アンカーの複数の接続アパーチャー及び送達システムの複数のロック・アパーチャーを通して、ピン・アッセンブリの複数のピンを挿入するステップとを含む、方法。
【０２６０】
条項１２０．  弁アンカーの複数の接続アパーチャーを第１のフランジと第２のフランジとの間に位置決めするステップであって、ロック・アパーチャーは、第１のフランジ及び第２のフランジの両方を通って延在している、ステップをさらに含む、請求項１１９に記載の方法。
【０２６１】
条項１２１．  ピン・アッセンブリが係合された構成と解除された構成との間でキャビティーの中を往復運動式になるように、ピン・アッセンブリの環状コンポーネントを送達システムのキャビティーの中に位置決めするステップであって、複数のピンは、環状コンポーネントから長手方向に延在している、ステップをさらに含む、請求項１１９に記載の方法。
【０２６２】
条項１２２．  プッシャー・コンポーネントがコア部材に沿って長手方向にスライド可能であるように、プッシャー・コンポーネントをコア部材の周りにスライド可能に連結するステップをさらに含む、請求項１１９に記載の方法。
【０２６３】
条項１２３．  プッシャー・コンポーネントがチューブ状コンポーネントの端部に接触することができるように、プッシャー・コンポーネントに向けてコア部材に沿って延在するように、ピン・アッセンブリのチューブ状コンポーネントを位置決めするステップをさらに含む、請求項１２２に記載の方法。
【０２６４】
条項１２４．  チューブ状コンポーネントがピン・アッセンブリに接触することができるように、ピン・アッセンブリに向けてコア部材に沿って延在するように、プッシャー・コンポーネントのチューブ状コンポーネントを位置決めするステップをさらに含む、請求項１２２に記載の方法。
【０２６５】
条項１２５．  サポート・フレームの第１の端部がプッシャー・コンポーネントに接触することができるように、プッシャー・コンポーネントをサポート・フレームの第１の端部に位置決めするステップをさらに含む、請求項１２２に記載の方法。
【０２６６】
条項１２６．  第２の端部がサポート・フレームに接触することができるように、サポート・フレームの第１の端部の反対側のサポート・フレームの第２の端部にプッシング・ブロックを位置決めするステップをさらに含む、請求項１２５に記載の方法。
【０２６７】
条項１２７．  複数のアンカー固定レッグの長さに沿って延在している複数の長手方向のスロットに沿ってスライド可能に連結されている少なくとも１つの縫合糸を介して、弁アンカーをサポート・フレームに連結するステップをさらに含む、請求項１１９に記載の方法。
【０２６８】
条項１２８．  弁アンカーと弁アンカーに直列的に連結されているサポート・フレームとをシースの中に位置決めするステップをさらに含む、請求項１１９に記載の方法。
【０２６９】
条項１２９．  弁プロテーゼを有するシースであって、弁プロテーゼは、コンパクト化された状態でシースの中に収納され、弁プロテーゼは、弁アンカー及びサポート・フレームを含み、サポート・フレームは、弁アンカーに移動可能に連結されており、弁アンカーは、複数の接続アパーチャーを有する複数のアンカー固定レッグを含む、シースと；長手方向に延在しているコア部材と；複数のロック・アパーチャーを含むロック・コンポーネントと；ピン・アッセンブリであって、ピン・アッセンブリは、コア部材にスライド可能に連結されており、ピン・アッセンブリがコア部材に沿って長手方向にスライド可能であるようになっており、ピン・アッセンブリは、複数のピンを含み、複数のピンは、複数の接続アパーチャーを通って、及び、複数のロック・アパーチャーを通って長手方向に延在し、弁アンカーの複数のアンカー固定レッグに係合している、ピン・アッセンブリとを含む、送達システム。
【０２７０】
条項１３０．  送達システムは、弁アンカーの複数の接続アパーチャーを第１のフランジと第２のフランジとの間に位置決めすることをさらに含み、ロック・アパーチャーは、第１のフランジ及び第２のフランジの両方を通って延在している、請求項１２９に記載の送達システム。
【０２７１】
条項１３１．  ピン・アッセンブリは、環状コンポーネントをさらに含み、環状コンポーネントは、キャビティーの中に往復運動可能に配設されており、複数のピンは、環状コンポーネントから長手方向に延在している、請求項１２９に記載の送達システム。
【０２７２】
条項１３２．  送達システムは、プッシャー・コンポーネントをさらに含み、プッシャー・コンポーネントは、コア部材にスライド可能に連結されており、プッシャー・コンポーネントがコア部材に沿って長手方向にスライド可能であるようになっている、請求項１２９に記載の送達システム。
【０２７３】
条項１３３．  ピン・アッセンブリは、プッシャー・コンポーネントに向けてコア部材に沿って延在するチューブ状コンポーネントを含み、プッシャー・コンポーネントは、チューブ状コンポーネントの端部に接触するように構成されている、請求項１３２に記載の送達システム。
【０２７４】
条項１３４．  プッシャー・コンポーネントは、ピン・アッセンブリに向けてコア部材に沿って延在するチューブ状コンポーネントを含み、チューブ状コンポーネントの端部は、ピン・アッセンブリに接触するように構成されている、請求項１３２に記載の送達システム。
【０２７５】
条項１３５．  サポート・フレームは、プッシャー・コンポーネントに接触するように位置決めされた第１の端部を有している、請求項１３２に記載の送達システム。
【０２７６】
条項１３６．  送達システムは、プッシング・ブロックをさらに含み、プッシング・ブロックは、サポート・フレームの第１の端部の反対側のサポート・フレームの第２の端部に接触するように構成されている、請求項１３５に記載の送達システム。
【０２７７】
条項１３７．  送達システムは、少なくとも１つの縫合糸をさらに含み、少なくとも１つの縫合糸は、サポート・フレームに連結されており、複数のアンカー固定レッグの長さに沿って延在する複数の長手方向のスロットに沿ってスライド可能に連結されている、請求項１２９に記載の送達システム。
【０２７８】
条項１３８．  弁アンカー、及び、弁アンカーに連結されているサポート・フレームは、シースの中に直列的に位置決めされている、請求項１２９に記載の送達システム。
【０２７９】
条項１３９．  弁プロテーゼを有するシースであって、弁プロテーゼは、コンパクト化された状態でシースの中に収納され、弁プロテーゼは、弁アンカー及びサポート・フレームを含み、サポート・フレームは、弁アンカーに移動可能に連結されており、弁アンカーは、複数の丸みを帯びたベース部分及び複数のアンカー固定レッグを含み、複数のアンカー固定レッグは、複数の丸みを帯びたベース部分と相互接続され、複数の丸みを帯びたベース部分同士の間に交互に間置されており、アンカー固定レッグのそれぞれは、丸みを帯びたベース部分に接合されている近位端部、及び、接続アパーチャーを有する遠位端部を有している、シースと；長手方向に延在しているコア部材と；複数のロック・アパーチャーを含むロック・コンポーネントと；ピン・アッセンブリであって、ピン・アッセンブリは、サポート・フレームの遠位に位置決めされ、コア部材にスライド可能に連結されており、ピン・アッセンブリは、複数のピンを含み、複数のピンは、複数の接続アパーチャーを通って、及び、複数のロック・アパーチャーを通って近位に延在し、弁アンカーの複数のアンカー固定レッグに係合している、ピン・アッセンブリとを含む、送達システム。
【０２８０】
条項１４０．  送達システムは、弁アンカーの接続アパーチャーを遠位フランジと近位フランジとの間に位置決めすることをさらに含み、ロック・アパーチャーは、遠位フランジ及び近位フランジの両方を通って延在している、請求項１３９に記載の送達システム。
【０２８１】
条項１４１．  ピン・アッセンブリは、環状コンポーネントをさらに含み、環状コンポーネントは、キャビティーの中に往復運動可能に配設されており、ピン・アッセンブリは、キャビティーの中の近位位置にある係合された構成と、キャビティーの中の遠位位置にある解除された構成との間で往復運動式になっており、複数のピンは、環状コンポーネントの近位面から近位に延在している、請求項１３９に記載の送達システム。
【０２８２】
条項１４２．  送達システムは、プッシャー・コンポーネントをさらに含み、プッシャー・コンポーネントは、コア部材にスライド可能に連結されており、プッシャー・コンポーネントがコア部材に沿って長手方向にスライド可能であるようになっている、請求項１３９に記載の送達システム。
【０２８３】
条項１４３．  ピン・アッセンブリは、プッシャー・コンポーネントに向けてコア部材に沿って近位に延在するチューブ状コンポーネントを含み、プッシャー・コンポーネントは、チューブ状コンポーネントの遠位面に接触するように構成されている、請求項１４２に記載の送達システム。
【０２８４】
条項１４４．  プッシャー・コンポーネントは、ピン・アッセンブリに向けてコア部材に沿って遠位に延在するチューブ状コンポーネントを含み、チューブ状コンポーネントの端部は、ピン・アッセンブリの近位面に接触するように構成されている、請求項１４２に記載の送達システム。
【０２８５】
条項１４５．  サポート・フレームは、プッシャー・コンポーネントの近位面に接触するように位置決めされた遠位端部を有している、請求項１４２に記載の送達システム。
【０２８６】
条項１４６．  送達システムは、プッシング・ブロックをさらに含み、プッシング・ブロックは、サポート・フレームの遠位端部の反対側のサポート・フレームの近位端部に接触するように構成されている、請求項１４５に記載の送達システム。
【０２８７】
条項１４７．  送達システムは、少なくとも１つの縫合糸をさらに含み、少なくとも１つの縫合糸は、サポート・フレームに連結されており、複数のアンカー固定レッグの長さに沿って延在する複数の長手方向のスロットに沿ってスライド可能に連結されている、請求項１３９に記載の送達システム。
【０２８８】
条項１４８．  弁アンカー、及び、弁アンカーに連結されているサポート・フレームは、外側シースの中に直列的に位置決めされており、弁アンカーがサポート・フレームの遠位に配設されるようになっている、請求項１３９に記載の送達システム。
【０２８９】
条項１４９．  被検者の血管の中のターゲット場所へ弁プロテーゼを送達するための方法であって、方法は、血管の中へ送達システムを導入し、ターゲット場所に弁アンカーを位置決めするステップと；弁アンカーのアンカー固定レッグと送達システムの係合メカニズムとの間の係合を維持しながら、ターゲット場所に弁アンカーをアンカー固定するために、弁アンカーのアンカー固定部材が膨張することを許容するように、送達システムのシースを近位に後退させるステップであって、係合メカニズムは、プッシャー・コンポーネント、ピン・アッセンブリ、及びロック・コンポーネントを含む、ステップと；送達システムのコア部材に対してプッシャー・コンポーネントを遠位に前進させ、ピン・アッセンブリに接触し、ロック・コンポーネントに対してピン・アッセンブリを遠位に前進させ、ロック・コンポーネントからピン・アッセンブリを解除し、それによって、送達システムからの弁アンカーのアンカー固定レッグの解放を許容するステップとを含む、方法。
【０２９０】
条項１５０．  アンカー固定部材は、Ｕ字形状の部材を含み、方法は、ターゲット場所においてそれぞれの弁構造体の中へアンカー固定部材を前進させるステップをさらに含む、請求項１４９に記載の方法。
【０２９１】
条項１５１．  ターゲット場所は、大動脈弁を含み、弁構造体は、大動脈弁洞を含む、請求項１５０に記載の方法。
【０２９２】
条項１５２．  方法は、ターゲット場所の中へアンカー固定部材を遠位に前進させるステップをさらに含む、請求項１４９に記載の方法。
【０２９３】
条項１５３．  方法は、ターゲット場所においてアンカー固定部材を回転させるステップをさらに含む、請求項１４９に記載の方法。
【０２９４】
条項１５４．  ターゲット場所においてアンカー固定部材を近位に引き出すステップをさらに含む、請求項１４９に記載の方法。
【０２９５】
条項１５５．  ピン・アッセンブリは、ピンを含み、ピンは、係合された構成で、係合領域及びロック・コンポーネントのロック・アパーチャーを通って延在しており、係合領域の中でアンカー固定レッグに係合しており、遠位に前進させるステップは、ロック・アパーチャーを通して、及び、係合領域を通して、ピン・アッセンブリのピンを前進させ、アンカー固定レッグの解除を許容するステップを含む、請求項１４９に記載の方法。
【０２９６】
条項１５６．  ピン・アッセンブリは、ピン・アッセンブリからコア部材に沿って近位に延在するチューブ状コンポーネントを含み、遠位に前進させるステップは、チューブ状コンポーネントの近位表面に対してプッシャー・コンポーネントの遠位表面を接触させるステップを含む、請求項１４９に記載の方法。
【０２９７】
条項１５７．  ピン・アッセンブリは、ピストン部材を含み、ロック・コンポーネントは、キャビティーを含み、遠位に前進させるステップは、ピストン部材がキャビティーの中を遠位に移動することを引き起こすステップを含む、請求項１４９に記載の方法。
【０２９８】
条項１５８．  導入するステップは、患者の心臓の大動脈弁に隣接して弁アンカーを位置決めするステップを含む、請求項１４９に記載の方法。
【０２９９】
条項１５９．  近位に後退させるステップは、アンカー固定部材が大動脈弁の弁輪の中へ膨張することを許容する、請求項１５８に記載の方法。
【０３００】
条項１６０．  弁アンカーが解放された後に、弁アンカーのルーメンの中で弁プロテーゼのサポート・フレームを膨張させるステップをさらに含む、請求項１４９に記載の方法。
【０３０１】
条項１６１．  膨張させるステップは、サポート・フレームの上方からシースを近位に後退させ、サポート・フレームが弁アンカーの中で自己膨張することを許容するステップを含む、請求項１６０に記載の方法。
【０３０２】
条項１６２．  送達システムの遠位端部部分は、ターゲット場所における欠陥のある弁へ、血液フローの方向の反対側の方向に前進させられる、請求項１４９に記載の方法。
【０３０３】
条項１６３．  シースを近位に後退させることは、サポート・フレームが半径方向に膨張するまで、弁プロテーゼのサポート・フレームを弁プロテーゼの長手方向軸線に沿って静止した状態に保持しながら実施される、請求項１４９に記載の方法。
【０３０４】
条項１６４．  弁プロテーゼ送達のための組み立ての方法であって、方法は、少なくとも１つの縫合糸をサポート・フレームに連結するステップと、少なくとも１つの縫合糸がアンカー固定レッグに沿ってスライド可能であるように、少なくとも１つの縫合糸を弁アンカーのアンカー固定レッグにループさせるステップとを含む、方法。
【０３０５】
条項１６５．  サポート・フレーム及び弁アンカーをコンパクト化するステップと、サポート・フレームが少なくとも１つの縫合糸を介して弁アンカーに連結されている状態で、コンパクト化されたサポート・フレーム及びコンパクト化された弁アンカーをシースの中に収納するステップとをさらに含む、請求項１６４に記載の方法。
【０３０６】
条項１６６．  アンカー固定レッグの接続アパーチャーを通してピンを挿入し、アンカー固定レッグの一部分を拘束するステップをさらに含む、請求項１６４に記載の方法。
【０３０７】
条項１６７．  接続アパーチャー及びロック・アパーチャーを通してピンをスライドさせるステップをさらに含む、請求項１６６に記載の方法。
【０３０８】
条項１６８．  第１のフランジと第２のフランジとの間にアンカー固定レッグの一部分を位置決めするステップをさらに含む、請求項１６６に記載の方法。
【０３０９】
条項１６９．  弁プロテーゼ送達のための組み立ての方法であって、方法は、複数の縫合糸をサポート・フレームの端部に連結するステップと、複数の縫合糸が複数のアンカー固定レッグに沿ってスライド可能であるように、複数の縫合糸を弁アンカーの複数のアンカー固定レッグにループさせるステップであって、アンカー固定レッグのそれぞれは、弁アンカーの１対のＵ字形状の部材の間に相互接続されており、複数の縫合糸のそれぞれは、それぞれのアンカー固定レッグの長さに沿って延在するそれぞれの長手方向のスロットの中にループさせられている、ステップと、サポート・フレーム及び弁アンカーをコンパクト化するステップと、コンパクト化された弁アンカーと、及び、コンパクト化された弁アンカーにスライド可能に連結されているコンパクト化されたサポート・フレームを、外側シースの中に収納するステップとを含む、方法。
【０３１０】
条項１７０．  コンパクト化された弁アンカー及びコンパクト化されたサポート・フレームを外側シースの中に直列的に配置するステップをさらに含む、請求項１６９に記載の方法。
【０３１１】
条項１７１．  複数のアンカー固定レッグの複数の接続アパーチャーを通してピン・アッセンブリの複数のピンを挿入し、アンカー固定レッグのそれぞれの端部を半径方向に拘束するステップをさらに含む、請求項１６９に記載の方法。
【０３１２】
条項１７２．  複数の接続アパーチャー及び複数のロック・アパーチャーを通して複数のピンをスライドさせるステップをさらに含む、請求項１７１に記載の方法。
【０３１３】
条項１７３．  第１のフランジと第２のフランジとの間にアンカー固定レッグのそれぞれの端部を位置決めするステップをさらに含む、請求項１７１に記載の方法。
【０３１４】
条項１７４．  サポート・フレームと、アンカー固定レッグ及び複数のＵ字形状の部材を含む弁アンカーと、縫合糸であって、縫合糸は、サポート・フレームに連結されており、アンカー固定レッグにスライド可能に連結されている、縫合糸とを含む、弁プロテーゼ送達のためのシステム。
【０３１５】
条項１７５．  アンカー固定レッグは、アンカー固定レッグの長さに沿って延在する長手方向のスロットを含み、縫合糸は、長手方向のスロットに沿ってスライド可能に連結されている、請求項１７４に記載のシステム。
【０３１６】
条項１７６．  システムは、ピンをさらに含み、アンカー固定レッグは、接続アパーチャーを含み、ピンは、接続アパーチャーを通って延在し、アンカー固定レッグの一部分を拘束する、請求項１７４に記載のシステム。
【０３１７】
条項１７７．  システムは、ロック・アパーチャーを含むロック・コンポーネントをさらに含み、ピンは、ロック・アパーチャーを通ってさらに延在している、請求項１７６に記載のシステム。
【０３１８】
条項１７８．  ロック・コンポーネントは、第１のフランジ部分と、第２のフランジ部分と、第１のフランジ部分と第２のフランジ部分との間に間置された係合領域とを含み、ロック・アパーチャーは、第１のフランジ部分及び第２のフランジ部分を通って延在しており、アンカー固定レッグの一部分は、係合領域の中に配設されている、請求項１７７に記載のシステム。
【０３１９】
条項１７９．  接続アパーチャーは、アンカー固定レッグの端部において孔部を含む、請求項１７６に記載のシステム。
【０３２０】
条項１８０．  サポート・フレームは、第１の端部部分と、第１の端部部分の反対側の第２の端部部分とを有しており、縫合糸は、第１の端部部分に連結されており、第２の端部部分は、複数の主要ピーク及び谷底部、並びに、複数の主要ピークの間の複数の微小ピークを有している、請求項１７４に記載のシステム。
【０３２１】
条項１８１．  微小ピークをカバーするように形状決めされた膜をさらに含む、請求項１８０に記載のシステム。
【０３２２】
条項１８２．  弁アンカー及びサポート・フレームは、外側シースの中にコンパクト化されている、請求項１７４に記載のシステム。
【０３２３】
条項１８３．  弁アンカー、及び、弁アンカーに連結されているサポート・フレームは、外側シースの中に直列的に位置決めされている、請求項１８２に記載のシステム。
【０３２４】
条項１８４．  サポート・フレームと；弁アンカーであって、弁アンカーは、３つのアンカー固定レッグ及び３つのＵ字形状の部材を含み、３つのＵ字形状の部材は、３つのアンカー固定レッグの間に相互接続されており、アンカー固定レッグのそれぞれは、Ｕ字形状の部材に取り付けられている近位端部、接続アパーチャーを有する遠位端部、及び、アンカー固定レッグの長さに沿って延在する長手方向のスロットを有しており、３つのアンカー固定レッグが３つの接続アパーチャー及び３つの長手方向のスロットを有するようになっている、弁アンカーと；３つの縫合糸ループであって、３つの縫合糸ループは、サポート・フレームに連結されており、３つの長手方向のスロットに沿って３つのアンカー固定レッグにスライド可能に連結されている、３つの縫合糸ループとを含む、弁プロテーゼ送達のためのシステム。
【０３２５】
条項１８５．  システムは、ピン・アッセンブリをさらに含み、ピン・アッセンブリは、環状コンポーネントと、環状コンポーネントの近位面から近位に延在する３つのピンとを有しており、３つのピンは、３つの接続アパーチャーを通って延在し、３つのアンカー固定レッグの遠位端部を半径方向に拘束する、請求項１８４に記載のシステム。
【０３２６】
条項１８６．  システムは、３つのロック・アパーチャーを含むロック・コンポーネントをさらに含み、３つのピンは、３つのロック・アパーチャーを通ってさらに延在している、請求項１８５に記載のシステム。
【０３２７】
条項１８７．  ロック・コンポーネントは、遠位フランジ部分と、近位フランジ部分と、遠位フランジ部分と近位フランジ部分との間に間置された係合領域とを含み、３つのロック・アパーチャーは、遠位フランジ部分及び近位フランジ部分を通って延在しており、３つのアンカー固定レッグの遠位端部は、係合領域の中に配設されている、請求項１８６に記載のシステム。
【０３２８】
条項１８８．  ３つの接続アパーチャーは、３つのアンカー固定レッグの遠位端部を通って延在する３つの孔部を含む、請求項１８４に記載のシステム。
【０３２９】
条項１８９．  サポート・フレームは、遠位端部部分及び近位端部部分を有しており、３つの縫合糸ループは、遠位端部部分に連結されており、近位端部部分は、複数の主要ピーク及び谷底部、並びに、複数の主要ピークの間の複数の微小ピークを有している、請求項１８４に記載のシステム。
【０３３０】
条項１９０．  微小ピークをカバーする膜をさらに含む、請求項１８９に記載のシステム。
【０３３１】
条項１９１．  弁アンカー及びサポート・フレームは、外側シースの中にコンパクト化されている、請求項１８４に記載のシステム。
【０３３２】
条項１９２．  弁アンカー、及び、弁アンカーに連結されているサポート・フレームは、弁アンカーがサポート・フレームの遠位に配設されている状態で、外側シースの中に直列的に位置決めされている、請求項１９１に記載のシステム。
【０３３３】
条項１９３．  弁アンカー及びサポート・フレームのそれぞれは、自己膨張するコンポーネントである、請求項１８４に記載のシステム。
【０３３４】
条項１９４．  弁アンカー及びサポート・フレームのそれぞれは、ニチノールから作製されている、請求項１９３に記載のシステム。
【０３３５】
条項１９５．  システムは、ピン・アッセンブリであって、ピン・アッセンブリは、環状コンポーネント及び３つのピンを有しており、３つのピンは、環状コンポーネントの近位面から近位に延在している、ピン・アッセンブリと；ロック・コンポーネントであって、ロック・コンポーネントは、遠位フランジ部分、近位フランジ部分、遠位フランジ部分と近位フランジ部分との間に間置された係合領域、並びに、遠位フランジ部分及び近位フランジ部分を通って延在している３つのロック・アパーチャーを含み、３つのピンは、３つのアンカー固定レッグの遠位端部が係合領域の中に配設されている状態で、３つの接続アパーチャー及び３つのロック・アパーチャーを通って延在し、３つのアンカー固定レッグの遠位端部を半径方向に拘束しており、弁アンカー及びサポート・フレームのそれぞれは、自己膨張するコンポーネントである、ロック・コンポーネントをさらに含む、請求項１８４に記載のシステム。
【０３３６】
条項１９６．  被検者の血管の中のターゲット場所へ弁プロテーゼを送達するための方法であって、方法は、血管の中へ送達システムを導入し、ターゲット場所に弁プロテーゼの弁アンカーを位置決めするステップと、ターゲット場所に弁アンカーをアンカー固定するために、弁アンカーのアンカー固定部材が膨張することを許容するように、送達システムのシースを近位に後退させるステップと、弁アンカーのアンカー固定レッグに沿ってサポート・フレームに連結されている縫合糸を遠位にスライドさせながら、弁アンカーの中で弁プロテーゼのサポート・フレームを遠位に前進させるステップと、弁アンカーの中でサポート・フレームを膨張させるステップとを含む、方法。
【０３３７】
条項１９７．  縫合糸を遠位にスライドさせるステップは、縫合糸を近位位置から遠位位置へ移動させるステップを含み、近位位置では、縫合糸は、弁アンカーの近位部分に対する半径方向の制限を提供しており、遠位位置では、半径方向の制限が緩和され、それによって、弁アンカーの近位部分の半径方向の膨張を許容する、請求項１９６に記載の方法。
【０３３８】
条項１９８．  方法は、縫合糸が近位位置になっているときに、アンカー固定レッグの接続アパーチャーを通って延在するピンによって、アンカー固定レッグの遠位部分を半径方向に制限するステップと、縫合糸が遠位位置になっているときに、接続アパーチャーからピンを解除し、アンカー固定レッグの遠位部分の半径方向の膨張を許容するステップとをさらに含む、請求項１９７に記載の方法。
【０３３９】
条項１９９．  縫合糸を遠位にスライドさせるステップは、アンカー固定レッグの長さに沿って延在する長手方向のスロットに沿って、縫合糸をスライドさせるステップを含む、請求項１９６に記載の方法。
【０３４０】
条項２００．  縫合糸を遠位にスライドさせる間に、係合メカニズムによってアンカー固定レッグの遠位部分を半径方向に制限するステップをさらに含む、請求項１９６に記載の方法。
【０３４１】
条項２０１．  サポート・フレームを膨張させるステップは、サポート・フレームの上方からシースを近位に後退させ、サポート・フレームが弁アンカーの中で自己膨張することを許容するステップを含む、請求項１９６に記載の方法。
【０３４２】
条項２０２．  ターゲット場所は、大動脈弁を含み、アンカー固定部材は、Ｕ字形状の部材をそれぞれ含み、方法は、大動脈弁のそれぞれの大動脈弁洞の中へＵ字形状の部材を前進させるステップをさらに含む、請求項１９６に記載の方法。
【０３４３】
条項２０３．  弁プロテーゼを送達するための送達システムであって、システムは、近位端部部分、遠位端部部分、及び、近位端部部分と遠位端部部分との間に延在する長手方向軸線を有する、コア部材と；弁プロテーゼに解放可能に係合するためにコア部材の遠位端部部分に連結されている係合メカニズムと；を含み、係合メカニズムは、ピン・アッセンブリであって、ピン・アッセンブリは、コア部材に連結されており、コア部材に沿って移動可能であり、ピン・アッセンブリは、環状コンポーネント及び少なくとも１つのピンを含み、少なくとも１つのピンは、環状コンポーネントに連結されており、遠位端部部分から離れる方向に延在しており、少なくとも１つのピンは、コア部材から半径方向に間隔を離して配置されている、ピン・アッセンブリ；並びに、環状コンポーネントの近位においてコア部材に連結されているロック・コンポーネントであって、ロック・コンポーネントは、少なくとも１つのロック・アパーチャーを含み、少なくとも１つのロック・アパーチャーは、少なくとも１つのピンがそれを通って延在することを許容するように構成されており、ロック・コンポーネント及びピン・アッセンブリは、弁プロテーゼの一部分に係合するために、ロック・コンポーネントとピン・アッセンブリとの間に係合領域を集合的に形成している、ロック・コンポーネント；を含み、ピン・アッセンブリは、コア部材及びロック・コンポーネントに対して遠位にスライド可能であり、係合領域から外へ少なくとも１つのピンを遠位に前進させ、弁プロテーゼの一部分からピン・アッセンブリを解除する、送達システム。
【０３４４】
条項２０４．  ピン・アッセンブリの環状コンポーネントは、円筒形状のピストン部材を含む、請求項２０３に記載のシステム。
【０３４５】
条項２０５．  ピストン部材は、対向する近位プレート及び遠位プレートを含み、近位プレートは、少なくとも１つのアパーチャーを含み、少なくとも１つのピンは、少なくとも１つのアパーチャーを通って延在しており、少なくとも１つのピンの一部分は、近位プレートと遠位プレートとの間に間置及び係合されている、請求項２０４に記載のシステム。
【０３４６】
条項２０６．  システムは、近位セクション及び遠位セクションを有するチューブ状コンポーネントをさらに含み、チューブ状コンポーネントの遠位セクションは、ピン・アッセンブリの環状コンポーネントに連結されている、請求項２０３に記載のシステム。
【０３４７】
条項２０７．  システムは、ピン・アッセンブリ及びロック・コンポーネントの近位にプッシャー部材をさらに含み、プッシャー部材は、コア部材に連結されており、コア部材に沿ってスライド可能であり、プッシャー部材は、弁プロテーゼの一部分を解除するために、係合領域から外へ少なくとも１つのピンを遠位に前進させるために、ロック・コンポーネントに対して少なくとも１つのピンを遠位に前進させるために、ピン・アッセンブリに接触及び係合するように構成されている、請求項２０３に記載のシステム。
【０３４８】
条項２０８．  プッシャー部材は、近位平坦面及び円錐状の遠位面を有する円錐状の形状を含み、円錐状の遠位面は、ピン・アッセンブリに接触するように構成されている、請求項２０７に記載のシステム。
【０３４９】
条項２０９．  ピン・アッセンブリは、チューブ状コンポーネントを含み、チューブ状コンポーネントは、ピン・アッセンブリに連結されており、ピン・アッセンブリとプッシャー部材との間に近位に延在しており、プッシャー部材は、ピン・アッセンブリを遠位方向に促すために、チューブ状コンポーネントの近位端部部分に接触するように構成されている、請求項２０７に記載のシステム。
【０３５０】
条項２１０．  チューブ状コンポーネントは、ロック・コンポーネントの近位の位置へロック・コンポーネントを通って近位に延在している、請求項２０９に記載のシステム。
【０３５１】
条項２１１．  システムは、ロック・コンポーネントに連結されている遠位コーン・コンポーネントをさらに含み、遠位コーン・コンポーネントは、コア部材に固定して連結されており、ロック・コンポーネントは、遠位部分及び近位部分を有しており、遠位部分は、遠位コーン・コンポーネントに連結されており、近位部分は、それを通って延在するルーメンを画定しており、近位部分のルーメンは、コア部材の外側プロファイルよりも大きい断面プロファイルを有しており、係合された構成になっているときにチューブ状コンポーネントがそれらの間に延在することを許容する、請求項２１０に記載のシステム。
【０３５２】
条項２１２．  システムは、ロック・コンポーネントに連結されている遠位コーン・コンポーネントをさらに含み、遠位コーン・コンポーネントは、コア部材に固定して連結され、コア部材に対してロック・コンポーネントを連結しており、ロック・コンポーネントは、遠位部分及び近位部分を有しており、遠位部分は、遠位コーン・コンポーネントに連結されており、近位部分は、それを通って延在するルーメンを画定しており、近位部分のルーメンは、コア部材の外側プロファイルよりも大きい断面プロファイルを有しており、係合された構成になっているときにピン・アッセンブリがそれらの間に延在することを許容する、請求項２０３に記載のシステム。
【０３５３】
条項２１３．  ロック・コンポーネント及び遠位コーン・コンポーネントは、一緒に連結されているときに、キャビティーを集合的に形成しており、ピン・アッセンブリは、キャビティーの中に少なくとも部分的に配設されている、請求項２１２に記載のシステム。
【０３５４】
条項２１４．  ロック・コンポーネントは、第１のキャビティー領域を含み、遠位コーン・コンポーネントは、第２のキャビティー領域を含み、第１及び第２のキャビティー領域は、ロック・コンポーネント及び遠位コーン・コンポーネントが一緒に連結されているときに、キャビティーを集合的に形成する、請求項２１３に記載のシステム。
【０３５５】
条項２１５．  弁プロテーゼは、少なくとも１つのアンカー固定レッグを有する弁アンカーを含み、少なくとも１つのアンカー固定レッグは、少なくとも１つのピンと係合するために、それを通して配設された接続アパーチャーを含む、請求項２０３に記載のシステム。
【０３５６】
条項２１６．  弁アンカーは、３つのアンカー固定レッグを含み、ピン・アッセンブリは、弁アンカーのそれぞれのアンカー固定レッグに係合するための３つのピンを含む、請求項２１５に記載のシステム。
【０３５７】
条項２１７．  ピン・アッセンブリは、複数のピンを含み、ロック・コンポーネントは、複数のピンのうちの１つにそれぞれ対応する複数のロック・アパーチャーを含む、請求項２０３に記載のシステム。
【０３５８】
条項２１８．  弁プロテーゼを送達するための送達システムであって、システムは、弁アンカーに連結されているサポート・フレームを含む弁プロテーゼであって、サポート・フレームは、それに連結されている複数の弁尖を有しており、弁アンカーは、少なくとも１つのアンカー固定レッグを有しており、少なくとも１つのアンカー固定レッグは、それを通して配設されている接続アパーチャーを含む、弁プロテーゼと；近位端部部分、遠位端部部分、及び、近位端部部分と遠位端部部分との間に延在する長手方向軸線を有する、コア部材と；ピン・アッセンブリであって、ピン・アッセンブリは、コア部材に連結されており、コア部材に沿って移動可能であり、ピン・アッセンブリは、環状コンポーネント及び少なくとも１つのピンを含み、少なくとも１つのピンは、環状コンポーネントに連結されており、遠位端部部分から離れる方向に延在しており、環状コンポーネントは、円筒形状のピストン部材を含み、少なくとも１つのピンは、コア部材から半径方向に間隔を離して配置されている、ピン・アッセンブリと；環状コンポーネントの近位においてコア部材に連結されているロック・コンポーネントであって、ロック・コンポーネントは、少なくとも１つのロック・アパーチャーを含み、少なくとも１つのロック・アパーチャーは、少なくとも１つのピンがそれを通って延在することを許容するように構成されており、ロック・コンポーネント及びピン・アッセンブリは、弁プロテーゼの一部分に係合するために、ロック・コンポーネントとピン・アッセンブリとの間に係合領域を集合的に形成している、ロック・コンポーネントと；を含み、ピン・アッセンブリは、コア部材及びロック・コンポーネントに対して遠位にスライド可能であり、係合領域から外へ少なくとも１つのピンを遠位に前進させ、弁プロテーゼの一部分からピン・アッセンブリを解除する、送達システム。
【０３５９】
条項２１９．  ピストン部材は、対向する近位プレート及び遠位プレートを含み、近位プレートは、少なくとも１つのアパーチャーを含み、少なくとも１つのピンは、少なくとも１つのアパーチャーを通って延在しており、少なくとも１つのピンの一部分は、近位プレートと遠位プレートとの間に間置及び係合されている、請求項２１８に記載のシステム。
【０３６０】
条項２２０．  システムは、近位セクション及び遠位セクションを有するチューブ状コンポーネントをさらに含み、チューブ状コンポーネントの遠位セクションは、ピン・アッセンブリの環状コンポーネントに連結されている、請求項２１８に記載のシステム。
【０３６１】
条項２２１．  システムは、ピン・アッセンブリ及びロック・コンポーネントの近位にプッシャー部材をさらに含み、プッシャー部材は、コア部材に連結されており、コア部材に沿ってスライド可能であり、プッシャー部材は、弁プロテーゼの一部分を解除するために、係合領域から外へ少なくとも１つのピンを遠位に前進させるために、ロック・コンポーネントに対して少なくとも１つのピンを遠位に前進させるために、ピン・アッセンブリに接触及び係合するように構成されている、請求項２１８に記載のシステム。
【０３６２】
条項２２２．  ピン・アッセンブリは、チューブ状コンポーネントを含み、チューブ状コンポーネントは、ピン・アッセンブリに連結されており、ピン・アッセンブリとプッシャー部材との間に近位に延在しており、プッシャー部材は、ピン・アッセンブリを遠位方向に促すために、チューブ状コンポーネントの近位端部部分に接触するように構成されている、請求項２２１に記載のシステム。
【０３６３】
条項２２３．  チューブ状コンポーネントは、ロック・コンポーネントの近位の位置へロック・コンポーネントを通って近位に延在している、請求項２２２に記載のシステム。
【０３６４】
条項２２４．  ロック・コンポーネントの近位部分は、係合された構成において、チューブ状コンポーネントに半径方向にオーバーラップしている、請求項２１８に記載のシステム。
【０３６５】
条項２２５．  システムは、ロック・コンポーネントに連結されている遠位コーン・コンポーネントをさらに含み、遠位コーン・コンポーネントは、コア部材に固定して連結され、コア部材に対してロック・コンポーネントを連結しており、ロック・コンポーネントは、遠位部分及び近位部分を有しており、遠位部分は、遠位コーン・コンポーネントに連結されており、近位部分は、それを通って延在するルーメンを画定しており、近位部分のルーメンは、コア部材の外側プロファイルよりも大きい断面プロファイルを有しており、係合された構成になっているときにピン・アッセンブリがそれらの間に延在することを許容する、請求項２１８に記載のシステム。
【０３６６】
条項２２６．  ロック・コンポーネント及び遠位コーン・コンポーネントは、一緒に連結されているときに、キャビティーを集合的に形成しており、ピン・アッセンブリは、キャビティーの中に少なくとも部分的に配設されている、請求項２２５に記載のシステム。
【０３６７】
条項２２７．  ロック・コンポーネントは、第１のキャビティー領域を含み、遠位コーン・コンポーネントは、第２のキャビティー領域を含み、第１及び第２のキャビティー領域は、ロック・コンポーネント及び遠位コーン・コンポーネントが一緒に連結されているときに、キャビティーを集合的に形成する、請求項２２６に記載のシステム。
【０３６８】
条項２２８．  キャビティーは、ピン・アッセンブリがその中を長手方向にトラベルすることを許容するように構成されている、請求項２２６に記載のシステム。
【０３６９】
条項２２９．  ピン・アッセンブリ環状コンポーネントは、キャビティーの中に配設されているピストン部材を含む、請求項２２８に記載のシステム。
【０３７０】
条項２３０．  弁プロテーゼは、少なくとも１つのアンカー固定レッグを有する弁アンカーを含み、少なくとも１つのアンカー固定レッグは、少なくとも１つのピンと係合するために、それを通して配設された接続アパーチャーを含む、請求項２１８に記載のシステム。
【０３７１】
条項２３１．  弁アンカーは、３つのアンカー固定レッグを含み、ピン・アッセンブリは、弁アンカーのそれぞれのアンカー固定レッグに係合するための３つのピンを含む、請求項２３０に記載のシステム。
【０３７２】
条項２３２．  （ａ）係合された構成において、ピン・アッセンブリの環状コンポーネントは、ロック・コンポーネントから第１の距離において軸線方向に間隔を離して配置されており、弁プロテーゼの一部分に係合するために、少なくとも１つのピンが係合領域を通って延在することを許容しており、（ｂ）解放された構成において、環状コンポーネントは、ロック・コンポーネントから第１の距離よりも大きい第２の距離において軸線方向に間隔を離して配置されており、係合領域を通して少なくとも１つのピンを遠位に前進させ、弁プロテーゼの一部分からピン・アッセンブリを解除する、請求項２１８に記載のシステム。
【０３７３】
条項２３３．  弁プロテーゼを送達するための送達システムであって、システムは、弁アンカーに連結されているサポート・フレームを含む弁プロテーゼであって、サポート・フレームは、それに連結されている複数の弁尖を有しており、弁アンカーは、３つのアンカー固定レッグを有しており、アンカー固定レッグは、それを通して配設されている接続アパーチャーをそれぞれ含む、弁プロテーゼと；近位端部部分、遠位端部部分、及び、近位端部部分と遠位端部部分との間に延在する長手方向軸線を有する、コア部材と；弁プロテーゼの弁アンカーに解放可能に係合するために、コア部材の遠位端部部分に連結されている係合メカニズムとを含み、係合メカニズムは、ピン・アッセンブリであって、ピン・アッセンブリは、コア部材に連結されており、コア部材に沿って移動可能であり、ピン・アッセンブリは、コア部材の半径方向に外部に配設されており、ピン・アッセンブリは、環状コンポーネント及び３つのピンを含み、３つのピンは、環状コンポーネントに連結されており、遠位端部部分から離れる方向に延在しており、環状コンポーネントは、３つのピンは、コア部材から半径方向に間隔を離して配置されている、ピン・アッセンブリと；環状コンポーネントの近位においてコア部材に連結されているロック・コンポーネントであって、ロック・コンポーネントは、３つのピンのうちの１つにそれぞれ対応する３つのロック・アパーチャーを含み、３つのロック・アパーチャーは、３つのピンがそれを通って延在することを許容するように構成されており、ロック・コンポーネント及びピン・アッセンブリは、弁プロテーゼの一部分に係合するために、ロック・コンポーネントとピン・アッセンブリとの間に係合領域を集合的に形成している、ロック・コンポーネントと；を含み、ピン・アッセンブリは、コア部材及びロック・コンポーネントに対して遠位にスライド可能であり、係合領域から外へ３つのピンを遠位に前進させ、弁プロテーゼの一部分からピン・アッセンブリを解除する、送達システム。
【０３７４】
条項２３４．  ピン・アッセンブリの環状コンポーネントは、円筒形状のピストン部材を含む、請求項２３３に記載のシステム。
【０３７５】
条項２３５．  ピストン部材は、対向する近位プレート及び遠位プレートを含み、近位プレートは、３つのアパーチャーを含み、３つのピンは、３つのアパーチャーを通って延在しており、３つのピンの一部分は、近位プレートと遠位プレートとの間に間置及び係合されている、請求項２３４に記載のシステム。
【０３７６】
条項２３６．  システムは、近位セクション及び遠位セクションを有するチューブ状コンポーネントをさらに含み、チューブ状コンポーネントの遠位セクションは、ピン・アッセンブリの環状コンポーネントに連結されている、請求項２３３に記載のシステム。
【０３７７】
条項２３７．  システムは、ピン・アッセンブリ及びロック・コンポーネントの近位にプッシャー部材をさらに含み、プッシャー部材は、コア部材に連結されており、コア部材に沿ってスライド可能であり、プッシャー部材は、弁プロテーゼの一部分を解除するために、係合領域から外へ３つのピンを遠位に前進させるために、ロック・コンポーネントに対して３つのピンを遠位に前進させるために、ピン・アッセンブリに接触及び係合するように構成されている、請求項２３３に記載のシステム。
【０３７８】
条項２３８．  ピン・アッセンブリは、チューブ状コンポーネントを含み、チューブ状コンポーネントは、ピン・アッセンブリに連結されており、ピン・アッセンブリとプッシャー部材との間に近位に延在しており、プッシャー部材は、ピン・アッセンブリを遠位方向に促すために、チューブ状コンポーネントの近位端部部分に接触するように構成されている、請求項２３７に記載のシステム。
【０３７９】
条項２３９．  チューブ状コンポーネントは、ロック・コンポーネントの近位の位置へロック・コンポーネントを通って近位に延在している、請求項２３８に記載のシステム。
【０３８０】
条項２４０．  ピン・アッセンブリは、チューブ状コンポーネントを含み、チューブ状コンポーネントは、ピン・アッセンブリに連結されており、ピン・アッセンブリとプッシャー部材との間に近位に延在しており、ロック・コンポーネントの近位部分は、係合された構成において、チューブ状コンポーネントに半径方向にオーバーラップしている、請求項２３３に記載のシステム。
【０３８１】
条項２４１．  システムは、ロック・コンポーネントに連結されている遠位コーン・コンポーネントをさらに含み、遠位コーン・コンポーネントは、コア部材に固定して連結され、コア部材に対してロック・コンポーネントを連結しており、ロック・コンポーネントは、遠位部分及び近位部分を有しており、遠位部分は、遠位コーン・コンポーネントに連結されており、近位部分は、それを通って延在するルーメンを画定しており、近位部分のルーメンは、コア部材の外側プロファイルよりも大きい断面プロファイルを有しており、係合された構成になっているときにピン・アッセンブリがそれらの間に延在することを許容する、請求項２３３に記載のシステム。
【０３８２】
条項２４２．  ロック・コンポーネント及び遠位コーン・コンポーネントは、一緒に連結されているときに、キャビティーを集合的に形成しており、ピン・アッセンブリは、キャビティーの中に少なくとも部分的に配設されている、請求項２４１に記載のシステム。
【０３８３】
条項２４３．  ロック・コンポーネントは、第１のキャビティー領域を含み、遠位コーン・コンポーネントは、第２のキャビティー領域を含み、第１及び第２のキャビティー領域は、ロック・コンポーネント及び遠位コーン・コンポーネントが一緒に連結されているときに、キャビティーを集合的に形成する、請求項２４２に記載のシステム。
【０３８４】
条項２４４．  キャビティーは、ピン・アッセンブリがその中を長手方向にトラベルすることを許容するように構成されている、請求項２４２に記載のシステム。
【０３８５】
条項２４５．  ピン・アッセンブリ環状コンポーネントは、キャビティーの中に配設されているピストン部材を含む、請求項２４４に記載のシステム。
【０３８６】
条項２４６．  （ａ）係合された構成において、ピン・アッセンブリの環状コンポーネントは、ロック・コンポーネントから第１の距離において軸線方向に間隔を離して配置されており、弁プロテーゼの一部分に係合するために、３つのピンが係合領域を通って延在することを許容しており、（ｂ）解放された構成において、環状コンポーネントは、ロック・コンポーネントから第１の距離よりも大きい第２の距離において軸線方向に間隔を離して配置されており、係合領域を通して３つのピンを遠位に前進させ、弁プロテーゼの一部分からピン・アッセンブリを解除する、請求項２３３に記載のシステム。
【０３８７】
条項２４７．  解放された構成において、３つのピンは、係合領域の外側に位置決めされている、請求項２４６に記載のシステム。
【０３８８】
条項２４８．  弁アンカーを含む弁プロテーゼであって、弁アンカーは、長手方向軸線並びに近位端部部分及び遠位端部部分を有しており、弁アンカーは、複数のＵ字形状の部材及び複数のアンカー固定レッグを含み、複数のＵ字形状の部材のそれぞれは、弁アンカーの遠位端部部分に配設されている丸みを帯びたベース部分と、丸みを帯びたベース部分から弁アンカーの近位端部部分に向けて近位に延在している第１及び第２のレッグとを有しており、第１のＵ字形状の部材の第１のレッグ、及び、第２のＵ字形状の部材の第２のレッグは、弁アンカーの近位端部部分において、複数のアンカー固定レッグのうちの１つの近位端部部分に連結されており、複数のアンカー固定レッグのそれぞれは、その遠位端部部分における接続アパーチャーと、アンカー固定レッグの長さに沿って延在している長手方向のスロットとを含み、複数のアンカー固定レッグ及び複数のＵ字形状の部材は、段階的に半径方向に膨張することが可能であり、自然の弁構造体に対して弁プロテーゼをアンカー固定するために、自然の弁構造体がそれらの間に間置されることを許容し、また、弁プロテーゼは、弁アンカーに対して連結されているように構成されている複数の弁尖を含む、弁プロテーゼ。
【０３８９】
条項２４９．  弁プロテーゼは、サポート・フレームをさらに含み、サポート・フレームは、少なくとも１つの縫合糸を介して弁アンカーに連結されており、少なくとも１つの縫合糸は、長手方向のスロットに沿ってアンカー固定レッグに連結されており、サポート・フレームは、複数の弁尖を支持するように構成されている、条項２４８に記載の弁プロテーゼ。
【０３９０】
条項２５０．  本明細書で記載されている特徴のいずれかをさらに含む、条項２４８に記載の弁プロテーゼ。
【０３９１】
さらなる考慮事項
いくつかの実施例では、本明細書における条項のいずれかは、独立条項のうちの任意の１つ、又は、従属条項のうちの任意の１つから従属することが可能である。いくつかの実施例では、条項（たとえば、従属条項又は独立条項）のいずれかは、任意の他の１つ又は複数の条項（たとえば、従属条項又は独立条項）と組み合わせられ得る。いくつかの実施例では、請求項は、条項、文章、言い回し、又は段落の中に記載されている語句（たとえば、ステップ、動作、手段、又はコンポーネント）のうちのいくつか又はすべてを含むことが可能である。いくつかの実施例では、請求項は、１つ又は複数の条項、文章、言い回し、又は段落の中に記載されている語句のうちのいくつか又はすべてを含むことが可能である。いくつかの実施例では、条項、文章、言い回し、又は段落のそれぞれの中の語句のいくつかは除去され得る。いくつかの実施例では、追加的な語句又はエレメントが、条項、文章、言い回し、又は段落に追加され得る。いくつかの実施例では、主題の技術は、本明細書で説明されているコンポーネント、エレメント、機能、又は動作のうちのいくつかを利用することなく実装され得る。いくつかの実施例では、主題の技術は、追加的なコンポーネント、エレメント、機能、又は動作を利用して実装され得る。
【０３９２】
先述の説明は、当業者が本明細書で説明されているさまざまな構成を実践することを可能にするために提供されている。主題の技術は、とりわけ、さまざまな図及び構成を参照して説明されてきたが、これらは、単に図示目的のためのものに過ぎず、主題の技術の範囲を限定するものとしてとられるべきではないということが理解されるべきである。
【０３９３】
主題の技術を実装するための多くの他の方式が存在している可能性がある。本明細書で説明されているさまざまな機能及びエレメントは、主題の技術の範囲から逸脱することなく示されているものとは異なって区分され得る。これらの構成に対するさまざまな修正例が、当業者に容易に明らかになることとなり、本明細書で定義されている一般的な原理は、他の構成にも適用され得る。したがって、多くの変更例及び修正例が、主題の技術の範囲から逸脱することなく、当業者によって、主題の技術に対して作製され得る。
【０３９４】
開示されているプロセスの中のステップの特定の順序又は階層は、例示的なアプローチの図示であるということが理解される。設計嗜好に基づいて、プロセスの中のステップの特定の順序又は階層が再配置され得るということが理解される。ステップのうちのいくつかは、同時に実施され得る。添付の方法請求項は、サンプル順序の中のさまざまなステップのエレメントを提示しており、提示されている特定の順序又は階層に限定されることを意味していない。
【０３９５】
本明細書で使用されているように、「遠位」という用語は、弁プロテーゼを自然の弁輪へ送達するために使用されることとなる制御ユニット又は送達システムの領域などのような、関心のポイントから離れている場所又は方向を示すことが可能である。追加的に、「近位」という用語は、弁プロテーゼを送達するために使用されることとなる送達システムの制御ユニット又は領域などのような、関心のポイントにより近い場所又は方向を示すことが可能である。
【０３９６】
本明細書で使用されているように、アイテムのいずれかを分離するための「及び」又は「又は」という用語を伴う、一連のアイテムに先行する「のうちの少なくとも１つ」という言い回しは、リストのそれぞれのメンバー（すなわち、それぞれのアイテム）というよりもむしろ、リストを全体として修飾する。「のうちの少なくとも１つ」という言い回しは、列挙されているそれぞれのアイテムのうちの少なくとも１つの選択を必要としない。むしろ、その言い回しは、アイテムのうちの任意の１つ、及び／又は、アイテムの任意の組み合わせの少なくとも１つ、及び／又は、アイテムのそれぞれの少なくとも１つ、のうちの少なくとも１つを含む意味を可能にする。実例として、「Ａ、Ｂ、及びＣのうちの少なくとも１つ」又は「Ａ、Ｂ、又はＣのうちの少なくとも１つ」という言い回しは、Ａだけ、Ｂだけ、若しくはＣだけ、Ａ、Ｂ、及びＣの任意の組み合わせ、並びに／又は、Ａ、Ｂ、及びＣのそれぞれの少なくとも１つをそれぞれ表している。
【０３９７】
本開示において使用されているような「上部」、「底部」、「前方」、及び「後方」などのような用語は、通常の重力規準系を参照するというよりもむしろ、任意の規準系を参照するとして理解されるべきである。したがって、上部表面、底部表面、前方表面、及び後方表面は、重力規準系において、上向きに、下向きに、斜めに、又は水平方向に延在することが可能である。
【０３９８】
そのうえ、「含む（ｉｎｃｌｕｄｅ）」又は「有する」などの用語が説明又は特許請求の範囲の中で使用されている範囲において、そのような用語は、「含む（ｃｏｍｐｒｉｓｅ）」が請求項の中で移行句として用いられるときに解釈されるような「含む（ｃｏｍｐｒｉｓｅ）」という用語と同様の様式で包含的であることを意図している。
【０３９９】
「例示的」という語句は、「実例、場合、又は図示としての役割を果たす」ということを意味するために本明細書で使用されている。「例示的」として本明細書で説明されている任意の実施例は、必ずしも、他の実施例を上回る好適な又は有利なものとして解釈されるべきであるわけではない。
【０４００】
単数形でのエレメントへの言及は、特段の定めがなければ、「１つ及び１つだけ」を意味するのではなく、「１つ又は複数の」を意味することを意図している。男性の代名詞（たとえば、彼の）は、女性及び中性の性別（たとえば、彼女の及びそれの）を含み、その逆もまた同様である。「いくつかの」という用語は、１つ又は複数を表している。下線付きの及び／又はイタリック体の見出し及び小見出しは、便宜のためだけに使用されており、主題の技術を限定しておらず、主題の技術の説明の解釈に関連して言及されていない。当業者に知られているか、又は、後に当業者に知られることとなる、本開示の全体を通して説明されているさまざまな構成体のエレメントに対するすべての構造的及び機能的な均等物は、明示的に参照により本明細書に組み込まれており、主題の技術によって包含されることが意図されている。そのうえ、本明細書で開示されているものは、そのような開示が明示的に上記の説明の中に記載されているかどうかにかかわらず、公衆に供されることは意図していない。
【０４０１】
詳細な説明は多くの詳細を含有しているが、これらは、主題の技術の範囲を限定するものとして解釈されるべきではなく、単に、主題の技術の異なる実例及び態様を図示するものとして解釈されるべきである。主題の技術の範囲は、上記に詳細に議論されていない他の実施例を含むということが認識されるべきである。さまざまな他の修正例、変更例、及び変形例は、本開示の範囲から逸脱することなく、本明細書で開示されている主題の技術の方法及び装置の配置、動作、及び詳細に関して作製され得る。別段の表現がない限り、単数形でのエレメントへの言及は、明示的な定めがなければ、「１つ及び１つだけ」を意味することを意図しているのではなく、むしろ、「１つ又は複数の」を意味することを意図している。加えて、デバイス又は方法にとって、本開示の範囲内に包含されるために、本開示の異なる実施例によって解決可能な（又は、実現可能なすべての利点を所有する）すべての問題に対処することは必要ではない。「可能である」及びその派生語の本明細書での使用は、断定的な可能性とは対照的に、「場合によっては」又は「随意的に」の意味で理解されるものとする。
【図１】
2021510105.tif 000003
【図２】
2021510105.tif 000004
【図３Ａ】
2021510105.tif 000005
【図３Ｂ】
2021510105.tif 000006
【図４Ａ】
2021510105.tif 000007
【図４Ｂ】
2021510105.tif 000008
【図５Ａ】
2021510105.tif 000009
【図５Ｂ】
2021510105.tif 000010
【図６Ａ】
2021510105.tif 000011
【図６Ｂ】
2021510105.tif 000012
【図６Ｃ】
2021510105.tif 000013
【図６Ｄ】
2021510105.tif 000014
【図６Ｅ】
2021510105.tif 000015
【図６Ｆ】
2021510105.tif 000016
【図７Ａ】
2021510105.tif 000017
【図７Ｂ】
2021510105.tif 000018
【図７Ｃ】
2021510105.tif 000019
【図７Ｄ】
2021510105.tif 000020
【図７Ｅ】
2021510105.tif 000021
【図７Ｆ】
2021510105.tif 000022
【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
弁プロテーゼを送達するための送達システムであって、前記システムは、
近位端部部分、遠位端部部分、及び、前記近位端部部分と前記遠位端部部分との間に延在する長手方向軸線を有する、コア部材と、
前記弁プロテーゼに解放可能に係合するために前記コア部材の前記遠位端部部分に連結されている係合メカニズムと、
を含み、
前記係合メカニズムは、
ピン・アッセンブリであって、前記ピン・アッセンブリは、前記コア部材に連結されており、前記コア部材に沿って移動可能であり、前記ピン・アッセンブリは、環状コンポーネント及び少なくとも１つのピンを含み、前記少なくとも１つのピンは、前記環状コンポーネントに連結されており、前記遠位端部部分から離れる方向に延在しており、前記少なくとも１つのピンは、前記コア部材から半径方向に間隔を離して配置されている、ピン・アッセンブリ、並びに、
前記環状コンポーネントの近位において前記コア部材に連結されているロック・コンポーネントであって、前記ロック・コンポーネントは、少なくとも１つのロック・アパーチャーを含み、前記少なくとも１つのロック・アパーチャーは、前記少なくとも１つのピンがそれを通って延在することを許容するように構成されており、前記ロック・コンポーネント及び前記ピン・アッセンブリは、前記弁プロテーゼの一部分に係合するために、前記ロック・コンポーネントと前記ピン・アッセンブリとの間に係合領域を集合的に形成している、ロック・コンポーネント
を含み、
前記ピン・アッセンブリは、前記コア部材及び前記ロック・コンポーネントに対して遠位にスライド可能であり、前記係合領域から外へ前記少なくとも１つのピンを遠位に前進させ、前記弁プロテーゼの前記一部分から前記ピン・アッセンブリを係合解除する、送達システム。
【請求項２】
前記ピン・アッセンブリの前記環状コンポーネントは、円筒形状のピストン部材を含む、請求項１に記載のシステム。
【請求項３】
前記ピストン部材は、対向する近位プレート及び遠位プレートを含み、前記近位プレートは、少なくとも１つのアパーチャーを含み、前記少なくとも１つのピンは、前記少なくとも１つのアパーチャーを通って延在しており、前記少なくとも１つのピンの一部分は、前記近位プレートと前記遠位プレートとの間に間置及び係合されている、請求項２に記載のシステム。
【請求項４】
前記システムは、近位セクション及び遠位セクションを有するチューブ状コンポーネントをさらに含み、前記チューブ状コンポーネントの前記遠位セクションは、前記ピン・アッセンブリの前記環状コンポーネントに連結されている、請求項１〜３の何れか一項に記載のシステム。
【請求項５】
前記システムは、前記ピン・アッセンブリ及び前記ロック・コンポーネントの近位にプッシャー部材をさらに含み、前記プッシャー部材は、前記コア部材に連結されており、前記コア部材に沿ってスライド可能であり、前記プッシャー部材は、前記弁プロテーゼの前記一部分を係合解除するために、前記係合領域から外へ前記少なくとも１つのピンを遠位に前進させるために、前記ロック・コンポーネントに対して前記少なくとも１つのピンを遠位に前進させるために、前記ピン・アッセンブリに接触及び係合するように構成されている、請求項１〜４の何れか一項に記載のシステム。
【請求項６】
前記プッシャー部材は、近位平坦面及び円錐状の遠位面を有する円錐状の形状を含み、前記円錐状の遠位面は、前記ピン・アッセンブリに接触するように構成されている、請求項５に記載のシステム。
【請求項７】
前記ピン・アッセンブリは、チューブ状コンポーネントを含み、前記チューブ状コンポーネントは、前記ピン・アッセンブリに連結されており、前記ピン・アッセンブリと前記プッシャー部材との間に近位に延在しており、前記プッシャー部材は、前記ピン・アッセンブリを遠位方向に促すために、前記チューブ状コンポーネントの近位端部部分に接触するように構成されている、請求項５に記載のシステム。
【請求項８】
前記チューブ状コンポーネントは、前記ロック・コンポーネントの近位の位置へ前記ロック・コンポーネントを通って近位に延在している、請求項７に記載のシステム。
【請求項９】
前記システムは、前記ロック・コンポーネントに連結されている遠位コーン・コンポーネントをさらに含み、前記遠位コーン・コンポーネントは、前記コア部材に固定して連結されており、前記ロック・コンポーネントは、遠位部分及び近位部分を有しており、前記遠位部分は、前記遠位コーン・コンポーネントに連結されており、前記近位部分は、それを通って延在するルーメンを画定しており、前記近位部分の前記ルーメンは、前記コア部材の外側プロファイルよりも大きい断面プロファイルを有しており、係合された構成になっているときに前記チューブ状コンポーネントがそれらの間に延在することを許容する、請求項８に記載のシステム。
【請求項１０】
前記システムは、前記ロック・コンポーネントに連結されている遠位コーン・コンポーネントをさらに含み、前記遠位コーン・コンポーネントは、前記コア部材に対して前記ロック・コンポーネントを連結するように、前記コア部材に固定して連結されており、前記ロック・コンポーネントは、遠位部分及び近位部分を有しており、前記遠位部分は、前記遠位コーン・コンポーネントに連結されており、前記近位部分は、それを通って延在するルーメンを画定しており、前記近位部分の前記ルーメンは、前記コア部材の外側プロファイルよりも大きい断面プロファイルを有しており、係合された構成になっているときに前記ピン・アッセンブリがそれらの間に延在することを許容する、請求項１〜９の何れか一項に記載のシステム。
【請求項１１】
前記ロック・コンポーネント及び前記遠位コーン・コンポーネントは、一緒に連結されているときに、キャビティーを集合的に形成しており、前記ピン・アッセンブリは、前記キャビティーの中に少なくとも部分的に配設されている、請求項１０に記載のシステム。
【請求項１２】
前記ロック・コンポーネントは、第１のキャビティー領域を含み、前記遠位コーン・コンポーネントは、第２のキャビティー領域を含み、前記第１及び第２のキャビティー領域は、前記ロック・コンポーネント及び前記遠位コーン・コンポーネントが一緒に連結されているときに、前記キャビティーを集合的に形成する、請求項１１に記載のシステム。
【請求項１３】
前記弁プロテーゼは、少なくとも１つのアンカー固定レッグを有する弁アンカーを含み、前記少なくとも１つのアンカー固定レッグは、前記少なくとも１つのピンと係合するために、それを通して配設された接続アパーチャーを含む、請求項１〜１２の何れか一項に記載のシステム。
【請求項１４】
前記弁アンカーは、３つのアンカー固定レッグを含み、前記ピン・アッセンブリは、前記弁アンカーのそれぞれのアンカー固定レッグに係合するための３つのピンを含む、請求項１３に記載のシステム。
【請求項１５】
前記ピン・アッセンブリは、複数のピンを含み、前記ロック・コンポーネントは、前記複数のピンのうちの１つにそれぞれ対応する複数のロック・アパーチャーを含む、請求項１〜１４の何れか一項に記載のシステム。
【国際調査報告】
2021510105.tif 000023
2021510105.tif 000024
2021510105.tif 000025